(57)【要約】  端末装置の測位方法、測位サーバ、アクセスポイント、及びシステムが提供される。本方法は、測位される必要がある端末の識別子を測位サーバにより取得する段階と、端末の測位に用いられるアクセスポイントセットを端末の識別子に従って測位サーバにより取得する段階であって、アクセスポイントセットは、端末がアクセスする関連アクセスポイント及び端末がアクセスしない非関連アクセスポイントを含み、非関連アクセスポイントは、カバレッジエリアが端末を包含する少なくとも１つのアクセスポイントを含む、段階と、アクセスポイントセットが端末と対話した後に取得される測位測定情報を測位サーバにより取得する段階と、測位測定情報に従って端末の位置情報を測位サーバにより取得する段階とを含むことができる。
2018521300.tif 000002
【特許請求の範囲】
【請求項１】
無線ローカルエリアネットワークに適用される、端末装置の測位方法であって、
測位される必要がある端末の識別子を測位サーバにより取得する段階と、
前記端末の測位に用いられるアクセスポイントセットを前記端末の前記識別子に従って前記測位サーバにより取得する段階であって、前記アクセスポイントセットは、前記端末がアクセスする関連アクセスポイント及び前記端末がアクセスしない非関連アクセスポイントを含み、前記非関連アクセスポイントは、カバレッジエリアが前記端末を包含する少なくとも１つのアクセスポイントを含む、段階と、
前記アクセスポイントセットが前記端末と対話した後に取得される測位測定情報を前記測位サーバにより取得する段階と、
前記測位測定情報に従って前記端末の位置情報を前記測位サーバにより取得する段階と
を備える、方法。
【請求項２】
前記アクセスポイントセットが前記端末と対話した後に取得される測位測定情報を前記測位サーバにより取得する前記段階は、
前記関連アクセスポイント及び前記非関連アクセスポイントに並行して測位要求メッセージを前記測位サーバにより別々に送信する段階であって、前記測位要求メッセージは前記端末の前記識別子及び協調時間を含み、前記協調時間は、前記関連アクセスポイント及び前記非関連アクセスポイントが、前記協調時間が来た後に、前記端末の測位測定情報を協調的な方式で取得することを可能にするのに用いられる、段階と、
前記関連アクセスポイント及び前記非関連アクセスポイントにより前記協調時間に従って前記端末から取得される前記測位測定情報を、前記測位サーバにより受信する段階と
を含む、請求項１に記載の方法。
【請求項３】
前記アクセスポイントセットが前記端末と対話した後に取得される測位測定情報を前記測位サーバにより取得する前記段階は、
前記関連アクセスポイント及び前記非関連アクセスポイントに測位要求メッセージを前記測位サーバにより別々に送信する段階であって、前記測位要求メッセージは前記端末の前記識別子を含む、段階と、
前記測位サーバにより、前記関連アクセスポイントにより前記端末から取得された測位測定情報を受信し、前記非関連アクセスポイントにより前記端末から取得された測位測定情報を受信する段階と
を含む、請求項１に記載の方法。
【請求項４】
測位される必要がある端末の識別子を測位サーバにより取得する前記段階は、
アプリケーションサーバにより送信された位置取得メッセージを前記測位サーバにより受信する段階であって、前記位置取得メッセージは、位置情報が前記アプリケーションサーバにより取得される必要がある端末の識別子を含む、段階を含み、
前記測位測定情報に従って前記端末の位置情報を前記測位サーバにより取得する前記段階の後に、前記方法はさらに、
前記端末の前記位置情報を前記測位サーバにより前記アプリケーションサーバに送信する段階を含む、請求項１から３のいずれか一項に記載の方法。
【請求項５】
前記測位測定情報に従って前記端末の位置情報を前記測位サーバにより取得する前記段階は、
三角測量による測位アルゴリズム又は指紋による測位アルゴリズムを用いることで、前記測位サーバにより前記測位測定情報の計算を行い、前記端末の前記位置情報を取得する段階を含む、請求項１から４のいずれか一項に記載の方法。
【請求項６】
無線ローカルエリアネットワークに適用される、端末装置の測位方法であって、
測位サーバにより送信された測位要求メッセージを関連アクセスポイントにより受信する段階であって、前記測位要求メッセージは、測位される必要がある端末の識別子を含み、前記関連アクセスポイントは、前記端末の前記識別子に従って前記測位サーバにより取得されるアクセスポイントセットに属する、段階と、
前記関連アクセスポイントが前記測位要求メッセージに従って前記端末と対話して、前記端末の測位測定情報を取得する段階と、
前記測位測定情報を前記測位サーバに前記関連アクセスポイントにより送信する段階と
を含む、方法。
【請求項７】
前記関連アクセスポイントが前記測位要求メッセージに従って前記端末と対話して、前記端末の測位測定情報を取得する前記段階は、
前記測位要求メッセージに従って前記関連アクセスポイントにより測位パケットを前記端末に送信する段階と、
前記端末により送信された測位応答パケットを前記関連アクセスポイントにより受信する段階と、
受信した前記測位応答パケットに従って前記関連アクセスポイントにより前記測位測定メッセージを生成する段階と
を含む、請求項６に記載の方法。
【請求項８】
前記測位サーバにより取得される協調時間であって、前記関連アクセスポイント及び前記アクセスポイントセットに存在する非関連アクセスポイントが、前記協調時間が来た後に、前記端末の測位測定情報を協調的な方式で取得することを可能にするのに用いられる前記協調時間を、前記測位要求メッセージがさらに含む場合、
前記関連アクセスポイントが前記測位要求メッセージに従って前記端末と対話して、前記端末の測位測定情報を取得する前記段階は、
前記協調時間が来た後に、前記関連アクセスポイントが前記測位要求メッセージに従って前記端末と対話して、前記端末の前記測位測定情報を取得する段階を含む、請求項６又は７に記載の方法。
【請求項９】
無線ローカルエリアネットワークに適用される、端末装置の測位方法であって、
測位サーバにより送信された測位要求メッセージを非関連アクセスポイントにより受信する段階であって、前記測位要求メッセージは測位される必要がある端末の識別子を含み、前記非関連アクセスポイントは、前記端末の前記識別子に従って前記測位サーバにより取得されるアクセスポイントセットに属し、前記端末は前記非関連アクセスポイントにアクセスせず、前記非関連アクセスポイントは、カバレッジエリアが前記端末を包含する少なくとも１つのアクセスポイントを含む、段階と、
前記非関連アクセスポイントにより前記端末の動作チャネルに切り替わり、前記端末の測位測定情報を取得する段階と、
前記測位測定情報を前記非関連アクセスポイントにより前記測位サーバに送信する段階と
を備える、方法。
【請求項１０】
前記測位サーバにより取得される協調時間であって、前記協調時間が来た後に、前記非関連アクセスポイントが前記端末の前記動作チャネルに切り替わることを可能にするのに用いられる前記協調時間を、前記測位要求メッセージがさらに含む場合、
前記非関連アクセスポイントにより前記端末の動作チャネルに切り替わり、前記端末の測位測定情報を取得する前記段階は、
前記協調時間が来ると、前記非関連アクセスポイントにより前記端末の前記動作チャネルに切り替わり、前記動作チャネル上で待ち受ける段階であって、前記端末が、前記関連アクセスポイントにより送信された測位パケットに従って測位応答パケットを前記動作チャネル上に送信する場合、前記測位応答パケットを受信する、段階と、
受信した前記測位応答パケットに従って前記非関連アクセスポイントにより前記測位測定メッセージを生成する段階と
を含む、請求項９に記載の方法。
【請求項１１】
前記非関連アクセスポイントにより前記端末の動作チャネルに切り替わり、前記端末の測位測定情報を取得する前記段階は、
前記非関連アクセスポイントが前記端末の前記動作チャネルに切り替わった後に、前記測位要求メッセージに従って前記端末に測位パケットを送信する段階と、
前記端末により送信された測位応答パケットを前記非関連アクセスポイントにより受信する段階と、
受信した前記測位応答パケットに従って前記非関連アクセスポイントにより前記測位測定メッセージを生成する段階と
を含む、請求項９に記載の方法。
【請求項１２】
前記測位要求メッセージに従って測位パケットを前記端末に送信する前記段階は、
前記端末がアクセスする関連アクセスポイントの識別情報を用いることで、前記非関連アクセスポイントにより前記測位パケットを前記端末に送信する段階を含む、請求項１１に記載の方法。
【請求項１３】
前記非関連アクセスポイントにより前記端末の動作チャネルに切り替わり、前記端末の測位測定情報を取得する前記段階の前に、
前記非関連アクセスポイントが前記端末の前記動作チャネルに切り替わる前に、前記非関連アクセスポイントと関連付けられた端末にパケット送出停止命令を送信する段階であって、これにより前記非関連アクセスポイントと関連付けられた前記端末は、前記非関連アクセスポイントへのアップリンクパケットの送信を一時的に停止する、段階、
及び／又は、
前記非関連アクセスポイントが前記端末の前記動作チャネルに切り替わる前に、前記非関連アクセスポイントに存在し、且つ送信されていないダウンリンクパケットをバッファに保留する段階
をさらに備える、請求項９から１２のいずれか一項に記載の方法。
【請求項１４】
前記非関連アクセスポイントにより前記端末の動作チャネルに切り替わり、前記端末の測位測定情報を取得する前記段階の後に、
前記非関連アクセスポイントにより、前記端末の前記動作チャネルに切り替わる前に前記非関連アクセスポイントがとどまっていた動作チャネルに再度切り替わる段階をさらに含む、請求項９から１３のいずれか一項に記載の方法。
【請求項１５】
測位される必要がある端末の識別子を取得するよう構成された測位決定モジュールと、
前記端末の前記識別子に従って、前記端末の測位に用いられるアクセスポイントセットを取得するよう構成されたアクセスポイント取得モジュールであって、前記アクセスポイントセットは、前記端末がアクセスする関連アクセスポイント及び前記端末がアクセスしない非関連アクセスポイントを含み、前記非関連アクセスポイントは、カバレッジエリアが前記端末を包含する少なくとも１つのアクセスポイントを含む、アクセスポイント取得モジュールと、
前記アクセスポイントセットが前記端末と対話した後に取得される測位測定情報を取得するよう構成された測定情報取得モジュールと、
前記測位測定情報に従って前記端末の位置情報を取得するよう構成された位置情報取得モジュールと
を備える、測位サーバ。
【請求項１６】
前記測定情報取得モジュールは具体的には、前記関連アクセスポイント及び前記非関連アクセスポイントに並行して測位要求メッセージを別々に送信するよう構成され、
前記測位要求メッセージは、前記端末の前記識別子及び協調時間を含み、前記協調時間は、前記関連アクセスポイント及び前記非関連アクセスポイントが、前記協調時間が来た後に、前記端末の測位測定情報を協調的な方式で取得し、前記協調時間に従って前記関連アクセスポイント及び前記非関連アクセスポイントにより前記端末から取得される前記測位測定情報を受信することを可能にするのに用いられる、請求項１５に記載の測位サーバ。
【請求項１７】
前記測定情報取得モジュールは具体的には、前記関連アクセスポイント及び前記非関連アクセスポイントに前記端末の前記識別子を含む測位要求メッセージを別々に送信し、前記関連アクセスポイントにより前記端末から取得された測位測定情報を受信し、前記非関連アクセスポイントにより前記端末から取得された測位測定情報を受信するよう構成される、請求項１５に記載の測位サーバ。
【請求項１８】
前記測位決定モジュールは具体的には、アプリケーションサーバにより送信された位置取得メッセージを受信するよう構成され、前記位置取得メッセージは、位置情報が前記アプリケーションサーバにより取得される必要がある端末の識別子を含み、
前記位置情報取得モジュールはさらに、前記端末の前記位置情報を前記アプリケーションサーバに送信するよう構成される、請求項１５から１７のいずれか一項に記載の測位サーバ。
【請求項１９】
前記位置情報取得モジュールは具体的には、三角測量による測位アルゴリズム又は指紋による測位アルゴリズムを用いることで前記測位測定情報の計算を行い、前記端末の前記位置情報を取得するよう構成される、請求項１５から１８のいずれか一項に記載の測位サーバ。
【請求項２０】
具体的には、測位される必要がある端末がアクセスする関連アクセスポイントであるアクセスポイントであって、前記関連アクセスポイントは、
測位サーバにより送信された測位要求メッセージを受信するよう構成された受信モジュールであって、前記測位要求メッセージは測位される必要がある前記端末の識別子を含み、前記関連アクセスポイントは、前記端末の前記識別子に従って前記測位サーバにより取得されるアクセスポイントセットに属する、受信モジュールと、
前記測位要求メッセージに従って前記端末と対話して、前記端末の測位測定情報を取得するよう構成された測定情報取得モジュールと、
前記測位測定情報を前記測位サーバに送信するよう構成された送信モジュールと
を備える、アクセスポイント。
【請求項２１】
前記測定情報取得モジュールは具体的には、前記測位要求メッセージに従って測位パケットを前記端末に送信し、前記端末により送信された測位応答パケットを受信し、受信した前記測位応答パケットに従って前記測位測定メッセージを生成するよう構成される、請求項１９に記載のアクセスポイント。
【請求項２２】
前記測位サーバにより取得される協調時間であって、前記関連アクセスポイント及び前記アクセスポイントセットに存在する非関連アクセスポイントが、前記協調時間が来た後に、前記端末の測位測定情報を協調的な方式で取得することを可能にするのに用いられる前記協調時間を、前記測位要求メッセージがさらに含む場合、
前記測定情報取得モジュールは具体的には、前記協調時間が来た後に、前記測位要求メッセージに従って前記端末と対話して、前記端末の前記測位測定情報を取得するよう構成される、請求項２０又は２１に記載のアクセスポイント。
【請求項２３】
具体的には、測位される必要がある端末がアクセスしない非関連アクセスポイントであるアクセスポイントであって、前記非関連アクセスポイントは、カバレッジエリアが前記端末を包含する少なくとも１つのアクセスポイントを含み、前記非関連アクセスポイントは、
測位サーバにより送信された測位要求メッセージを受信するよう構成された受信モジュールであって、前記測位要求メッセージは測位される必要がある前記端末の識別子を含み、前記非関連アクセスポイントは、前記端末の前記識別子に従って前記測位サーバにより取得されるアクセスポイントセットに属し、前記端末は前記非関連アクセスポイントにアクセスせず、前記非関連アクセスポイントは、カバレッジエリアが前記端末を包含する少なくとも１つのアクセスポイントを含む、受信モジュールと、
前期端末の動作チャネルに切り替わり、前記端末の測位測定情報を取得するよう構成された測定情報取得モジュールと、
前記測位測定情報を前記測位サーバに送信するよう構成された送信モジュールと
を備える、アクセスポイント。
【請求項２４】
前記測位サーバにより取得される協調時間であって、前記協調時間が来た後に、前記非関連アクセスポイントが前記端末の前記動作チャネルに切り替わることを可能にするのに用いられる前記協調時間を、前記測位要求メッセージがさらに含む場合、
前記測定情報取得モジュールは具体的には、前記協調時間が来ると前記端末の前記動作チャネルに切り替わり、前記動作チャネル上で待ち受け、前記関連アクセスポイントにより送信された測位パケットに従って前記端末が前記動作チャネル上に測位応答パケットを送信する場合、前記測位応答パケットを受信し、受信した前記測位応答パケットに従って前記測位測定メッセージを生成するよう構成される、請求項２３に記載のアクセスポイント。
【請求項２５】
前記測定情報取得モジュールは具体的には、前記端末の前記動作チャネルに切り替わった後に、前記測位要求メッセージに従って測位パケットを前記端末に送信し、前記端末により送信された測位応答パケットを受信し、受信した前記測位応答パケットに従って前記測位測定メッセージを生成するよう構成される、請求項２３に記載のアクセスポイント。
【請求項２６】
前記測定情報取得モジュールは具体的には、前記端末がアクセスする関連アクセスポイントの識別情報を用いることで、前記測位パケットを前記端末に送信するよう構成される、請求項２５に記載のアクセスポイント。
【請求項２７】
前記送信モジュールはさらに、前記測定情報取得モジュールが前記非関連アクセスポイントを前記端末の前記動作チャネルに切り替える前に、前記非関連アクセスポイントと関連付けられた端末にパケット送出停止命令を送信するよう構成され、これにより、前記非関連アクセスポイントと関連付けられた前記端末は、前記非関連アクセスポイントへのアップリンクパケットの送信を一時的に停止する、
及び／又は、
前記非関連アクセスポイントはさらに、前記測定情報取得モジュールが前記非関連アクセスポイントを前記端末の前記動作チャネルに切り替える前に、前記非関連アクセスポイントに存在し、且つ送信されていないダウンリンクパケットをバッファに保留するよう構成されたバッファモジュールを含む、請求項２３から２６のいずれか一項に記載のアクセスポイント。
【請求項２８】
前記非関連アクセスポイントはさらに、前記測定情報取得モジュールが前記非関連アクセスポイントを前記端末の前記動作チャネルに切り替え、前記端末の前記測位測定情報を取得した後に、前記非関連アクセスポイントが前記端末の前記動作チャネルに切り替わる前に前記非関連アクセスポイントがとどまっていた動作チャネルに、前記非関連アクセスポイントを再度切り替えるよう構成されたチャネル再切り替えモジュールを備える、請求項２３から２７のいずれか一項に記載のアクセスポイント。
【請求項２９】
請求項１５から１９のいずれか一項に記載の測位サーバと、請求項２０から２２のいずれか一項に記載の関連アクセスポイントと、請求項２３から２８のいずれか一項に記載の非関連アクセスポイントとを備える、端末装置の測位システム。
【発明の詳細な説明】
【技術分野】
【０００１】
本発明の実施形態は通信の分野に関するものであり、詳細には、端末装置の測位方法、測位サーバ、アクセスポイント、及びシステムに関するものである。
【背景技術】
【０００２】
現在、無線ローカルエリアネットワーク（Ｗｉｒｅｌｅｓｓ  Ｌｏｃａｌ  Ａｒｅａ  Ｎｅｔｗｏｒｋｓ、ＷＬＡＮ）を用いることで端末を測位する方式が、特に屋内のシナリオでは、ますます広く適用されている。ＷＬＡＮ測位によって取得された端末位置情報は、ビッグデータ解析、広告情報の精度の高い発表、屋内ナビゲーションなどに用いることができる。
【０００３】
ＷＬＡＮ測位技術では現在、測位システムが、同一の端末から複数のアクセスポイント（Ａｃｃｅｓｓ  Ｐｏｉｎｔ、ＡＰ）への信号強度、又は複数のＡＰから同一の端末への信号強度を取得し、信号強度情報を用いることにより、測位アルゴリズムに従って端末の位置を計算する。測位システムにより取得される信号強度は、ネットワーク側で測定し、報告することができる。
【０００４】
従来技術で提供される、ネットワーク側で測定されて報告された信号強度に従って測位を行うための方法の主な内容は次の通りであり、３つ又はそれより多くのＡＰにより測定されて、測位システムに報告された同一の端末の信号強度を用いることで測位を行う。サービス性能を保証するために、通常、異なるチャネルが複数の隣接したＡＰに設定される。複数のＡＰから同一の端末への信号強度に従って行われる測位報告では、次の２つの方式が用いられる。一方の方式では、サービスに用いられていない専用のＡＰがプローブとして利用される。他方の方式では、サービスを維持するＡＰが定期的に異なるチャネルに切り替わり、次に端末がアップリンク信号を送信するのをただ待ち続け、そしてスキャニングによって取得されるアップリンク信号に従って測位報告が行われる。
【０００５】
本発明を実装する過程において、本発明の発明者は、ネットワーク側の前述の測位方法が少なくとも次の欠点を有することを知った。すなわち、プローブを利用する方式は、ハードウェアコストが著しく増加する。異なるチャネルをスキャンする方式では、ＡＰが異なるチャネルに過度に長い時間存在しても、又は過度に短い時間存在しても、問題がある。例えば、ＡＰが異なるチャネルに過度に短い時間存在する場合、端末がアップリンクパケットを送信する時点が未定のため、アップリンクパケットを受信する確率が大きく減少し、これにより、測位精度の著しい低下をもたらす。ＡＰが異なるチャネルに過度に長い時間存在する場合、失ったサービスパケット及び無線インタフェースのサービス時間に関する多大な損失が生じ、サービス性能の著しい低下をもたらす。したがって、ネットワーク側の測位を実行するために、ＡＰが異なるチャネルに滞留する時間を正確に制御する必要があるが、実際には正確な制御を実行するのは困難である。
【発明の概要】
【０００６】
本発明の実施形態が、端末装置の測位方法、測位サーバ、アクセスポイント、及びシステムを提供し、これらは、要件に従って端末を測位するのに用いられるが、端末は能動的に測定を行う必要がないので、アクセスポイントへの影響が小さい。
【０００７】
第１の態様によると、本発明の一実施形態が端末装置の測位方法を提供し、本方法は、無線ローカルエリアネットワークに適用され、測位される必要がある端末の識別子を測位サーバにより取得する段階と、端末の測位に用いられるアクセスポイントセットを端末の識別子に従って測位サーバにより取得する段階であって、アクセスポイントセットは、端末がアクセスする関連アクセスポイント及び端末がアクセスしない非関連アクセスポイントを含み、非関連アクセスポイントは、カバレッジエリアが端末を包含する少なくとも１つのアクセスポイントを含む、段階と、アクセスポイントセットが端末と対話した後に取得される測位測定情報を測位サーバにより取得する段階と、測位測定情報に従って端末の位置情報を測位サーバにより取得する段階とを含む。
【０００８】
第１の態様に関連して第１の態様の第１の可能な実装方式では、アクセスポイントセットが端末と対話した後に取得される測位測定情報を測位サーバにより取得する段階は、関連アクセスポイント及び非関連アクセスポイントに並行して測位要求メッセージを測位サーバにより別々に送信する段階であって、測位要求メッセージは端末の識別子及び協調時間を含み、協調時間は、関連アクセスポイント及び非関連アクセスポイントが、協調時間が来た後に、端末の測位測定情報を協調的な方式で取得することを可能にするのに用いられる、段階と、関連アクセスポイント及び非関連アクセスポイントにより協調時間に従って端末から取得される測位測定情報を、測位サーバにより受信する段階とを含む。
【０００９】
第１の態様に関連して第１の態様の第２の可能な実装方式では、アクセスポイントセットが端末と対話した後に取得される測位測定情報を測位サーバにより取得する段階は、関連アクセスポイント及び非関連アクセスポイントに測位要求メッセージを測位サーバにより別々に送信する段階であって、測位要求メッセージは端末の識別子を含む、段階と、測位サーバにより、関連アクセスポイントにより端末から取得された測位測定情報を受信し、非関連アクセスポイントにより端末から取得された測位測定情報を受信する段階とを含む。
【００１０】
第１の態様又は第１の態様の第１の可能な実装方式若しくは第２の可能な実装方式に関連して、第１の態様の第３の可能な実装方式では、測位される必要がある端末の識別子を測位サーバにより取得する段階は、アプリケーションサーバにより送信された位置取得メッセージを測位サーバにより受信する段階を含み、位置取得メッセージは、位置情報がアプリケーションサーバにより取得される必要がある端末の識別子を含み、測位測定情報に従って端末の位置情報を測位サーバにより取得する段階の後に、本方法はさらに、端末の位置情報を測位サーバによりアプリケーションサーバに送信する段階を含む。
【００１１】
第１の態様又は第１の態様の第１の可能な実装方式若しくは第２の可能な実装方式に関連して、第１の態様の第３又は第４の可能な実装方式では、測位測定情報に従って端末の位置情報を測位サーバにより取得する段階は、三角測量による測位アルゴリズム又は指紋による測位アルゴリズムを用いることで、測位サーバにより測位測定情報の計算を行い、端末の位置情報を取得する段階を含む。
【００１２】
第２の態様によると、本発明の一実施形態が端末装置の測位方法を提供し、本方法は無線ローカルエリアネットワークに適用され、測位サーバにより送信された測位要求メッセージを関連アクセスポイントにより受信する段階であって、測位要求メッセージは、測位される必要がある端末の識別子を含み、関連アクセスポイントは、端末の識別子に従って測位サーバにより取得されるアクセスポイントセットに属する、段階と、関連アクセスポイントが測位要求メッセージに従って端末と対話して、端末の測位測定情報を取得する段階と、関連アクセスポイントにより測位測定情報を測位サーバに送信する段階とを含む。
【００１３】
第２の態様に関連して、第２の態様の第１の可能な実装方式では、関連アクセスポイントが測位要求メッセージに従って端末と対話して、端末の測位測定情報を取得する段階は、測位要求メッセージに従って関連アクセスポイントにより測位パケットを端末に送信する段階と、端末により送信された測位応答パケットを関連アクセスポイントにより受信する段階と、受信した測位応答パケットに従って関連アクセスポイントにより測位測定メッセージを生成する段階とを含む。
【００１４】
第２の態様又は第２の態様の第１の可能な実装方式に関連して、第２の態様の第２の可能な実装方式では、測位サーバにより取得される協調時間であって、関連アクセスポイント及びアクセスポイントセットに存在する非関連アクセスポイントが、協調時間が来た後に、端末の測位測定情報を協調的な方式で取得することを可能にするのに用いられる協調時間を、測位要求メッセージがさらに含む場合、関連アクセスポイントが測位要求メッセージに従って端末と対話して、端末の測位測定情報を取得する段階は、協調時間が来た後に、関連アクセスポイントが測位要求メッセージに従って端末と対話して、端末の測位測定情報を取得する段階を含む。
【００１５】
第３の態様によると、本発明の一実施形態が端末装置の測位方法を提供し、本方法は無線ローカルエリアネットワークに適用され、測位サーバにより送信された測位要求メッセージを非関連アクセスポイントにより受信する段階であって、測位要求メッセージは測位される必要がある端末の識別子を含み、非関連アクセスポイントは、端末の識別子に従って測位サーバにより取得されるアクセスポイントセットに属し、端末は非関連アクセスポイントにアクセスせず、非関連アクセスポイントは、カバレッジエリアが端末を包含する少なくとも１つのアクセスポイントを含む、段階と、非関連アクセスポイントにより端末の動作チャネルに切り替わり、端末の測位測定情報を取得する段階と、非関連アクセスポイントにより測位測定情報を測位サーバに送信する段階とを含む。
【００１６】
第３の態様に関連して第３の態様の第１の可能な実装方式では、測位サーバにより取得される協調時間であって、非関連アクセスポイントが、協調時間が来た後に、端末の動作チャネルに切り替わることを可能にするのに用いられる協調時間を、測位要求メッセージがさらに含む場合、非関連アクセスポイントにより端末の動作チャネルに切り替わり、端末の測位測定情報を取得する段階は、協調時間が来ると非関連アクセスポイントにより端末の動作チャネルに切り替わり、動作チャネル上で待ち受ける段階であって、端末が、関連アクセスポイントにより送信された測位パケットに従って測位応答パケットを動作チャネル上に送信する場合、測位応答パケットを受信する、段階と、受信した測位応答パケットに従って非関連アクセスポイントにより測位測定メッセージを生成する段階とを含む。
【００１７】
第３の態様に関連して第３の態様の第２の可能な実装方式では、非関連アクセスポイントにより端末の動作チャネルに切り替わり、端末の測位測定情報を取得する段階は、非関連アクセスポイントが端末の動作チャネルに切り替わった後に、測位要求メッセージに従って端末に測位パケットを送信する段階と、端末により送信された測位応答パケットを非関連アクセスポイントにより受信する段階と、受信した測位応答パケットに従って非関連アクセスポイントにより測位測定メッセージを生成する段階とを含む。
【００１８】
第３の態様の第２の可能な実装方式に関連して第３の態様の第３の可能な実装方式では、測位要求メッセージに従って測位パケットを端末に送信する段階は、端末がアクセスする関連アクセスポイントの識別情報を用いることで、非関連アクセスポイントにより測位パケットを端末に送信する段階を含む。
【００１９】
第３の態様又は第３の態様の第１の可能な実装方式、第２の可能な実装方式、若しくは第３の可能な実装方式に関連して、第３の態様の第４の可能な実装方式では、非関連アクセスポイントにより端末の動作チャネルに切り替わり、端末の測位測定情報を取得する段階の前に、本方法はさらに、非関連アクセスポイントが端末の動作チャネルに切り替わる前に、非関連アクセスポイントと関連付けられた端末にパケット送出停止命令を送信する段階であって、これにより非関連アクセスポイントと関連付けられた端末は、非関連アクセスポイントへのアップリンクパケットの送信を一時的に停止する、段階、及び／又は、非関連アクセスポイントが端末の動作チャネルに切り替わる前に、非関連アクセスポイントに存在し、且つ送信されていないダウンリンクパケットをバッファに保留する段階を含む。
【００２０】
第３の態様又は第３の態様の第１の可能な実装方式、第２の可能な実装方式、第３の可能な実装方式、若しくは第４の可能な実装方式に関連して、第３の態様の第５の可能な実装方式では、非関連アクセスポイントにより端末の動作チャネルに切り替わり、端末の測位測定情報を取得する段階の後に、本方法はさらに、非関連アクセスポイントが端末の動作チャネルに切り替わる前に非関連アクセスポイントがとどまっていた動作チャネルに、非関連アクセスポイントにより再度切り替わる段階を含む。
【００２１】
第４の態様によると、本発明の一実施形態が測位サーバを提供し、測位される必要がある端末の識別子を取得するよう構成された測位決定モジュールと、端末の識別子に従って、端末の測位に用いられるアクセスポイントセットを取得するよう構成されたアクセスポイント取得モジュールであって、アクセスポイントセットは、端末がアクセスする関連アクセスポイント及び端末がアクセスしない非関連アクセスポイントを含み、非関連アクセスポイントは、カバレッジエリアが端末を包含する少なくとも１つのアクセスポイントを含む、アクセスポイント取得モジュールと、アクセスポイントセットが端末と対話した後に取得される測位測定情報を取得するよう構成された測定情報取得モジュールと、測位測定情報に従って端末の位置情報を取得するよう構成された位置情報取得モジュールとを含む。
【００２２】
第４の態様に関連して第４の態様の第１の可能な実装方式では、測定情報取得モジュールは具体的には、関連アクセスポイント及び非関連アクセスポイントに並行して測位要求メッセージを別々に送信するよう構成され、測位要求メッセージは、端末の識別子及び協調時間を含み、協調時間は、関連アクセスポイント及び非関連アクセスポイントが、協調時間が来た後に、端末の測位測定情報を協調的な方式で取得し、協調時間に従って関連アクセスポイント及び非関連アクセスポイントにより端末から取得される測位測定情報を受信することを可能にするのに用いられる。
【００２３】
第４の態様に関連して第４の態様の第２の可能な実装方式では、測定情報取得モジュールは具体的には、関連アクセスポイント及び非関連アクセスポイントに端末の識別子を含む測位要求メッセージを別々に送信し、関連アクセスポイントにより端末から取得された測位測定情報を受信し、非関連アクセスポイントにより端末から取得された測位測定情報を受信するよう構成される。
【００２４】
第４の態様又は第４の態様の第１の可能な実装方式若しくは第２の実装方式に関連して、第４の態様の第３の可能な実装方式では、測位決定モジュールは具体的には、アプリケーションサーバにより送信された位置取得メッセージを受信するよう構成され、位置取得メッセージは、位置情報がアプリケーションサーバにより取得される必要がある端末の識別子を含み、位置情報取得モジュールはさらに、端末の位置情報をアプリケーションサーバに送信するよう構成される。
【００２５】
第４の態様又は第４の態様の第１の可能な実装方式若しくは第２の可能な実装方式に関連して、第４の態様の第３の可能な実装方式又は第４の可能な実装方式では、位置情報取得モジュールは具体的には、三角測量による測位アルゴリズム又は指紋による測位アルゴリズムを用いることで、測位測定情報の計算を行い、端末の位置情報を取得するよう構成される。
【００２６】
第５の態様によると、本発明の一実施形態がアクセスポイントを提供し、アクセスポイントは具体的には、測位される必要がある端末がアクセスする関連アクセスポイントであり、関連アクセスポイントは、測位サーバにより送信された測位要求メッセージを受信するよう構成された受信モジュールであって、測位要求メッセージは測位される必要がある端末の識別子を含み、関連アクセスポイントは、端末の識別子に従って測位サーバにより取得されるアクセスポイントセットに属する、受信モジュールと、測位要求メッセージに従って端末と対話して、端末の測位測定情報を取得するよう構成された測定情報取得モジュールと、測位測定情報を測位サーバに送信するよう構成された送信モジュールとを含む。
【００２７】
第５の態様に関連して第５の態様の第１の可能な実装方式では、測定情報取得モジュールは具体的には、測位要求メッセージに従って測位パケットを端末に送信し、端末により送信された測位応答パケットを受信し、受信した測位応答パケットに従って測位測定メッセージを生成するよう構成される。
【００２８】
第５の態様又は第５の態様の第１の可能な実装方式に関連して第５の態様の第２の可能な実装方式では、測位サーバにより取得される協調時間であって、関連アクセスポイント及びアクセスポイントセットに存在する非関連アクセスポイントが、協調時間が来た後に、端末の測位測定情報を協調的な方式で取得することを可能にするのに用いられる協調時間を、測位要求メッセージがさらに含む場合、測定情報取得モジュールは具体的には、協調時間が来た後に、測位要求メッセージに従って端末と対話して、端末の測位測定情報を取得するよう構成される。
【００２９】
第６の態様によると、本発明の一実施形態がアクセスポイントを提供し、アクセスポイントは具体的には、測位される必要がある端末がアクセスしない非関連アクセスポイントであり、非関連アクセスポイントは、カバレッジエリアが端末を包含する少なくとも１つのアクセスポイントを含み、非関連アクセスポイントは、測位サーバにより送信された測位要求メッセージを受信するよう構成された受信モジュールであって、測位要求メッセージは測位される必要がある端末の識別子を含み、非関連アクセスポイントは、端末の識別子に従って測位サーバにより取得されるアクセスポイントセットに属し、端末は非関連アクセスポイントにアクセスせず、非関連アクセスポイントは、カバレッジエリアが端末を包含する少なくとも１つのアクセスポイントを含む、受信モジュールと、端末の動作チャネルに切り替わり、端末の測位測定情報を取得するよう構成された測定情報取得モジュールと、測位測定情報を測位サーバに送信するよう構成された送信モジュールとを含む。
【００３０】
第６の態様に関連して第６の態様の第１の可能な実装方式では、測位サーバにより取得される協調時間であって、協調時間が来た後に非関連アクセスポイントが端末の動作チャネルに切り替わることを可能にするのに用いられる協調時間を、測位要求メッセージがさらに含む場合、測定情報取得モジュールは具体的には、協調時間が来ると端末の動作チャネルに切り替わり、動作チャネル上で待ち受け、関連アクセスポイントにより送信された測位パケットに従って端末が動作チャネル上に測位応答パケットを送信する場合、測位応答パケットを受信し、受信した測位応答パケットに従って測位測定メッセージを生成するよう構成される。
【００３１】
第６の態様に関連して第６の態様の第２の可能な実装方式では、測定情報取得モジュールは具体的には、端末の動作チャネルに切り替わった後に、測位要求メッセージに従って測位パケットを端末に送信し、端末により送信された測位応答パケットを受信し、受信した測位応答パケットに従って測位測定メッセージを生成するよう構成される。
【００３２】
第６の態様の第２の可能な実装方式に関連して第６の態様の第３の可能な実装方式では、測定情報取得モジュールは具体的には、端末がアクセスする関連アクセスポイントの識別情報を用いることで、測位パケットを端末に送信するよう構成される。
【００３３】
第６の態様又は第６の態様の第１の可能な実装方式、第２の可能な実装方式、若しくは第３の可能な実装方式に関連して、第６の態様の第４の可能な実装方式では、送信モジュールはさらに、測定情報取得モジュールが非関連アクセスポイントを端末の動作チャネルに切り替える前に、非関連アクセスポイントと関連付けられる端末にパケット送出停止命令を送信するよう構成され、これにより、非関連アクセスポイントと関連付けられた端末は、非関連アクセスポイントへのアップリンクパケットの送信を一時的に停止する、及び／又は、非関連アクセスポイントはさらに、測定情報取得モジュールが非関連アクセスポイントを端末の動作チャネルに切り替える前に、非関連アクセスポイントに存在し、且つ送信されていないダウンリンクパケットをバッファに保留するよう構成されたバッファモジュールを含む。
【００３４】
第６の態様又は第６の態様の第１の可能な実装方式、第２の可能な実装方式、第３の可能な実装方式、若しくは第４の可能な実装方式に関連して、第６の態様の第５の可能な実装方式では、非関連アクセスポイントはさらに、測定情報取得モジュールが非関連アクセスポイントを端末の動作チャネルに切り替え、端末の測位測定情報を取得した後に、非関連アクセスポイントが端末の動作チャネルに切り替わる前に非関連アクセスポイントがとどまっていた動作チャネルに、非関連アクセスポイントを再度切り替えるよう構成されたチャネル再切り替えモジュールを含む。
【００３５】
第７の態様によると、本発明の一実施形態が端末装置の測位システムを提供し、第４の態様のいずれかの項目による測位サーバと、第５の態様のいずれかの項目による関連アクセスポイントと、第６の態様のいずれかの項目による非関連アクセスポイントとを含む。
【００３６】
前述の技術的解決手段から、本発明の実施形態には次の利点があることが分かる。
【００３７】
本発明の実施形態において、測位サーバが、測位される必要がある端末の識別子をまず取得し、端末の識別子に従って、測位サーバは端末の測位に用いられるアクセスポイントセットを取得し、アクセスポイントセットは、端末がアクセスする関連アクセスポイント及び端末がアクセスしない非関連アクセスポイントを含み、測位サーバは、アクセスポイントセットが端末と対話した後に取得される測位測定情報を取得し、測位サーバは、測位測定情報に従って端末の位置情報を取得して、端末の位置情報をアプリケーションサーバに送信する。本発明の端末測位では、測位される必要がある端末を測位サーバが取得した後に、測位サーバは、端末の測位測定を行うのに用いることができるアクセスポイントセットを端末の識別子に従って取得し、アクセスポイントセットは端末との対話を通じて端末の測位測定情報を取得する。したがって、アクセスポイントが端末のアップリンク情報をただ待ち続けることを回避でき、測位効率が改善され、各アクセスポイントへの影響が小さくなる。さらに、全ての端末と互換性がある特定のアプリケーションプログラムが、本発明の単一の端末に組み込まれる必要はない。
【図面の簡単な説明】
【００３８】
【図１】本発明の一実施形態による端末装置の測位方法の機能構成における、エンティティ間の相互関係の概略図である。
【００３９】
【図２】本発明の一実施形態による端末装置の測位方法の処理に関する概略ブロック図である。
【００４０】
【図３】本発明の一実施形態による端末装置の別の測位方法の処理に関する概略ブロック図である。
【００４１】
【図４】本発明の一実施形態による端末装置の別の測位方法の処理に関する概略ブロック図である。
【００４２】
【図５】本発明の一実施形態による端末装置の測位方法の機能構成における、エンティティ間の対話に関する概略フローチャートである。
【００４３】
【図６】本発明の一実施形態による端末装置の別の測位方法の機能構成における、エンティティ間の対話に関する概略フローチャートである。
【００４４】
【図７】本発明の一実施形態による測位サーバの構成に関する概略構造図である。
【００４５】
【図８】本発明の一実施形態による関連アクセスポイントの構成に関する概略構造図である。
【００４６】
【図９ａ】本発明の一実施形態による非関連アクセスポイントの構成に関する概略構造図である。
【００４７】
【図９ｂ】本発明の一実施形態による別の非関連アクセスポイントの構成に関する概略構造図である。
【００４８】
【図９ｃ】本発明の一実施形態による別の非関連アクセスポイントの構成に関する概略構造図である。
【００４９】
【図１０】本発明の一実施形態による端末装置の測位システムの構成に関する概略構造図である。
【００５０】
【図１１】本発明の一実施形態による別の測位サーバの構成に関する概略構造図である。
【００５１】
【図１２】本発明の一実施形態による別の関連アクセスポイントの構成に関する概略構造図である。
【００５２】
【図１３】本発明の一実施形態による別の非関連アクセスポイントの構成に関する概略構造図である。
【発明を実施するための形態】
【００５３】
本発明の実施形態が、端末装置の測位方法、測位サーバ、アクセスポイント、及びシステムを提供し、これらは、要件に従って端末を測位するのに用いられるが、端末は能動的に測定を行う必要がないので、アクセスポイントへの影響が小さい。
【００５４】
本発明の発明目的、特徴、及び利点をより明確且つより分かり易くするために、本発明の実施形態の添付図面を参照して、以下に本発明の実施形態の技術的解決手段を明確且つ十分に説明する。以下に説明される実施形態は、本発明の実施形態の全てではなく、それらの一部にすぎないことは明らかである。本発明の実施形態に基づいて当業者により取得される他の全ての実施形態は、本発明の保護範囲内に含まれることになる。
【００５５】
本発明の明細書、特許請求の範囲、及び前述の図面において、「ｉｎｃｌｕｄｅ（含む）」、「ｃｏｎｔａｉｎ（含む）」という用語及び他のあらゆる派生語は、非排他的包含に該当することを意味し、これにより、一連のユニットを含むプロセス、方法、システム、製品、又は装置は、必ずしもこれらのユニットに限定されず、明示的に記載されていない他のユニット、又はそのようなプロセス、方法、システム、製品、若しくは装置にもともと備わっていない他のユニットを含むことができる。
【００５６】
詳細な説明が、個別に以下に提供される。
【００５７】
最初に、本発明の実施形態における端末装置の測位方法の機能構成において、エンティティ間の相互関係が説明される。図１に示されるように、図１は、本発明の一実施形態による端末装置の測位方法の機能構成における、エンティティ間の相互関係の概略図である。本発明では、測位サーバが、測位サービスを提供するプラットフォームとして働き、測位サーバ上には、測位データベース及び測位処理装置を配置することができる。測位サーバは、ＷＬＡＮ内の複数のアクセスポイントに対して別々に通信接続を確立する。アクセスポイントは、外の世界と接触するための通信サービスを１つ又は複数の端末に提供することができる。図１には、端末１から端末ｎまで別々に、合計ｎ個の端末が存在することが、一例として用いられており、ここでｎは自然数である。測位サーバはさらにアプリケーションサーバに接続され、アプリケーションサーバはアプリケーションサービスを端末に提供するエンティティである。アプリケーションサーバの要求に従って、測位サーバは１つ又は複数の端末を測位する。測位サーバは、関連アクセスポイント及び非関連アクセスポイントを選択する。関連アクセスポイント及び非関連アクセスポイントは別々に、１つ又は複数の端末により報告された測位測定情報を１つ又は複数の端末から取得する。次に、関連アクセスポイント及び非関連アクセスポイントは、それぞれ取得した測位測定情報を測位サーバに送信する。測位サーバは、関連アクセスポイント及び非関連アクセスポイントにより報告された測位測定情報に従って、１つ又は複数の端末の位置情報を計算し、計算した位置情報をアプリケーションサーバにフィードバックする。前述の方式によると、アプリケーションサーバは、１つ又は複数の端末の位置情報を取得することができる。
【００５８】
本発明の端末装置の測位方法が、測位サーバ及びアクセスポイントの観点から別々に後述される。
【００５９】
最初に、本発明の端末装置の測位方法の一実施形態が説明され、本方法は無線ローカルエリアネットワークに適用することができ、具体的には、ＷＬＡＮ内の端末測位に適用することができる。図２を参照すると、本発明のこの実施形態において提供される端末装置の測位方法が、測位サーバ側の観点から最初に説明される。具体的には、本方法は以下の段階を含むことができる。
【００６０】
２０１：測位サーバが、測位される必要がある端末の識別子を取得する。
【００６１】
本発明のこの実施形態では、１つ又はいくつかの端末が、その位置情報を取得するために測位される必要がある場合、測位サーバは、測位される必要がある端末の識別子をまず取得する。複数の端末が測位される必要がある場合、測位サーバは、複数の端末のそれぞれの識別子を取得することができる。
【００６２】
本発明のいくつかの実施形態では、段階２０１で、測位される必要がある端末の識別子を測位サーバが取得することは、具体的には以下の段階を含むことができる。すなわち、アプリケーションサーバにより送信された位置取得メッセージを測位サーバにより受信する段階であり、位置取得メッセージは、位置情報がアプリケーションサーバにより取得される必要がある端末の識別子を含む。
【００６３】
本発明のこの実施形態では、測位サーバは、端末位置情報を提供するための測位サービスエンティティである。測位サーバは、アプリケーションサーバに接続されるか、又は測位サーバ及びアプリケーションサーバは、１つの物理エンティティ、すなわち１つのサーバにより実装されてよい。アプリケーションサーバにより送信された位置取得メッセージを測位サーバにより受信する段階は、機能実装の観点からは単なるメッセージ送信完了であり、測位サーバ及びアプリケーションサーバが同じ物理エンティティである場合、同じサーバ内のメッセージのやり取りであってよい。測位サーバにより実行される測位処理手順が、アプリケーションサーバによりトリガされる。例えば、端末がアプリケーションサービス要求をアプリケーションサーバに送信し、アプリケーションサーバは、アプリケーションサービスを端末に提供する。アプリケーションサーバが端末の位置情報を取得する必要がある場合、アプリケーションサーバは位置取得メッセージを測位サーバに送信する。位置情報が測位サーバにより取得される必要がある特定の端末を示すのに、端末の識別子が用いられてよい。例えば、端末のインターネットプロトコル（ＩＰ、Ｉｎｔｅｒｎｅｔ  Ｐｒｏｔｏｃｏｌ）アドレスが端末の識別子として用いられてよく、又は、端末の他の固有の情報が端末の識別子として用いられてもよく、例えば、端末の国際移動体装置識別番号（ＩＭＥＩ、Ｉｎｔｅｒｎａｔｉｏｎａｌ  Ｍｏｂｉｌｅ  Ｅｑｕｉｐｍｅｎｔ  Ｉｄｅｎｔｉｔｙ）が端末の識別子として用いられる。本発明のこの実施形態では、アプリケーションサーバが位置取得メッセージに追加する１つ又は複数の端末識別子が具体的にはワイルドカード文字であってよく、測位サーバは、位置取得メッセージからワイルドカード文字を取得した後に、どの１つ又は複数の端末が測位される必要があるかを、判定することができることに留意されたい。さらに本発明では、位置取得メッセージで搬送される端末識別子は具体的には、アプリケーションサーバ及び測位サーバにより事前に合意された文字を用いることで識別することができる。例えば、アプリケーションサーバが特定のメッセージを位置取得メッセージの固定フィールドに追加しない場合、測位サーバは、アプリケーションサーバが受け持つ全ての端末が測位される必要があると決定してよい。具体的な実装が本明細書で限定されるわけではない。
【００６４】
例えば、アプリケーションサーバは、端末の位置を取得する必要があるアプリケーションを実行する任意のサーバであってよい。端末は、サーバにより提供されるウェブページ情報を閲覧するためにアプリケーションサーバにアクセスする。アプリケーションサーバは、表示内容のフィルタリングを行うために、端末の位置を取得する必要がある。この場合、アプリケーションサーバは、位置取得要求メッセージを測位サーバに送信することができる。
【００６５】
本発明のこの実施形態において提供される測位サーバは具体的には、サービスアンカー（ＳＶＡ、Ｓｅｒｖｉｃｅ  Ａｎｃｈｏｒ）又はアクセスコントローラ（ＡＣ、Ａｃｃｅｓｓ  Ｃｏｎｔｒｏｌｌｅｒ）のうち一方で利用されてよく、又は、測位サーバ及びＳＶＡ／ＡＣは、それらの形態に、１つの機能エンティティ若しくは複数の機能エンティティを統合してもよく、これにより、本発明の測位サーバの機能実装に影響を与えることはないことに留意されたい。さらに、本発明のこの実施形態では、測位サーバ側で実行される端末装置の測位方法に従って、要求に応じた測位が実装されてよく、すなわち、測位サーバはアプリケーションサーバの要求に従って端末を測位することができ、これにより、測位によりもたらされるアクセスポイント及び端末への影響を減少させる。
【００６６】
本発明のいくつかの実施形態では、アプリケーションサーバが位置取得メッセージを測位サーバに送信する前、且つアプリケーションサーバが端末により送信されたアプリケーションサービス要求を受信した後に、アプリケーションサーバはさらに、端末に提供されるサービスのタイプ、又は端末側で保持される位置インジケータに従って、端末の位置情報が取得される必要があるかを判定することができる。端末の位置情報が取得される必要はないと、アプリケーションサーバが判定した場合、アプリケーションサーバは位置取得メッセージを測位サーバに送信する必要はなく、又は、端末の位置情報が取得される必要があると、アプリケーションサーバが判定した場合、アプリケーションサーバは位置取得メッセージを測位サーバに送信することができる。例えば、アプリケーションサーバにより端末に提供されるアプリケーションサービスが位置と関係ない場合、アプリケーションサーバは位置取得メッセージを測位サーバに送信する必要はない。
【００６７】
２０２：測位サーバは、端末の識別子に従って、端末の測位に用いられるアクセスポイントセットを取得し、アクセスポイントセットは、端末がアクセスする関連アクセスポイント及び端末がアクセスしない非関連アクセスポイントを含み、非関連アクセスポイントは、カバレッジエリアが端末を包含する少なくとも１つのアクセスポイントを含む。
【００６８】
本発明のこの実施形態では、測位サーバが、アプリケーションサーバにより送信された位置取得メッセージに従って、どの１つ又は複数の端末が測位される必要があるかを認識した後に、測位サーバは、取得した端末識別子に従って、複数のアクセスポイントからなり、端末の測位に用いられる、アクセスポイントセットを選択することができる。例えば、測位サーバが複数の端末を別々に測位する必要がある場合、測位サーバは、各端末用に１つのアクセスポイントセットを取得する必要がある。さらに本発明のこの実施形態では、測位サーバにより取得されるアクセスポイントセットは、測位サーバにより決定されてよく、又は、アクセスポイントセットは、アクセスポイントを管理するアクセスコントローラ（ＡＣ、Ａｃｃｅｓｓ  Ｃｏｎｔｒｏｌｌｅｒ）により決定されてよく、ＡＣはアクセスポイントセットを決定した後に、アクセスポイントセットを測位サーバに送信する、又は、測位サーバ及びＡＣはアクセスポイントセットを決定するために互いに交信してよい。具体的な実装方式は、応用シナリオを参照して決定されてよい。
【００６９】
端末用に測位サーバにより取得されるアクセスポイントセットは、端末がアクセスする関連アクセスポイント及び端末がアクセスしない非関連アクセスポイントを含むことができる。アクセスポイントセットに含まれる関連アクセスポイント及び非関連アクセスポイントは、測位される必要がある端末の測位測定を行うのに用いられる。本発明において、関連アクセスポイントは、測位される必要がある端末がアクセスするアクセスポイントであり、非関連アクセスポイントは、関連アクセスポイントの近隣のアクセスポイントであってよく、非関連アクセスポイントは、カバレッジエリアが測位される必要がある端末を包含することができる少なくとも１つ又は複数のアクセスポイントを含む。さらに、本発明のアクセスポイントセットに含まれる非関連アクセスポイントでは、各アクセスポイントが、測位される必要がある端末を包含することができ、又は、一部のアクセスポイントだけが、測位される必要がある端末を包含することが可能である。
【００７０】
本発明において、測位サーバは複数のアクセスポイントへの通信接続を確立することができ、測位サーバは、測位される必要がある端末の識別子に従ってアクセスポイントセットを取得し、アクセスポイントセットは、測位される必要がある端末用に選別された複数のアクセスポイントを含み、選別されたアクセスポイントは、端末の位置測定に用いられてよいことに留意されたい。選択される非関連アクセスポイントの数量、及び、どのアクセスポイントが非関連アクセスポイントとして選択されるかは、測位精度及びアクセスポイントと端末との間の信号強度に従って、測位サーバ及び／又はＡＣにより決定されてよい。例えば、非関連アクセスポイントは、端末を包含する範囲内に最大信号強度を有する２つ又はそれより多くのアクセスポイントを含むことができるが、このことが本明細書で限定されるわけではない。
【００７１】
本発明のこの実施形態では、アクセスポイントが端末を能動的に測位することはなく、代わりに、端末の測位測定を行うためのアクセスポイントが、測位サーバ及び／又はＡＣにより選択され、管理されることに留意されたい。したがって、最初のアクセスポイントが、そのカバレッジエリア内でサービスを正常に提供することができ、測位サーバ及び／又はＡＣにより選択されたアクセスポイントは、端末の測位測定に用いることができ、選択されていないアクセスポイントが最初のサービス機能を依然として担うことが保証され得る。
【００７２】
２０３：測位サーバは、アクセスポイントセットが端末と対話した後に取得される測位測定情報を取得する。
【００７３】
本発明のこの実施形態では、端末の測位測定を行うためのアクセスポイントセットを取得したとき、測位サーバは、どのアクセスポイントが端末の測位測定を行うのに必要とされるかを認識することができる。測位サーバは、端末の測位測定を実行し始めるようにアクセスポイントセットをトリガし、アクセスポイントセット内の各アクセスポイントのカバレッジエリアが、測位される必要がある端末を包含する。測位サーバは、アクセスポイントセットにより取得された端末の測位測定情報をアクセスポイントセットから取得することができ、アクセスポイントセット内の（関連アクセスポイント及び非関連アクセスポイントを含む）複数のアクセスポイントは端末の測位測定情報を取得することができ、測位サーバは、前述のアクセスポイントのそれぞれにより取得された端末の測位測定情報を取得することができる。
【００７４】
本発明のいくつかの実施形態では、段階２０３で、アクセスポイントセットが端末と対話した後に取得される測位測定情報を測位サーバが取得することは、具体的には以下の段階を含むことができる。
【００７５】
Ａ１：測位サーバは、関連アクセスポイント及び非関連アクセスポイントに並行して測位要求メッセージを別々に送信し、測位要求メッセージは端末の識別子及び協調時間を含み、協調時間は、関連アクセスポイント及び非関連アクセスポイントが、協調時間が来た後に、端末の測位測定情報を協調的な方式で取得することを可能にするのに用いられる。
【００７６】
Ａ２：測位サーバは、協調時間に従って関連アクセスポイント及び非関連アクセスポイントにより端末から取得される測位測定情報を受信する。
【００７７】
段階Ａ１から段階Ａ２の実装方式では、測位サーバは協調的な測位方式を用いることができ、関連アクセスポイント及び非関連アクセスポイントは互いに協調する。測位サーバは、関連アクセスポイント及び非関連アクセスポイントに並行して測位要求メッセージを別々に送信し、測位要求メッセージは端末の識別子及び協調時間を含み、協調時間は、アクセスポイントセット内の非関連アクセスポイントが、協調時間が来た後に、端末の動作チャネルに切り替わり、アクセスポイントセット内の関連アクセスポイントに、端末の測位測定を実行し始めるように命令することを可能にするのに用いられる。協調時間の表示に従って、関連アクセスポイント及び非関連アクセスポイントは互いに協調し始め、端末の測位測定を共同で行い、これにより、関連アクセスポイント及び非関連アクセスポイントは端末の測位測定情報を別々に取得し、測位サーバは、協調時間に従って関連アクセスポイント及び非関連アクセスポイントにより端末から取得される測位測定情報を受信する。この実装方式では、アクセスポイントセット内の全てのアクセスポイントが、端末の測位測定情報を並行して取得する必要がある。したがって、測位測定情報の取得効率が高く、測位が速く実行され、測位サーバは端末の複数の測位測定情報をより早く取得することができる。
【００７８】
本発明のいくつかの実施形態では、段階２０３で、アクセスポイントセットが端末と対話した後に取得される測位測定情報を測位サーバが取得することは、具体的には以下の段階を含むことができる。
【００７９】
Ｂ１：測位サーバは、関連アクセスポイント及び非関連アクセスポイントに別々に測位要求メッセージを送信し、測位要求メッセージは端末の識別子を含む。
【００８０】
Ｂ２：測位サーバは、関連アクセスポイントにより端末から取得された測位測定情報を受信し、非関連アクセスポイントにより端末から取得された測位測定情報を受信する。
【００８１】
段階Ｂ１から段階Ｂ２の実装方式では、測位サーバは非協調的な測位方式を用いることができ、関連アクセスポイント及び非関連アクセスポイントは独立して動作する。測位サーバは、関連アクセスポイント及び非関連アクセスポイントに測位要求メッセージを別々に送信することができ、関連アクセスポイント及び非関連アクセスポイントは端末の測位情報を独立して取得し、これにより、関連アクセスポイント及び非関連アクセスポイントは、端末の測位測定情報を別々に取得する。測位サーバは、協調時間に従って関連アクセスポイントにより端末から取得される測位測定情報と、協調時間に従って非関連アクセスポイントにより端末から取得される測位測定情報とを受信する。この実装方式は、前述の実施形態の実装方式と異なり、アクセスポイントは端末の測位測定情報を並行して取得する必要がなく、各アクセスポイントは、アクセスポイントのアイドル状態又はビジー状態に従って、端末の測位測定情報を取得することができ、これにより、アクセスポイントに対する要件はより限定の少ないものになる。
【００８２】
２０４：測位サーバは、測位測定情報に従って端末の位置情報を取得する。
【００８３】
本発明のこの実施形態では、測位サーバが同一の端末の複数の測位測定情報をアクセスポイントセットから取得した後に、測位サーバは、複数の測位測定情報を用いることで端末の位置情報を計算する。測位サーバは、アクセスポイントセット内の複数のアクセスポイントにより取得される測位測定情報を用いることで端末の位置情報を計算することができる。具体的には、段階２０４で、測位測定情報に従って端末の位置情報を測位サーバが取得することは、測位サーバが三角測量による測位アルゴリズム又は指紋による測位アルゴリズムを用いることで測位測定情報の計算を行い、端末の位置情報を取得することを含む。例えば、各アクセスポイントにより報告された測位測定情報に従って、測位サーバは複数のアクセスポイントから同一の端末への信号強度を決定することができる。アクセスポイントは同一の端末の信号強度を測位サーバに別々に報告し、測位サーバは、複数のアクセスポイントから取得された、複数のアクセスポイントから同一の端末への信号強度を用いることで、端末の位置情報を計算する。測位サーバにより用いられる測位アルゴリズムが、三角測量による測位アルゴリズムであってよく、測位サーバは、３つ又はそれより多くのアクセスポイントにより別々に報告される、同一の端末の信号強度を取得する必要があり、測位サーバは、端末の位置情報を計算することができる。さらに、本発明のこの実施形態では、測位サーバにより用いられる測位アルゴリズムは、指紋による測位アルゴリズムであってもよい。具体的には、３つのアクセスポイントから同一の端末への信号強度が最初に提供される必要があり、次に、３つの信号強度に従ってデータベースの指紋の特徴点データテーブルで検索が実行される。検索処理の間、検索されるアクセスポイントの信号強度はある範囲内にあり、各アクセスポイントについては、検索結果が複数の指紋の特徴点を含むことができる。これらの指紋の特徴点が記録され、回数が記録される。３回の検索後、３回記録される指紋の特徴点が測位点である。
【００８４】
本発明のいくつかの実施形態では、測位サーバが、段階２０４で測位測定情報に従って端末の位置情報を測位サーバにより取得した後に、アプリケーションサーバにより送信された位置取得メッセージを受信する場合、本発明において提供される端末装置の測位方法はさらに、以下の段階を含むことができる。すなわち、測位サーバにより端末の位置情報をアプリケーションサーバに送信する段階である。したがって、測位サーバは、１つ又はいくつかの端末の測位情報をアプリケーションサーバに提供することができる。
【００８５】
前述の実施形態において提供される本発明の説明から、測位サーバが、測位される必要がある端末の識別子を取得することができ、端末の識別子に従って、測位サーバは端末の測位に用いられるアクセスポイントセットを取得し、アクセスポイントセットは、端末がアクセスする関連アクセスポイント及び端末がアクセスしない非関連アクセスポイントを含み、測位サーバは、アクセスポイントセットが端末と対話した後に取得される測位測定情報を取得し、測位サーバは、測位測定情報に従って端末の位置情報を取得することが分かる。本発明の端末測位では、測位される必要がある端末を測位サーバが取得した後に、測位サーバは、端末の測位測定を行うのに用いることができるアクセスポイントセットを端末の識別子に従って取得し、アクセスポイントセットは端末との対話を通じて端末の測位測定情報を取得する。したがって、アクセスポイントが端末のアップリンク情報をただ待ち続けることを回避でき、測位効率が改善され、各アクセスポイントへの影響が小さくなる。さらに、全ての端末と互換性がある特定のアプリケーションプログラムが、本発明の単一の端末に組み込まれる必要はない。
【００８６】
前述の実施形態では、本発明による端末装置の測位方法の一実施形態が測位サーバ側の観点から説明されている。図３を参照して、本発明の一実施形態において提供される端末装置の測位方法が、関連アクセスポイント側の観点から後述される。具体的には、本方法は以下の段階を含むことができる。
【００８７】
３０１：関連アクセスポイントが測位サーバにより送信された測位要求メッセージを受信し、測位要求メッセージは測位される必要がある端末の識別子を含む。
【００８８】
関連アクセスポイントは、端末の識別子に従って測位サーバにより取得されるアクセスポイントセットに属する。
【００８９】
本発明のこの実施形態では、測位サーバは、端末位置情報を提供するための測位サービスエンティティである。測位サーバはアプリケーションサーバに接続され、測位サーバにより実行される測位処理手順がアプリケーションサーバによりトリガされる。
【００９０】
本発明のこの実施形態において提供されるアクセスポイントは、ＳＶＡ又はＡＣの一方で利用することができ、アクセスポイントは、ＳＶＡ／ＡＣを用いることで外部通信サービスを端末に提供することができることに留意されたい。各アクセスポイントは、測位サーバへの通信接続を確立することができる。測位サーバはアクセスポイントに測位要求命令を送出し、アクセスポイントは測位サーバによりトリガされると、アクセスポイントにアクセスする端末、又はアクセスポイントにアクセスしない端末の測位測定を行う。
本明細書のこの実施形態では、端末がアクセスするアクセスポイント側（すなわち、関連アクセスポイント側）の観点から、本発明の端末装置の測位方法が説明される。関連アクセスポイントは、測位される必要がある端末がアクセスし、関連アクセスポイントは、測位サーバにより取得されるアクセスポイントセット内のアクセスポイントである。
【００９１】
３０２：関連アクセスポイントは、測位要求メッセージに従って端末と対話し、端末の測位測定情報を取得する。
【００９２】
本発明のこの実施形態では、測位サーバにより送信された測位要求メッセージを受信した後に、関連アクセスポイントは、測位要求メッセージに従って、どの１つ又は複数の端末を測位サーバが測位する必要があるかを認識する。関連アクセスポイントは、測位される必要がある端末がアクセスポイントのカバレッジエリア内にあり、そのアクセスポイントにアクセスしていることを判定し、この場合、関連アクセスポイントは測位される必要がある端末と対話し、その結果、測定が端末に対して行われた後に取得される測位測定情報を取得することができる。
【００９３】
本発明のいくつかの実施形態では、測位要求メッセージがさらに、測位サーバにより取得される協調時間であって、関連アクセスポイント及びアクセスポイントセット内にある非関連アクセスポイントが、協調時間が来た後に、端末の測位測定情報を協調的な方式で取得することを可能にするのに用いられる協調時間を含む場合、この実装シナリオにおいて、関連アクセスポイントが段階３０２で測位要求メッセージに従って端末と対話して、端末の測位測定情報を取得することは、具体的には以下の段階を含むことができる。
【００９４】
Ｃ１：関連アクセスポイントは、協調時間が来た後に、測位要求メッセージに従って端末と対話して、端末の測位測定情報を取得する。
【００９５】
言い換えれば、測位サーバが、測位測定情報を取得する方式が複数のアクセスポイントの間で協調するという方式であると判定した場合、関連アクセスポイントは、測位サーバにより判定された取得機構に従う必要がある。協調時間の表示に従って、関連アクセスポイントは、端末の測位測定情報を取得するために、協調時間が来た後にだけ端末と対話することができる。
【００９６】
本発明のいくつかの実施形態では、関連アクセスポイントが前述の段階３０２において、測位要求メッセージに従って端末と対話し、端末の測位測定情報を取得することは、具体的には以下の段階を含むことができる。
【００９７】
Ｄ１：関連アクセスポイントは、測位要求メッセージに従って測位パケットを端末に送信する。
【００９８】
Ｄ２：関連アクセスポイントは、端末により送信された測位応答パケットを受信する。
【００９９】
Ｄ３：関連アクセスポイントは、受信した測位応答パケットに従って測位測定メッセージを生成する。
【０１００】
関連アクセスポイントは測位パケットを端末に送信し、端末は関連アクセスポイントに接続される。端末が、関連アクセスポイントにより送信された測位パケットを受信した後に、端末は、測位パケットに応答して、測位応答パケットを関連アクセスポイントに送信する。関連アクセスポイントは端末により送信された測位応答パケットを受信する。測位応答パケットを受信することで、関連アクセスポイントは、アクセスポイントから端末への信号強度を測定することができ、測位サーバに送信される必要がある測位測定メッセージを生成することができる。
【０１０１】
３０３：関連アクセスポイントは、測位測定情報を測位サーバに送信する。
【０１０２】
本発明のこの実施形態では、関連アクセスポイントが端末の測位測定情報を取得した後に、関連アクセスポイントは測位測定情報を測位サーバに送信し、これにより、測位サーバは測位測定情報を用いることで端末の位置情報を計算することができる。
【０１０３】
前述の実施形態において提供される本発明の説明から、まず関連アクセスポイントが測位サーバにより送信された測位要求メッセージを受信し、次に、関連アクセスポイントが測位要求メッセージに従って端末と対話して、端末の測位測定情報を取得し、最後に、関連アクセスポイントが測位測定情報を測位サーバに送信することが分かる。本発明では、関連アクセスポイントにより行われる端末測位が測位サーバによりトリガされ、関連アクセスポイントは測位される必要がある端末と能動的に対話して、端末の測位測定情報を取得する。したがって、関連アクセスポイントが端末のアップリンク情報をただ待ち続けることを回避でき、測位効率が改善され、関連アクセスポイントへの影響が小さくなる。さらに、全ての端末と互換性がある特定のアプリケーションプログラムが、本発明の単一の端末に組み込まれる必要はない。
【０１０４】
前述の実施形態では、関連アクセスポイント側の観点から、本発明による端末装置の測位方法の一実施形態が説明されている。図４を参照して、本発明の一実施形態において提供される端末装置の測位方法が、非関連アクセスポイント側の観点から後述される。具体的には、本方法は以下の段階を含むことができる。
【０１０５】
４０１：非関連アクセスポイントが測位サーバにより送信された測位要求メッセージを受信し、測位要求メッセージは測位される必要がある端末の識別子を含む。
【０１０６】
非関連アクセスポイントは、端末の識別子に従って測位サーバにより取得されるアクセスポイントセットに属し、端末は非関連アクセスポイントにアクセスせず、非関連アクセスポイントは、カバレッジエリアが端末を包含する少なくとも１つのアクセスポイントを含む。
【０１０７】
本発明のこの実施形態では、測位サーバは、端末位置情報を提供するための測位サービスエンティティである。測位サーバはアプリケーションサーバに接続され、測位サーバにより実行される測位処理手順がアプリケーションサーバによりトリガされる。
【０１０８】
本発明のこの実施形態において提供されるアクセスポイントは、ＳＶＡ又はＡＣの一方で利用することができ、アクセスポイントは、ＳＶＡ／ＡＣを用いることで外部通信サービスを端末に提供することができることに留意されたい。各アクセスポイントは、測位サーバへの通信接続を確立することができる。測位サーバはアクセスポイントに測位要求命令を送出し、アクセスポイントは測位サーバによりトリガされると、アクセスポイントにアクセスする端末、又はアクセスポイントにアクセスしない端末の測位測定を行う。
本明細書のこの実施形態では、カバレッジエリア内に端末を有するが、端末がアクセスしないアクセスポイント側（すなわち、非関連アクセスポイント側）の観点から、本発明の端末装置の測位方法が説明される。非関連アクセスポイントは、測位される必要がある端末はアクセスしないが、非関連アクセスポイントのカバレッジエリアは端末を包含し、非関連アクセスポイントは、測位サーバにより取得されるアクセスポイントセット内のアクセスポイントである。
【０１０９】
４０２：非関連アクセスポイントは、端末の動作チャネルに切り替わり、端末の測位測定情報を取得する。
【０１１０】
本発明のこの実施形態では、測位サーバにより送信された測位要求メッセージを受信した後に、非関連アクセスポイントは、測位要求メッセージに従って、測位サーバがどの１つ又は複数の端末を測位する必要があるかを認識する。非関連アクセスポイントは、測位される必要がある端末がアクセスポイントのカバレッジエリアに位置していることを認識するが、アクセスポイントの動作チャネルが端末の動作チャネルと異なっており、すなわち、異なるチャネルが存在する。この場合、測位される必要がある端末と対話するために、非関連アクセスポイントは端末の動作チャネルに切り替わる必要があり、次に、非関連アクセスポイントは端末と対話する（本発明において、非関連アクセスポイントと端末との間の対話は、本発明におけるこの対話が非関連アクセスポイントと端末との間で少なくとも１つの情報送信によって実行され得ることを意味してよい）。したがって、測定が端末に対して実行された後に取得される測位測定情報が、取得され得る。
【０１１１】
本発明のいくつかの実施形態では、測位要求メッセージがさらに、測位サーバにより取得される協調時間であって、非関連アクセスポイントが、協調時間が来た後に、端末の動作チャネルに切り替わることを可能にするのに用いられる協調時間を含む場合、この実装シナリオでは、非関連アクセスポイントが段階４０２で、端末の動作チャネルに切り替わり、端末の測位測定情報を取得することは、具体的には以下の段階を含むことができる。
【０１１２】
Ｅ１：非関連アクセスポイントは、協調時間が来ると端末の動作チャネルに切り替わり、動作チャネル上で待ち受けし、端末が、関連アクセスポイントにより送信された測位パケットに従って、動作チャネル上に測位応答パケットを送信する場合、測位応答パケットを受信する。
【０１１３】
Ｅ２：非関連アクセスポイントは、受信した測位応答パケットに従って測位測定メッセージを生成する。
【０１１４】
言い換えれば、測位測定情報を取得する方式が複数のアクセスポイントの間で協調するという方式であると、測位サーバが判定した場合、関連アクセスポイントは、測位サーバにより判定された取得機構に従う必要がある。協調時間の表示に従って、関連アクセスポイントは、協調時間が来た後にだけ測位パケットを端末に送信する。協調時間が来ると、非関連アクセスポイントは端末の動作チャネルに切り替わり、この場合、非関連アクセスポイント及び端末は同一のチャネル上にある。非関連アクセスポイントは動作チャネル上で待ち受し、端末が、関連アクセスポイントにより送信された測位パケットに従って、動作チャネル上に測位応答パケットを送信する場合、非関連アクセスポイントは動作チャネル上で測位応答パケットを受信し、これにより、非関連アクセスポイントはアクセスポイントから端末への信号強度を測定し、測位サーバに送信される必要がある測位測定メッセージを生成することができる。
【０１１５】
本発明のいくつかの実施形態では、非関連アクセスポイントが段階４０２で、端末の動作チャネルに切り替わり、端末の測位測定情報を取得することは、具体的には以下の段階を含むことができる。
【０１１６】
Ｆ１：端末の動作チャネルに切り替わった後に、非関連アクセスポイントは、測位要求メッセージに従って測位パケットを端末に送信する。
【０１１７】
Ｆ２：非関連アクセスポイントは、端末により送信された測位応答パケットを受信する。
【０１１８】
Ｆ３：非関連アクセスポイントは、受信した測位応答パケットに従って測位測定メッセージを生成する。
【０１１９】
非関連アクセスポイントは、端末の動作チャネルに切り替わった後に測位パケットを端末に送信し、端末が非関連アクセスポイントにより送信された測位パケットを受信した後に、測位パケットに応答して、端末は測位応答パケットを非関連アクセスポイントに送信し、非関連アクセスポイントは端末により送信された測位応答パケットを受信する。測位応答パケットを受信することで、非関連アクセスポイントは、アクセスポイントから端末への信号強度を測定することができ、測位サーバに送信される必要がある測位測定メッセージを生成することができる。
【０１２０】
本発明では、端末からの応答が、段階Ｆ１で非関連アクセスポイントにより端末に送信される測位パケットに必要とされることに留意されたい。単一のアクセスポイントが端末にサービスを提供するのに用いられるシナリオでは、端末は本発明において再設計されてよく、これにより、端末は非関連アクセスポイントにより送信された測位パケットに応答することができる。なぜならば、単一のアクセスポイントが端末にサービスを提供するのに用いられるシナリオでは、関連アクセスポイントにアクセスした後に、端末は関連アクセスポイントにだけ応答するからである。単一のアクセスポイントが端末にサービスを提供するのに用いられるシナリオでは、もちろん、端末が本発明において変更されなくてよく、代わりに、以下のシナリオにおいて説明される方式が用いられる。例えば、段階Ｆ１で測位要求メッセージに従って測位パケットを端末に送信することは、具体的には以下の段階を含むことができる。
【０１２１】
Ｆ１１：非関連アクセスポイントは、端末がアクセスする関連アクセスポイントの識別情報を用いることで、測位パケットを端末に送信する。
【０１２２】
単一のアクセスポイントが端末にサービスを提供するのに用いられるシナリオでは、関連アクセスポイントにアクセスした後に、端末は関連アクセスポイントにだけ応答し、非関連アクセスポイントは、関連アクセスポイントの識別情報を用いることで、測位パケットを端末に送信することができる。非関連アクセスポイントが関連アクセスポイントの識別情報を用いることは、測位パケットを端末に送信する場合、非関連アクセスポイントが関連アクセスポイントの識別子を測位パケットに追加することができることを意味し、これにより、端末がアクセスする関連アクセスポイントにより測位パケットが送信されることを、端末は関連アクセスポイントの識別子に従って確認する。この場合、端末は、関連アクセスポイントの識別子を搬送する測位パケットに直接応答し、例えば、端末はＡＣＫパケットを送信し、非関連アクセスポイントも端末により送信された測位応答パケットを受信することができる。
【０１２３】
本発明のいくつかの実施形態では、非関連アクセスポイントにより段階４０２で、端末の動作チャネルに切り替わり、端末の測位測定情報を取得する前に、本発明において提供される端末装置の測位方法はさらに、以下の段階を含むことができることに留意されたい。Ｇ１：非関連アクセスポイントが端末の動作チャネルに切り替わる前に、非関連アクセスポイントと関連付けられた端末にパケット送出停止命令を送信し、これにより、非関連アクセスポイントと関連付けられた端末は、非関連アクセスポイントへのアップリンクパケットの送信を一時的に停止する、及び／又は、Ｇ２：非関連アクセスポイントが端末の動作チャネルに切り替わる前に、非関連アクセスポイントに存在し、且つ送信されていないダウンリンクパケットをバッファに保留する。
【０１２４】
非関連アクセスポイントが動作チャネルの切り替えを行う前に、非関連アクセスポイントは、アップリンクパケットの損失を回避するために端末の機能を抑制することができ、又は、ダウンリンクパケットの損失を回避するためにパケットをバッファに保留することができる。具体的には、動作チャネルを切り替える前に、非関連アクセスポイントはまず、特定のパケット送出停止命令シグナリングを用いることで、アップリンクパケットの送信を停止するように端末を制御することができる。例えば、非関連アクセスポイントが動作チャネルの切り替えを行った後に、ネットワーク割り当てベクトル（ＮＡＶ、Ｎｅｔｗｏｒｋ  Ａｌｌｏｃａｔｉｏｎ  Ｖｅｃｔｏｒ）、８０２．１１、又はカスタマイズされた専用パケットに従って、パケット損失が回避され得る。
【０１２５】
本発明のいくつかの実施形態では、非関連アクセスポイントにより段階４０２で、端末の動作チャネルに切り替わり、端末の測位測定情報を取得した後に、本発明において提供される端末装置の測位方法はさらに、以下の段階を含むことができることに留意されたい。
【０１２６】
Ｈ１：非関連アクセスポイントは、非関連アクセスポイントが端末の動作チャネルに切り替わる前に非関連アクセスポイントがとどまっていた動作チャネルに再度切り替わる。
【０１２７】
具体的には、端末の測位測定情報を取得した後に、非関連アクセスポイントは、動作チャネルの再切り替えを直ちに行い、アクセスポイントのサービス機能を元に戻すことができる。この段階は、段階４０３と並行して行われてよく、又は、段階４０３の前に行われてもよいが、このことは本発明において限定されるものではない。
【０１２８】
４０３：非関連アクセスポイントは、測位測定情報を測位サーバに送信する。
【０１２９】
本発明のこの実施形態では、非関連アクセスポイントが端末の測位測定情報を取得した後に、非関連アクセスポイントは測位測定情報を測位サーバに送信し、これにより、測位サーバは測位測定情報を用いることで端末の位置情報を計算することができる。
【０１３０】
前述の実施形態において提供される本発明の説明から、まず非関連アクセスポイントが測位サーバにより送信された測位要求メッセージを受信し、次に、非関連アクセスポイントが端末の動作チャネルに切り替わり、端末の測位測定情報を取得し、最後に、非関連アクセスポイントが測位測定情報を測位サーバに送信することが分かる。本発明では、非関連アクセスポイントにより行われる端末測位が測位サーバによりトリガされ、非関連アクセスポイントは測位される必要がある端末と対話して、端末の測位測定情報を取得する。したがって、非関連アクセスポイントが端末のアップリンク情報をただ待ち続けることを回避でき、測位効率が改善され、非関連アクセスポイントへの影響が小さくなる。さらに、全ての端末と互換性がある特定のアプリケーションプログラムが、本発明の単一の端末に組み込まれる必要はない。
【０１３１】
本発明の実施形態における前述の解決手段のより良い理解と実装のために、具体的な説明が、対応する応用シナリオの例を用いることで以下に提供される。
【０１３２】
図５を参照すると、図５は、本発明の一実施形態による端末装置の測位方法に関する機能構成における、エンティティ間の対話の概略フローチャートである。測位サーバ、アクセスポイントセット、端末、及びアプリケーションサーバの間の対話プロセスが示されている。
【０１３３】
Ｓ０１：１つ又は複数の端末がアプリケーションサービス要求を別々に送信する。
【０１３４】
Ｓ０２：アプリケーションサーバが、端末の位置情報を取得する必要があるかを判定する。
【０１３５】
Ｓ０３：アプリケーションサーバは、位置取得メッセージを測位サーバに送信し、位置取得メッセージは、測位される必要がある端末の識別子を搬送する。
【０１３６】
Ｓ０４：測位サーバは、端末の測位に用いられるアクセスポイントセットを取得し、アクセスポイントセットは、関連アクセスポイント及び非関連アクセスポイントを含む。
【０１３７】
Ｓ０５ａ及びＳ０５ｂ：測位サーバは、測位要求メッセージをアクセスポイントセットに送信し、測位要求メッセージは、端末の識別子及び協調時間を搬送する。
【０１３８】
Ｓ０６：非関連アクセスポイントは、合意された協調時間に従って、端末の動作チャネルに切り替わり、動作チャネル切り替えの前に、非関連アクセスポイントはまず、アップリンクパケットの損失を回避するために、非関連アクセスポイントと関連付けられた端末に、アップリンクパケットの送信を停止するように命令することができる。
【０１３９】
Ｓ０７：関連アクセスポイントは、ユニキャスト又はマルチキャストのダウンリンク測位パケットを送信し、１つの端末だけが測位される必要がある場合、ユニキャストのダウンリンク測位パケットが送信され、複数の端末が測位される必要がある場合、マルチキャストのダウンリンク測位パケットが送信される必要がある。
【０１４０】
Ｓ０８：端末は測位応答パケットを返し、測位応答パケットは、確認応答（ＡＣＫ、Ａｃｋｎｏｗｌｅｄｇｅｍｅｎｔ）パケット又は専用測位ユニキャストパケットであってよく、この場合、関連アクセスポイント及び非関連アクセスポイントの両方が、端末の動作チャネル上で測位応答パケットを受信することができる。
【０１４１】
Ｓ０９：非関連アクセスポイントは、チャネルの再切り替えを行う。
【０１４２】
Ｓ１０：関連アクセスポイントは、測位測定情報を報告する。
【０１４３】
Ｓ１１：非関連アクセスポイントは、測位測定情報を報告する。
【０１４４】
Ｓ１２：測位サーバは、アクセスポイントセットにより報告された測位測定情報に従って、端末の位置情報を計算する。
【０１４５】
Ｓ１３：測位サーバは、端末の位置情報をアプリケーションサーバに返す。
【０１４６】
前述の例の説明から、本発明において測位精度が保証される場合、システムのサービス性能が改善されることが分かる。例えば、非関連アクセスポイントのスループット率が改善され、非関連アクセスポイントのパケット損失率が減少し、非関連アクセスポイントの動作チャネル切り替えにより生じる遅延が減少する。さらに、従来技術と比較すると、本発明は、測位が要求に応じて行われ得るという改善点を有する。アプリケーションサーバの要求に従って端末が測位され、サービスに対する測位の影響を低減する。端末用の最適なアクセスポイントセットが、ネットワーク側の情報（例えば、端末からアクセスポイントＡＰへの信号強度）に従って取得され、測位に用いられるアクセスポイントセットとして働く。複数のアクセスポイントが、協調的な方式で能動的に測位を行う。協調時間が来ると、関連アクセスポイントは測位パケットを端末に送信し、測位用の別のアクセスポイントが、協調時間に従って端末の動作チャネルに切り替わり、端末の測位応答パケットを受信する。関連アクセスポイントにより端末に送信される測位パケットは、共通データパケット又は専用パケットであってよく、ユニキャストパケット又はマルチキャストパケットであってよい。
【０１４７】
図６を参照すると、図６は、本発明の一実施形態による端末装置の別の測位方法に関する機能構成における、エンティティ間の対話の概略フローチャートである。測位サーバ、アクセスポイントセット、端末、及びアプリケーションサーバの間の対話プロセスが示されている。
【０１４８】
Ｐ０１：１つ又は複数の端末がアプリケーションサービス要求を別々に送信する。
【０１４９】
Ｐ０２：アプリケーションサーバが、端末の位置情報を取得する必要があるかを判定する。
【０１５０】
Ｐ０３：アプリケーションサーバは、位置取得メッセージを測位サーバに送信し、位置取得メッセージは、測位される必要がある端末の識別子を搬送する。
【０１５１】
Ｐ０４：測位サーバは、端末の測位に用いられるアクセスポイントセットを取得し、アクセスポイントセットは、関連アクセスポイント及び非関連アクセスポイントを含む。
【０１５２】
Ｐ０５：測位サーバは、アクセスポイントセット内の関連アクセスポイントに測位要求メッセージを送信し、測位要求メッセージは端末の識別子を搬送する。
【０１５３】
Ｐ０６：関連アクセスポイントは、ユニキャスト又はマルチキャストのダウンリンク測位パケットを送信し、１つの端末だけが測位される必要がある場合、ユニキャストのダウンリンク測位パケットが送信され、複数の端末が測位される必要がある場合、マルチキャストのダウンリンク測位パケットが送信される。
【０１５４】
Ｐ０７：端末は測位応答パケットを返し、測位応答パケットは、ＡＣＫパケット又は専用測位ユニキャストパケットであってよく、この場合、関連アクセスポイントは測位応答パケットを受信することができる。
【０１５５】
Ｐ０８：関連アクセスポイントは、測位測定情報を報告する。
【０１５６】
Ｐ０９：測位サーバは、アクセスポイントセット内の非関連アクセスポイントに測位要求メッセージを送信し、測位要求メッセージは端末の識別子を搬送する。
【０１５７】
Ｐ１０：非関連アクセスポイントは端末の動作チャネルに切り替わり、動作チャネル切り替えの前に、非関連アクセスポイントはまず、アップリンクパケットの損失を回避するために、非関連アクセスポイントと関連付けられた端末に、アップリンクパケットの送信を停止するように命令することができる。
【０１５８】
Ｐ１１：非関連アクセスポイントは、端末による関連アクセスポイントの識別情報を用いることで、ユニキャストのダウンリンク測位パケットを送信する。
【０１５９】
Ｐ１２：端末は測位応答パケットを返し、測位応答パケットは、ＡＣＫパケット又は専用測位ユニキャストパケットであってよく、この場合、非関連アクセスポイントは測位応答パケットを受信することができる。
【０１６０】
Ｐ１３：非関連アクセスポイントは、チャネルの再切り替えを行う。
【０１６１】
Ｐ１４：非関連アクセスポイントは、測位測定情報を報告する。
【０１６２】
Ｐ１５：測位サーバは、アクセスポイントセットにより報告された測位測定情報に従って、端末の位置情報を計算する。
【０１６３】
Ｐ１６：測位サーバは、端末の位置情報をアプリケーションサーバに返す。
【０１６４】
前述の例の説明から、本発明において測位精度が保証される場合、システムのサービス性能が改善されることが分かる。例えば、非関連アクセスポイントのスループット率が改善され、非関連アクセスポイントのパケット損失率が減少し、非関連アクセスポイントの動作チャネル切り替えにより生じる遅延が減少する。さらに、従来技術と比較すると、本発明は、測位が要求に応じて行われ得るという改善点を有する。アプリケーションサーバの要求に従って端末が測位され、サービスに対する測位の影響を低減する。端末用の最適なアクセスポイントセットが、ネットワーク側の情報（例えば、端末からアクセスポイントＡＰへの信号強度）に従って取得され、測位に用いられるアクセスポイントセットとして働く。複数のアクセスポイントが、非協調的な方式で能動的に測位を行う。非関連アクセスポイントが端末の動作チャネルに切り替わり、関連アクセスポイント及び非関連アクセスポイントが測位パケットを別々に端末に送信し、端末の応答パケットを受信する。複数のアクセスポイントにより端末に送信される測位パケットは、共通データパケット又は専用パケットであってよく、ユニキャストパケット又はマルチキャストパケットであってよい。非関連アクセスポイントは、関連アクセスポイントの識別情報を用いることで、測位パケットを端末に送信することができる。
【０１６５】
簡潔な説明を目的に、前述の方法の実施形態は一連の動作の組み合わせとして説明されていることに留意されたい。しかし、本発明によると、段階によっては別の順序で実行されてよく、又は並行して実行されてよいので、当業者は、説明された動作の順序に本発明が限定されないことを認識すべきである。さらに当業者は、本明細書で説明される全ての実施形態が例示的な実施形態であり、関連する動作及びモジュールが必ずしも本発明に必須であるとは限らないことも認識すべきである。
【０１６６】
本発明の実施形態の前述の解決手段をより適切に実行するために、前述の解決手段を実行するのに用いられる関連装置が以下にさらに提供される。
【０１６７】
図７を参照すると、本発明のこの実施形態において提供される測位サーバ７００が、測位決定モジュール７０１と、アクセスポイント取得モジュール７０２と、測定情報取得モジュール７０３と、位置情報取得モジュール７０４とを含むことができる。
【０１６８】
測位決定モジュール７０１は、測位される必要がある端末の識別子を取得するよう構成される。
【０１６９】
アクセスポイント取得モジュール７０２は、端末の識別子に従って、端末の測位に用いられるアクセスポイントセットを取得するよう構成され、アクセスポイントセットは、端末がアクセスする関連アクセスポイント及び端末がアクセスしない非関連アクセスポイントを含み、非関連アクセスポイントは、カバレッジエリアが端末を包含する少なくとも１つのアクセスポイントを含む。
【０１７０】
測定情報取得モジュール７０３は、アクセスポイントセットが端末と対話した後に取得される測位測定情報を取得するよう構成される。
【０１７１】
位置情報取得モジュール７０４は、測位測定情報に従って端末の位置情報を取得し、端末の位置情報をアプリケーションサーバに送信するよう構成される。
【０１７２】
本発明のいくつかの実施形態では、測定情報取得モジュール７０３は具体的には、関連アクセスポイント及び非関連アクセスポイントに並行して測位要求メッセージを別々に送信し、測位要求メッセージは、端末の識別子及び協調時間を含み、協調時間は、関連アクセスポイント及び非関連アクセスポイントが、協調時間が来た後に、端末の測位測定情報を協調的な方式で取得することを可能にするのに用いられ、協調時間に従って関連アクセスポイント及び非関連アクセスポイントにより端末から取得される測位測定情報を受信するよう構成される。
【０１７３】
本発明のいくつかの実施形態では、測定情報取得モジュール７０３は具体的には、関連アクセスポイント及び非関連アクセスポイントに、端末の識別子を含む測位要求メッセージを別々に送信し、関連アクセスポイントにより端末から取得された測位測定情報を受信し、非関連アクセスポイントにより端末から取得された測位測定情報を受信するよう構成される。
【０１７４】
本発明のいくつかの実施形態では、測位決定モジュール７０１は具体的には、アプリケーションサーバにより送信された位置取得メッセージを受信するよう構成され、位置取得メッセージは、位置情報がアプリケーションサーバにより取得される必要がある端末の識別子を含む。
【０１７５】
位置情報取得モジュール７０４はさらに、端末の位置情報をアプリケーションサーバに送信するよう構成される。
【０１７６】
本発明のいくつかの実施形態では、位置情報取得モジュール７０４は具体的には、三角測量による測位アルゴリズム又は指紋による測位アルゴリズムを用いることで、測位測定情報の計算を行い、端末の位置情報を取得するよう構成される。
【０１７７】
前述の実施形態において提供される本発明の説明から、測位サーバが、測位される必要がある端末の識別子を取得し、端末の識別子に従って、測位サーバは端末の測位に用いられるアクセスポイントセットを取得し、アクセスポイントセットは、端末がアクセスする関連アクセスポイント及び端末がアクセスしない非関連アクセスポイントを含み、測位サーバは、アクセスポイントセットが端末と対話した後に取得される測位測定情報を取得し、測位サーバは、測位測定情報に従って端末の位置情報を取得して、端末の位置情報をアプリケーションサーバに送信することが分かる。本発明の端末測位では、測位される必要がある端末を測位サーバが取得した後に、測位サーバは、端末の測位測定を行うのに用いることができるアクセスポイントセットを端末の識別子に従って取得し、アクセスポイントセットは端末との対話を通じて端末の測位測定情報を取得する。したがって、アクセスポイントが端末のアップリンク情報をただ待ち続けることを回避でき、測位効率が改善され、各アクセスポイントへの影響が小さくなる。さらに、全ての端末と互換性がある特定のアプリケーションプログラムが、本発明の単一の端末に組み込まれる必要はない。
【０１７８】
図８を参照すると、図８は、本発明の一実施形態によるアクセスポイントである。アクセスポイントは具体的には、測位される必要がある端末がアクセスする関連アクセスポイントである。関連アクセスポイント８００は、受信モジュール８０１と、測定情報取得モジュール８０２と、送信モジュール８０３とを含むことができる。
【０１７９】
受信モジュール８０１は、測位サーバにより送信された測位要求メッセージを受信するよう構成され、測位要求メッセージは、測位される必要がある端末の識別子を含み、関連アクセスポイントは、端末の識別子に従って測位サーバにより取得されるアクセスポイントセットに属する。
【０１８０】
測定情報取得モジュール８０２は、測位要求メッセージに従って端末と対話し、端末の測位測定情報を取得するよう構成される。
【０１８１】
送信モジュール８０３は、測位測定情報を測位サーバに送信するよう構成される。
【０１８２】
本発明のいくつかの実施形態では、測位サーバにより取得される協調時間であって、関連アクセスポイント及びアクセスポイントセットに存在する非関連アクセスポイントが、協調時間が来た後に、端末の測位測定情報を協調的な方式で取得することを可能にするのに用いられる協調時間を、測位要求メッセージがさらに含む場合、測定情報取得モジュール８０２は具体的には、協調時間が来た後に、測位要求メッセージに従って端末と対話して、端末の測位測定情報を取得するよう構成される。
【０１８３】
本発明のいくつかの実施形態では、測定情報取得モジュール８０２は具体的には、測位要求メッセージに従って測位パケットを端末に送信し、端末により送信された測位応答パケットを受信し、受信した測位応答パケットに従って測位測定メッセージを生成するよう構成される。
【０１８４】
前述の実施形態において提供される本発明の説明から、まず関連アクセスポイントが測位サーバにより送信された測位要求メッセージを受信し、次に、関連アクセスポイントが測位要求メッセージに従って端末と対話して、端末の測位測定情報を取得し、最後に、関連アクセスポイントが測位測定情報を測位サーバに送信することが分かる。本発明では、関連アクセスポイントにより行われる端末測位が測位サーバによりトリガされ、関連アクセスポイントは測位される必要がある端末と能動的に対話して、端末の測位測定情報を取得する。したがって、関連アクセスポイントが端末のアップリンク情報をただ待ち続けることを回避でき、測位効率が改善され、関連アクセスポイントへの影響が小さくなる。さらに、全ての端末と互換性がある特定のアプリケーションプログラムが、本発明の単一の端末に組み込まれる必要はない。
【０１８５】
図９ａを参照すると、図９ａは、本発明の一実施形態によるアクセスポイントである。アクセスポイントは具体的には、測位される必要がある端末がアクセスしない非関連アクセスポイント９００である。非関連アクセスポイント９００は、カバレッジエリアが端末を包含する少なくとも１つのアクセスポイントを含む。非関連アクセスポイント９００は、受信モジュール９０１と、測定情報取得モジュール９０２と、送信モジュール９０３とを含むことができる。
【０１８６】
受信モジュール９０１は、測位サーバにより送信された測位要求メッセージを受信するよう構成され、測位要求メッセージは、測位される必要がある端末の識別子を含み、非関連アクセスポイントは、端末の識別子に従って測位サーバにより取得されるアクセスポイントセットに属し、端末は非関連アクセスポイントにアクセスせず、非関連アクセスポイントは、カバレッジエリアが端末を包含する少なくとも１つのアクセスポイントを含む。
【０１８７】
測定情報取得モジュール９０２は、端末の動作チャネルに切り替わり、端末の測位測定情報を取得するよう構成される。
【０１８８】
送信モジュール９０３は、測位測定情報を測位サーバに送信するよう構成される。
【０１８９】
本発明のいくつかの実施形態では、測位サーバにより取得される協調時間であって、協調時間が来た後に非関連アクセスポイントが端末の動作チャネルに切り替わることを可能にするのに用いられる協調時間を、測位要求メッセージがさらに含む場合、測定情報取得モジュール９０２は具体的には、協調時間が来ると端末の動作チャネルに切り替わり、動作チャネル上で待ち受け、関連アクセスポイントにより送信された測位パケットに従って端末が動作チャネル上に測位応答パケットを送信する場合、測位応答パケットを受信し、受信した測位応答パケットに従って測位測定メッセージを生成するよう構成される。
【０１９０】
本発明のいくつかの実施形態では、測定情報取得モジュール９０２は具体的には、端末の動作チャネルに切り替わった後に、測位要求メッセージに従って測位パケットを端末に送信し、端末により送信された測位応答パケットを受信し、受信した測位応答パケットに従って測位測定メッセージを生成するよう構成される。
【０１９１】
本発明のいくつかの実施形態では、測定情報取得モジュール９０２は具体的には、端末がアクセスする関連アクセスポイントの識別情報を用いることで、測位パケットを端末に送信するよう構成される。
【０１９２】
本発明のいくつかの実施形態では、送信モジュール９０３はさらに、測定情報取得モジュール９０２が非関連アクセスポイントを端末の動作チャネルに切り替えて、端末の測位測定情報を取得する前に、非関連アクセスポイントと関連付けられた端末にパケット送出停止命令を、非関連アクセスポイントが端末の動作チャネルに切り替わる前に送信するよう構成され、これにより、非関連アクセスポイントと関連付けられた端末は、非関連アクセスポイントへのアップリンクパケットの送信を一時的に停止する、及び／又は、図９ｂを参照すると、非関連アクセスポイント９００はさらに、測定情報取得モジュール９０２が非関連アクセスポイントを端末の動作チャネルに切り替えて、端末の測位測定情報を取得する前に、非関連アクセスポイントに存在し、且つ送信されていないダウンリンクパケットを、非関連アクセスポイントが端末の動作チャネルに切り替わる前にバッファに保留するよう構成されたバッファモジュール９０４を含む。
【０１９３】
本発明のいくつかの実施形態では、図９ｃを参照すると、非関連アクセスポイント９００はさらに、測定情報取得モジュール９０３が非関連アクセスポイントを端末の動作チャネルに切り替えて、端末の測位測定情報を取得した後に、非関連アクセスポイントが端末の動作チャネルに切り替わる前に非関連アクセスポイントがとどまっていた動作チャネルに、非関連アクセスポイントを再度切り替えるよう構成されたチャネル再切り替えモジュール９０５を含む。
【０１９４】
前述の実施形態において提供される本発明の説明から、まず非関連アクセスポイントが測位サーバにより送信された測位要求メッセージを受信し、次に、非関連アクセスポイントが端末の動作チャネルに切り替わり、端末の測位測定情報を取得し、最後に、非関連アクセスポイントが測位測定情報を測位サーバに送信することが分かる。本発明では、非関連アクセスポイントにより行われる端末測位が測位サーバによりトリガされ、非関連アクセスポイントは測位される必要がある端末と対話して、端末の測位測定情報を取得する。したがって、非関連アクセスポイントが端末のアップリンク情報をただ待ち続けることを回避でき、測位効率が改善され、非関連アクセスポイントへの影響が小さくなる。さらに、全ての端末と互換性がある特定のアプリケーションプログラムが、本発明の単一の端末に組み込まれる必要はない。
【０１９５】
図１０を参照すると、本発明の一実施形態において提供される端末装置の測位システム１０００が、図７のいずれかの項目による測位サーバ７００と、図８のいずれかの項目による関連アクセスポイント８００と、図９ａ、図９ｂ、及び図９ｃのいずれか１つによる非関連アクセスポイント９００とを含むことができる。
【０１９６】
前述の実施形態において提供される本発明の説明から、測位サーバが、測位される必要がある端末の識別子を取得し、端末の識別子に従って、測位サーバは端末の測位に用いられるアクセスポイントセットを取得し、アクセスポイントセットは、端末がアクセスする関連アクセスポイント及び端末がアクセスしない非関連アクセスポイントを含み、測位サーバは、アクセスポイントセットが端末と対話した後に取得される測位測定情報を取得し、測位サーバは、測位測定情報に従って端末の位置情報を取得して、端末の位置情報をアプリケーションサーバに送信することが分かる。本発明の端末測位では、測位される必要がある端末を測位サーバが取得した後に、測位サーバは、端末の測位測定を行うのに用いることができるアクセスポイントセットを端末の識別子に従って取得し、アクセスポイントセットは端末との対話を通じて端末の測位測定情報を取得する。したがって、アクセスポイントが端末のアップリンク情報をただ待ち続けることを回避でき、測位効率が改善され、各アクセスポイントへの影響が小さくなる。さらに、全ての端末と互換性がある特定のアプリケーションプログラムが、本発明の単一の端末に組み込まれる必要はない。
【０１９７】
前述の装置及び実行プロセスのモジュール／ユニット間の対話などの内容は、本発明の方法の実施形態と同じ考えに基づいており、本発明の方法の実施形態のものと同じ技術的効果を実現することに留意されたい。具体的な内容については、前述の本発明の方法の実施形態に関する説明を参照することができるので、詳細はここで再度説明されない。
【０１９８】
本発明の一実施形態がさらにコンピュータ記憶媒体を提供し、コンピュータ記憶媒体は、内部に格納されたプログラムを有することができ、プログラムの実行は、前述の方法の実施形態で説明された段階の一部又は全てを含む。
【０１９９】
次に、本発明の一実施形態において提供される別の測位サーバが説明される。図１１を参照すると、測位サーバ１１００が、入力装置１１０１と、出力装置１１０２と、プロセッサ１１０３と、メモリ１１０４とを含み（測位サーバ１１００は１つ又は複数のプロセッサ１１０３を含むことができ、１つのプロセッサが図１１に一例として用いられている）、本発明のいくつかの実施形態では、入力装置１１０１と、出力装置１１０２と、プロセッサ１１０３と、メモリ１１０４とが、バスを用いることで、又は別の方式で接続されてよく、バスを用いることによる接続が図１１に一例として用いられている。
【０２００】
プロセッサ１１０３は以下の段階を実行するよう構成される。すなわち、測位される必要がある端末の識別子を取得する段階と、端末の識別子に従って、端末の測位に用いられるアクセスポイントセットを取得する段階であって、アクセスポイントセットは端末がアクセスする関連アクセスポイント及び端末がアクセスしない非関連アクセスポイントを含み、非関連アクセスポイントは、カバレッジエリアが端末を包含する少なくとも１つのアクセスポイントを含む、段階と、アクセスポイントセットが端末と対話した後に取得される測位測定情報を取得する段階と、測位測定情報に従って端末の位置情報を取得して、端末の位置情報をアプリケーションサーバに送信する段階とである。
【０２０１】
本発明のいくつかの実施形態では、プロセッサ１１０３は具体的には、以下の段階を実行するよう構成される。すなわち、関連アクセスポイント及び非関連アクセスポイントに並行して測位要求メッセージを別々に送信する段階であって、測位要求メッセージは端末の識別子及び協調時間を含み、協調時間は、関連アクセスポイント及び非関連アクセスポイントが、協調時間が来た後に端末の測位測定情報を協調的な方式で取得することを可能にするのに用いられる、段階と、協調時間に従って関連アクセスポイント及び非関連アクセスポイントにより端末から取得される測位測定情報を受信する段階とである。
【０２０２】
本発明のいくつかの実施形態では、プロセッサ１１０３は具体的には、以下の段階を実行するよう構成される。すなわち、関連アクセスポイント及び非関連アクセスポイントに別々に測位要求メッセージを送信する段階であって、測位要求メッセージは端末の識別子を含む、段階と、関連アクセスポイントにより端末から取得された測位測定情報を受信し、非関連アクセスポイントにより端末から取得された測位測定情報を受信する段階とである。
【０２０３】
本発明のいくつかの実施形態では、プロセッサ１１０３は具体的には、以下の段階を実行するよう構成される。すなわち、アプリケーションサーバにより送信された位置取得メッセージを受信する段階であって、位置取得メッセージは、位置情報がアプリケーションサーバにより取得される必要がある端末の識別子を含む、段階である。測位測定情報に従って端末の位置情報を取得した後に、プロセッサ１１０３はさらに、以下の段階を実行するよう構成される。すなわち、端末の位置情報をアプリケーションサーバに送信する段階である。
【０２０４】
本発明のいくつかの実施形態では、プロセッサ１１０３は具体的には、以下の段階を実行するよう構成される。すなわち、三角測量による測位アルゴリズム又は指紋による測位アルゴリズムを用いることで、測位測定情報の計算を行い、端末の位置情報を取得する段階である。
【０２０５】
前述の実施形態において提供される本発明の説明から、測位サーバが、測位される必要がある端末の識別子を取得することができ、端末の識別子に従って、測位サーバは端末の測位に用いられるアクセスポイントセットを取得し、アクセスポイントセットは、端末がアクセスする関連アクセスポイント及び端末がアクセスしない非関連アクセスポイントを含み、測位サーバは、アクセスポイントセットが端末と対話した後に取得される測位測定情報を取得し、測位サーバは、測位測定情報に従って端末の位置情報を取得することが分かる。本発明の端末測位では、測位される必要がある端末を測位サーバが取得した後に、測位サーバは、端末の測位測定を行うのに用いることができるアクセスポイントセットを端末の識別子に従って取得し、アクセスポイントセットは端末との対話を通じて端末の測位測定情報を取得する。したがって、アクセスポイントが端末のアップリンク情報をただ待ち続けることを回避でき、測位効率が改善され、各アクセスポイントへの影響が小さくなる。さらに、全ての端末と互換性がある特定のアプリケーションプログラムが、本発明の単一の端末に組み込まれる必要はない。
【０２０６】
次に、本発明の一実施形態において提供される別の関連アクセスポイントが説明される。図１２を参照すると、関連アクセスポイント１２００は、入力装置１２０１と、出力装置１２０２と、プロセッサ１２０３と、メモリ１２０４とを含み（関連アクセスポイント１２００は１つ又は複数のプロセッサ１２０３を含むことができ、１つのプロセッサが図１２に一例として用いられている）、本発明のいくつかの実施形態では、入力装置１２０１と、出力装置１２０２と、プロセッサ１２０３と、メモリ１２０４とが、バスを用いることで、又は別の方式で接続されてよく、バスを用いることによる接続が図１２に一例として用いられている。
【０２０７】
プロセッサ１２０３は以下の段階を実行するよう構成される。すなわち、測位サーバにより送信された測位要求メッセージを受信する段階であって、測位要求メッセージは、測位される必要がある端末の識別子を含み、関連アクセスポイントは、端末の識別子に従って測位サーバにより取得されるアクセスポイントセットに属する、段階と、測位要求メッセージに従って端末と対話して、端末の測位測定情報を取得する段階と、測位測定情報を測位サーバに送信する段階とである。
【０２０８】
本発明のいくつかの実施形態では、プロセッサ１２０３は具体的には、以下の段階を実行するよう構成される。すなわち、測位サーバにより取得される協調時間であって、関連アクセスポイント及びアクセスポイントセットに存在する非関連アクセスポイントが、協調時間が来た後に、端末の測位測定情報を協調的な方式で取得することを可能にするのに用いられる協調時間を、測位要求メッセージがさらに含む場合、協調時間が来た後に、測位要求メッセージに従って端末と対話して、端末の測位測定情報を取得する段階である。
【０２０９】
本発明のいくつかの実施形態では、プロセッサ１２０３は具体的には、以下の段階を実行するよう構成される、すなわち、測位要求メッセージに従って測位パケットを端末に送信する段階と、端末により送信された測位応答パケットを受信する段階と、受信した測位応答パケットに従って測位測定メッセージを生成する段階とである。
【０２１０】
前述の実施形態において提供される本発明の説明から、まず関連アクセスポイントが測位サーバにより送信された測位要求メッセージを受信し、次に、関連アクセスポイントが測位要求メッセージに従って端末と対話して、端末の測位測定情報を取得し、最後に、関連アクセスポイントが測位測定情報を測位サーバに送信することが分かる。本発明では、関連アクセスポイントにより行われる端末測位が測位サーバによりトリガされ、関連アクセスポイントは測位される必要がある端末と能動的に対話して、端末の測位測定情報を取得する。したがって、関連アクセスポイントが端末のアップリンク情報をただ待ち続けることを回避でき、測位効率が改善され、関連アクセスポイントへの影響が小さくなる。さらに、全ての端末と互換性がある特定のアプリケーションプログラムが、本発明の単一の端末に組み込まれる必要はない。
【０２１１】
次に、本発明の一実施形態において提供される別の非関連アクセスポイントが説明される。図１３を参照すると、非関連アクセスポイント１３００が、入力装置１３０１と、出力装置１３０２と、プロセッサ１３０３と、メモリ１３０４とを含み（非関連アクセスポイント１３００は１つ又は複数のプロセッサ１３０３を含むことができ、１つのプロセッサが図１３に一例として用いられている）、本発明のいくつかの実施形態では、入力装置１３０１と、出力装置１３０２と、プロセッサ１３０３と、メモリ１３０４とが、バスを用いることで、又は別の方式で接続されてよく、バスを用いることによる接続が図１３に一例として用いられている。
【０２１２】
プロセッサ１３０３は以下の段階を実行するよう構成される。すなわち、測位サーバにより送信された測位要求メッセージを受信する段階であって、測位要求メッセージは、測位される必要がある端末の識別子を含み、非関連アクセスポイントは、端末の識別子に従って測位サーバにより取得されるアクセスポイントセットに属し、端末は非関連アクセスポイントにアクセスせず、非関連アクセスポイントは、カバレッジエリアが端末を包含する少なくとも１つのアクセスポイントを含む、段階と、端末の動作チャネルに切り替わり、端末の測位測定情報を取得する段階と、測位測定情報を測位サーバに送信する段階とである。
【０２１３】
本発明のいくつかの実施形態では、プロセッサ１３０３は具体的には、以下の段階を実行するよう構成される。すなわち、測位サーバにより取得される協調時間であって、協調時間が来た後に非関連アクセスポイントが端末の動作チャネルに切り替わることを可能にするのに用いられる協調時間を、測位要求メッセージがさらに含む場合、協調時間が来ると端末の動作チャネルに切り替わり、動作チャネル上で待ち受け、関連アクセスポイントにより送信された測位パケットに従って端末が動作チャネル上に測位応答パケットを送信する場合、測位応答パケットを受信する、段階と、受信した測位応答パケットに従って測位測定メッセージを生成する段階とである。
【０２１４】
本発明のいくつかの実施形態では、プロセッサ１３０３は具体的には、以下の段階を実行するよう構成される。すなわち、端末の動作チャネルに切り替わった後に、測位要求メッセージに従って測位パケットを送信する段階と、端末により送信された測位応答パケットを受信する段階と、受信した測位応答パケットに従って測位測定メッセージを生成する段階とである。
【０２１５】
本発明のいくつかの実施形態では、プロセッサ１３０３は具体的には、以下の段階を実行するよう構成される。すなわち、端末がアクセスする関連アクセスポイントの識別情報を用いることで、測位パケットを端末に送信する段階である。
【０２１６】
本発明のいくつかの実施形態では、プロセッサ１３０３はさらに、以下の段階を実行するよう構成される。すなわち、端末の動作チャネルに切り替わり、端末の測位測定情報を取得する段階の前に、非関連アクセスポイントと関連付けられた端末にパケット送出停止命令を、非関連アクセスポイントが端末の動作チャネルに切り替わる前に送信する段階であって、これにより、非関連アクセスポイントと関連付けられた端末は、非関連アクセスポイントへのアップリンクパケットの送信を一時的に停止する、段階、及び／又は、非関連アクセスポイントが端末の動作チャネルに切り替わる前に、非関連アクセスポイントに存在し、且つ送信されていないダウンリンクパケットをバッファに保留する段階である。
【０２１７】
本発明のいくつかの実施形態において、プロセッサ１３０３はさらに、以下の段階を実行するよう構成される。すなわち、端末の動作チャネルに切り替わり、端末の測位測定情報を取得した後に、非関連アクセスポイントが端末の動作チャネルに切り替わる前に非関連アクセスポイントがとどまっていた動作チャネルに、再度切り替わる段階である。
【０２１８】
前述の実施形態において提供される本発明の説明から、まず非関連アクセスポイントが測位サーバにより送信された測位要求メッセージを受信し、次に、非関連アクセスポイントが端末の動作チャネルに切り替わり、端末の測位測定情報を取得し、最後に、非関連アクセスポイントが測位測定情報を測位サーバに送信することが分かる。本発明では、非関連アクセスポイントにより行われる端末測位が測位サーバによりトリガされ、非関連アクセスポイントは測位される必要がある端末と対話して、端末の測位測定情報を取得する。したがって、非関連アクセスポイントが端末のアップリンク情報をただ待ち続けることを回避でき、測位効率が改善され、非関連アクセスポイントへの影響が小さくなる。さらに、全ての端末と互換性がある特定のアプリケーションプログラムが、本発明の単一の端末に組み込まれる必要はない。
【０２１９】
さらに、説明された装置の実施形態は、単なる例示にすぎないことに留意されたい。別個の部分として説明されたユニットは、物理的に離れていてもいなくてもよく、ユニットとして表示された部分は、物理的なユニットであってもなくてもよく、１か所に位置しても、複数のネットワークユニットに分散してもよい。複数のモジュールの一部又は全てが、実施形態の解決手段の目的を実現するために、実際の必要性に従って選択されてよい。さらに、本発明において提供される装置の実施形態に関する添付図面では、モジュール間の接続関係が、モジュールが互いに通信接続を有することを示し、これらの通信接続は具体的には、１つ又は複数の通信バス又は信号ケーブルとして実装されてよい。当業者は、創造的努力をすることなく、本発明の実施形態を理解して実行することができる。
【０２２０】
前述の実装方式の説明に基づいて、本発明が、必要な汎用ハードウェアに加えてソフトウェアにより、又は、専用集積回路、専用ＣＰＵ、専用メモリ、専用コンポーネントなどを含む専用ハードウェアにより実装されてよいことを、当業者は明確に理解できる。概して、コンピュータプログラムにより実行され得るあらゆる機能が、対応するハードウェアを用いることで容易に実装することができる。さらに、同じ機能を実現するのに用いられる特定のハードウェア構造が、例えば、アナログ回路、デジタル回路、専用回路の形態など、様々な形態であってよい。しかし、本発明に関しては、ソフトウェアプログラム実装が、ほとんどの場合、より好ましい実装方式である。そのような理解に基づいて、従来技術に対して本質的に又は部分的に寄与する本発明の技術的解決手段が、ソフトウェア製品の形態で実装されてよい。ソフトウェア製品は、コンピュータのフロッピー（登録商標）ディスク、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、又は光ディスクなどの可読記憶媒体に格納されており、本発明の実施形態で説明された方法を実行するようにコンピュータ装置（これは、パーソナルコンピュータ、サーバ、ネットワーク装置などであってよい）に命令するためのいくつかの命令を含む。
【０２２１】
前述の実施形態は、単に本発明の技術的解決手段を説明することを意図するものであり、本発明を限定する意図はない。本発明は前述の実施形態を参照して詳細に説明されているが、当業者は、自分らが依然として、本発明の実施形態の技術的解決手段の精神及び範囲から逸脱することなく、前述の実施形態で説明された技術的解決手段に変更を行う、又はその一部の技術的特徴に対して均等な置き換えを行うことができることを理解すべきである。
【図１】
2018521300.tif 000003
【図２】
2018521300.tif 000004
【図３】
2018521300.tif 000005
【図４】
2018521300.tif 000006
【図５】
2018521300.tif 000007
【図６】
2018521300.tif 000008
【図７】
2018521300.tif 000009
【図８】
2018521300.tif 000010
【図９ａ】
2018521300.tif 000011
【図９ｂ】
2018521300.tif 000012
【図９ｃ】
2018521300.tif 000013
【図１０】
2018521300.tif 000014
【図１１】
2018521300.tif 000015
【図１２】
2018521300.tif 000016
【図１３】
2018521300.tif 000017
【手続補正書】
【提出日】平成29年10月27日(2017.10.27)
【手続補正１】
【補正対象書類名】特許請求の範囲
【補正対象項目名】全文
【補正方法】変更
【補正の内容】
【特許請求の範囲】
【請求項１】
無線ローカルエリアネットワークに適用される、端末装置の測位方法であって、
測位される必要がある端末の識別子を測位サーバにより取得する段階と、
前記端末の測位に用いられるアクセスポイントセットを前記端末の前記識別子に従って前記測位サーバにより取得する段階であって、前記アクセスポイントセットは、前記端末がアクセスする関連アクセスポイント及び前記端末がアクセスしない非関連アクセスポイントを含み、前記非関連アクセスポイントは、カバレッジエリアが前記端末を包含する少なくとも１つのアクセスポイントを含む、段階と、
前記アクセスポイントセットが前記端末と対話した後に取得される測位測定情報を前記測位サーバにより取得する段階と、
前記測位測定情報に従って前記端末の位置情報を前記測位サーバにより取得する段階と
を備える、方法。
【請求項２】
前記アクセスポイントセットが前記端末と対話した後に取得される測位測定情報を前記測位サーバにより取得する前記段階は、
前記関連アクセスポイント及び前記非関連アクセスポイントに並行して測位要求メッセージを前記測位サーバにより送信する段階であって、前記測位要求メッセージは前記端末の前記識別子及び協調時間を含み、前記協調時間は、前記関連アクセスポイント及び前記非関連アクセスポイントが、前記協調時間が来た後に、前記端末の測位測定情報を協調的な方式で取得することを可能にするのに用いられる、段階と、
前記関連アクセスポイント及び前記非関連アクセスポイントにより前記協調時間に従って前記端末から取得される前記測位測定情報を、前記測位サーバにより受信する段階と
を含む、請求項１に記載の方法。
【請求項３】
前記アクセスポイントセットが前記端末と対話した後に取得される測位測定情報を前記測位サーバにより取得する前記段階は、
前記関連アクセスポイント及び前記非関連アクセスポイントに測位要求メッセージを前記測位サーバにより別々に送信する段階であって、前記測位要求メッセージは前記端末の前記識別子を含む、段階と、
前記測位サーバにより、前記関連アクセスポイントにより前記端末から取得された測位測定情報を受信し、前記非関連アクセスポイントにより前記端末から取得された測位測定情報を受信する段階と
を含む、請求項１に記載の方法。
【請求項４】
測位される必要がある端末の識別子を測位サーバにより取得する前記段階は、
アプリケーションサーバにより送信された位置取得メッセージを前記測位サーバにより受信する段階であって、前記位置取得メッセージは、位置情報が前記アプリケーションサーバにより取得される必要がある端末の識別子を含む、段階を含み、
前記測位測定情報に従って前記端末の位置情報を前記測位サーバにより取得する前記段階の後に、前記方法はさらに、
前記端末の前記位置情報を前記測位サーバにより前記アプリケーションサーバに送信する段階を含む、請求項１から３のいずれか一項に記載の方法。
【請求項５】
前記測位測定情報に従って前記端末の位置情報を前記測位サーバにより取得する前記段階は、
三角測量による測位アルゴリズム又は指紋による測位アルゴリズムを用いることで、前記測位サーバにより前記測位測定情報の計算を行い、前記端末の前記位置情報を取得する段階を含む、請求項１から４のいずれか一項に記載の方法。
【請求項６】
無線ローカルエリアネットワークに適用される、端末装置の測位方法であって、
測位サーバにより送信された測位要求メッセージを関連アクセスポイントにより受信する段階であって、前記測位要求メッセージは、測位される必要がある端末の識別子を含み、前記関連アクセスポイントは、前記端末の前記識別子に従って前記測位サーバにより取得されるアクセスポイントセットに属する、段階と、
前記関連アクセスポイントが前記測位要求メッセージに従って前記端末と対話して、前記端末の測位測定情報を取得する段階と、
前記測位測定情報を前記測位サーバに前記関連アクセスポイントにより送信する段階と
を含む、方法。
【請求項７】
前記関連アクセスポイントが前記測位要求メッセージに従って前記端末と対話して、前記端末の測位測定情報を取得する前記段階は、
前記測位要求メッセージに従って前記関連アクセスポイントにより測位パケットを前記端末に送信する段階と、
前記端末により送信された測位応答パケットを前記関連アクセスポイントにより受信する段階と、
受信した前記測位応答パケットに従って前記関連アクセスポイントにより前記測位測定情報を生成する段階と
を含む、請求項６に記載の方法。
【請求項８】
前記測位サーバにより取得される協調時間であって、前記関連アクセスポイント及び前記アクセスポイントセットに存在する非関連アクセスポイントが、前記協調時間が来た後に、前記端末の測位測定情報を協調的な方式で取得することを可能にするのに用いられる前記協調時間を、前記測位要求メッセージがさらに含む場合、
前記関連アクセスポイントが前記測位要求メッセージに従って前記端末と対話して、前記端末の測位測定情報を取得する前記段階は、
前記協調時間が来た後に、前記関連アクセスポイントが前記測位要求メッセージに従って前記端末と対話して、前記端末の前記測位測定情報を取得する段階を含む、請求項６又は７に記載の方法。
【請求項９】
無線ローカルエリアネットワークに適用される、端末装置の測位方法であって、
測位サーバにより送信された測位要求メッセージを非関連アクセスポイントにより受信する段階であって、前記測位要求メッセージは測位される必要がある端末の識別子を含み、前記非関連アクセスポイントは、前記端末の前記識別子に従って前記測位サーバにより取得されるアクセスポイントセットに属し、前記端末は前記非関連アクセスポイントにアクセスせず、前記非関連アクセスポイントは、カバレッジエリアが前記端末を包含する少なくとも１つのアクセスポイントを含む、段階と、
前記非関連アクセスポイントにより前記端末の動作チャネルに切り替わり、前記端末の測位測定情報を取得する段階と、
前記測位測定情報を前記非関連アクセスポイントにより前記測位サーバに送信する段階と
を備える、方法。
【請求項１０】
前記測位サーバにより取得される協調時間であって、前記協調時間が来た後に、前記非関連アクセスポイントが前記端末の前記動作チャネルに切り替わることを可能にするのに用いられる前記協調時間を、前記測位要求メッセージがさらに含む場合、
前記非関連アクセスポイントにより前記端末の動作チャネルに切り替わり、前記端末の測位測定情報を取得する前記段階は、
前記協調時間が来ると、前記非関連アクセスポイントにより前記端末の前記動作チャネルに切り替わり、前記動作チャネル上で待ち受ける段階であって、前記端末が、関連アクセスポイントにより送信された測位パケットに従って測位応答パケットを前記動作チャネル上に送信する場合、前記測位応答パケットを受信する、段階と、
受信した前記測位応答パケットに従って前記非関連アクセスポイントにより前記測位測定情報を生成する段階と
を含む、請求項９に記載の方法。
【請求項１１】
前記非関連アクセスポイントにより前記端末の動作チャネルに切り替わり、前記端末の測位測定情報を取得する前記段階は、
前記非関連アクセスポイントが前記端末の前記動作チャネルに切り替わった後に、前記測位要求メッセージに従って前記端末に測位パケットを送信する段階と、
前記端末により送信された測位応答パケットを前記非関連アクセスポイントにより受信する段階と、
受信した前記測位応答パケットに従って前記非関連アクセスポイントにより前記測位測定情報を生成する段階と
を含む、請求項９に記載の方法。
【請求項１２】
前記測位要求メッセージに従って測位パケットを前記端末に送信する前記段階は、
前記端末がアクセスする関連アクセスポイントの識別情報を用いることで、前記非関連アクセスポイントにより前記測位パケットを前記端末に送信する段階を含む、請求項１１に記載の方法。
【請求項１３】
前記非関連アクセスポイントにより前記端末の動作チャネルに切り替わり、前記端末の測位測定情報を取得する前記段階の前に、
前記非関連アクセスポイントが前記端末の前記動作チャネルに切り替わる前に、前記非関連アクセスポイントと関連付けられた端末にパケット送出停止命令を送信する段階であって、これにより前記非関連アクセスポイントと関連付けられた前記端末は、前記非関連アクセスポイントへのアップリンクパケットの送信を一時的に停止する、段階、
及び、
前記非関連アクセスポイントが前記端末の前記動作チャネルに切り替わる前に、前記非関連アクセスポイントに存在し、且つ送信されていないダウンリンクパケットをバッファに保留する段階
のうち少なくとも１つの段階をさらに備える、請求項９から１２のいずれか一項に記載の方法。
【請求項１４】
前記非関連アクセスポイントにより前記端末の動作チャネルに切り替わり、前記端末の測位測定情報を取得する前記段階の後に、
前記非関連アクセスポイントにより、前記端末の前記動作チャネルに切り替わる前に前記非関連アクセスポイントがとどまっていた動作チャネルに再度切り替わる段階をさらに含む、請求項９から１３のいずれか一項に記載の方法。
【請求項１５】
測位される必要がある端末の識別子を取得する測位決定モジュールと、
前記端末の前記識別子に従って、前記端末の測位に用いられるアクセスポイントセットを取得するアクセスポイント取得モジュールであって、前記アクセスポイントセットは、前記端末がアクセスする関連アクセスポイント及び前記端末がアクセスしない非関連アクセスポイントを含み、前記非関連アクセスポイントは、カバレッジエリアが前記端末を包含する少なくとも１つのアクセスポイントを含む、アクセスポイント取得モジュールと、
前記アクセスポイントセットが前記端末と対話した後に取得される測位測定情報を取得する測定情報取得モジュールと、
前記測位測定情報に従って前記端末の位置情報を取得する位置情報取得モジュールと
を備える、測位サーバ。
【請求項１６】
前記測定情報取得モジュールは、前記関連アクセスポイント及び前記非関連アクセスポイントに並行して測位要求メッセージを別々に送信し、
前記測位要求メッセージは、前記端末の前記識別子及び協調時間を含み、前記協調時間は、前記関連アクセスポイント及び前記非関連アクセスポイントが、前記協調時間が来た後に、前記端末の測位測定情報を協調的な方式で取得し、前記協調時間に従って前記関連アクセスポイント及び前記非関連アクセスポイントにより前記端末から取得される前記測位測定情報を受信することを可能にするのに用いられる、請求項１５に記載の測位サーバ。
【請求項１７】
前記測定情報取得モジュールは、前記関連アクセスポイント及び前記非関連アクセスポイントに前記端末の前記識別子を含む測位要求メッセージを別々に送信し、前記関連アクセスポイントにより前記端末から取得された測位測定情報を受信し、前記非関連アクセスポイントにより前記端末から取得された測位測定情報を受信する、請求項１５に記載の測位サーバ。
【請求項１８】
前記測位決定モジュールは、アプリケーションサーバにより送信された位置取得メッセージを受信し、前記位置取得メッセージは、位置情報が前記アプリケーションサーバにより取得される必要がある端末の識別子を含み、
前記位置情報取得モジュールはさらに、前記端末の前記位置情報を前記アプリケーションサーバに送信する、請求項１５から１７のいずれか一項に記載の測位サーバ。
【請求項１９】
前記位置情報取得モジュールは、三角測量による測位アルゴリズム又は指紋による測位アルゴリズムを用いることで前記測位測定情報の計算を行い、前記端末の前記位置情報を取得する、請求項１５から１８のいずれか一項に記載の測位サーバ。
【請求項２０】
測位される必要がある端末がアクセスする関連アクセスポイントであるアクセスポイントであって、前記関連アクセスポイントは、
測位サーバにより送信された測位要求メッセージを受信する受信モジュールであって、前記測位要求メッセージは測位される必要がある前記端末の識別子を含み、前記関連アクセスポイントは、前記端末の前記識別子に従って前記測位サーバにより取得されるアクセスポイントセットに属する、受信モジュールと、
前記測位要求メッセージに従って前記端末と対話して、前記端末の測位測定情報を取得する測定情報取得モジュールと、
前記測位測定情報を前記測位サーバに送信する送信モジュールと
を備える、アクセスポイント。
【請求項２１】
前記測定情報取得モジュールは、前記測位要求メッセージに従って測位パケットを前記端末に送信し、前記端末により送信された測位応答パケットを受信し、受信した前記測位応答パケットに従って前記測位測定情報を生成する、請求項２０に記載のアクセスポイント。
【請求項２２】
前記測位サーバにより取得される協調時間であって、前記関連アクセスポイント及び前記アクセスポイントセットに存在する非関連アクセスポイントが、前記協調時間が来た後に、前記端末の測位測定情報を協調的な方式で取得することを可能にするのに用いられる前記協調時間を、前記測位要求メッセージがさらに含む場合、
前記測定情報取得モジュールは、前記協調時間が来た後に、前記測位要求メッセージに従って前記端末と対話して、前記端末の前記測位測定情報を取得する、請求項２０又は２１に記載のアクセスポイント。
【請求項２３】
測位される必要がある端末がアクセスしない非関連アクセスポイントであるアクセスポイントであって、前記非関連アクセスポイントは、カバレッジエリアが前記端末を包含する少なくとも１つのアクセスポイントを含み、前記非関連アクセスポイントは、
測位サーバにより送信された測位要求メッセージを受信する受信モジュールであって、前記測位要求メッセージは測位される必要がある前記端末の識別子を含み、前記非関連アクセスポイントは、前記端末の前記識別子に従って前記測位サーバにより取得されるアクセスポイントセットに属し、前記端末は前記非関連アクセスポイントにアクセスせず、前記非関連アクセスポイントは、カバレッジエリアが前記端末を包含する少なくとも１つのアクセスポイントを含む、受信モジュールと、
前記端末の測位測定情報を取得する測定情報取得モジュールと、
前記測位測定情報を前記測位サーバに送信する送信モジュールと
を備える、アクセスポイント。
【請求項２４】
前記測位サーバにより取得される協調時間であって、前記協調時間が来た後に、前記非関連アクセスポイントが前記端末の動作チャネルに切り替わることを可能にするのに用いられる前記協調時間を、前記測位要求メッセージがさらに含む場合、
前記測定情報取得モジュールは、前記協調時間が来ると前記端末の前記動作チャネルに切り替わり、前記動作チャネル上で待ち受け、前記非関連アクセスポイントにより送信された測位パケットに従って前記端末が前記動作チャネル上に測位応答パケットを送信する場合、前記測位応答パケットを受信し、受信した前記測位応答パケットに従って前記測位測定情報を生成する、請求項２３に記載のアクセスポイント。
【請求項２５】
前記測定情報取得モジュールは、前記非関連アクセスポイントが前記端末の動作チャネルに切り替わった後に、前記測位要求メッセージに従って測位パケットを前記端末に送信し、前記端末により送信された測位応答パケットを受信し、受信した前記測位応答パケットに従って前記測位測定情報を生成する、請求項２３に記載のアクセスポイント。
【請求項２６】
前記測定情報取得モジュールは、前記端末がアクセスする関連アクセスポイントの識別情報を用いることで、前記測位パケットを前記端末に送信する、請求項２５に記載のアクセスポイント。
【請求項２７】
前記送信モジュールはさらに、前記非関連アクセスポイントが前記端末の動作チャネルに切り替わる前に、前記非関連アクセスポイントと関連付けられた端末にパケット送出停止命令を送信し、これにより、前記非関連アクセスポイントと関連付けられた前記端末は、前記非関連アクセスポイントへのアップリンクパケットの送信を一時的に停止する、
及び、
前記非関連アクセスポイントはさらに、前記測定情報取得モジュールが前記非関連アクセスポイントを前記端末の前記動作チャネルに切り替える前に、前記非関連アクセスポイントに存在し、且つ送信されていないダウンリンクパケットをバッファに保留するバッファモジュールを含む
のうち少なくとも一方である、請求項２３から２６のいずれか一項に記載のアクセスポイント。
【請求項２８】
前記非関連アクセスポイントはさらに、前記非関連アクセスポイントが前記端末の動作チャネルに切り替わり、前記測定情報取得モジュールが前記端末の前記測位測定情報を取得した後に、前記非関連アクセスポイントが前記端末の前記動作チャネルに切り替わる前に前記非関連アクセスポイントがとどまっていた動作チャネルに、前記非関連アクセスポイントを再度切り替えるチャネル再切り替えモジュールを備える、請求項２３から２７のいずれか一項に記載のアクセスポイント。
【請求項２９】
請求項１５から１９のいずれか一項に記載の測位サーバと、請求項２０から２２のいずれか一項に記載の関連アクセスポイントと、請求項２３から２８のいずれか一項に記載の非関連アクセスポイントとを備える、端末装置の測位システム。
【請求項３０】
コンピュータにより実行されると、請求項１から１４のいずれか一項に記載の方法を前記コンピュータに実行させる命令を含む、コンピュータ可読媒体。
【請求項３１】
請求項１から１４のいずれか一項に記載の方法をコンピュータに実行させる、プログラム。
【手続補正２】
【補正対象書類名】明細書
【補正対象項目名】全文
【補正方法】変更
【補正の内容】
【発明の詳細な説明】
【技術分野】
【０００１】
本出願の実施形態は通信の分野に関するものであり、詳細には、端末装置の測位方法、測位サーバ、アクセスポイント、及びシステムに関するものである。
【背景技術】
【０００２】
現在、無線ローカルエリアネットワーク（ＷＬＡＮ）を用いることで端末を測位する方式が、特に屋内のシナリオでは、ますます広く適用されている。ＷＬＡＮ測位によって取得された端末位置情報は、ビッグデータ解析、広告情報の精度の高い発表、屋内ナビゲーションなどに用いることができる。
【０００３】
ＷＬＡＮ測位技術では現在、測位システムが、同一の端末から複数のアクセスポイント（Ａｃｃｅｓｓ  Ｐｏｉｎｔ、ＡＰ）への信号強度、又は複数のＡＰから同一の端末への信号強度を取得し、信号強度情報を用いることにより、測位アルゴリズムに従って端末の位置を計算する。測位システムにより取得される信号強度は、ネットワーク側で測定し、報告することができる。
【０００４】
従来技術で提供される、ネットワーク側で測定されて報告された信号強度に従って測位を行うための方法の主な内容は次の通りであり、３つ又はそれより多くのＡＰにより測定されて、測位システムに報告された同一の端末の信号強度を用いることで測位を行う。サービス性能を保証するために、通常、異なるチャネルが複数の隣接したＡＰに設定される。複数のＡＰにより測定される同一の端末の信号強度に従って行われる測位では、次の２つの方式が用いられる。一方の方式では、サービスに用いられていない専用のＡＰがプローブとして利用される。他方の方式では、サービスを維持するＡＰが定期的に異なるチャネルに切り替わり、次に端末がアップリンク信号を送信するのをただ待ち続け、そしてスキャニングによって取得されるアップリンク信号に従って測位が行われる。
【０００５】
本出願を実装する過程において、本出願の発明者は、ネットワーク側の前述の測位方法が少なくとも次の欠点を有することを知った。すなわち、プローブを利用する方式は、ハードウェアコストが著しく増加する。異なるチャネルをスキャンする方式では、ＡＰが異なるチャネルに過度に長い時間存在しても、又は過度に短い時間存在しても、問題がある。例えば、ＡＰが異なるチャネルに過度に短い時間存在する場合、端末がアップリンクパケットを送信する時点が未定のため、アップリンクパケットを受信する確率が大きく減少し、これにより、測位精度の著しい低下をもたらす。ＡＰが異なるチャネルに過度に長い時間存在する場合、失ったサービスパケット及び無線インタフェースのサービス時間に関する多大な損失が生じ、サービス性能の著しい低下をもたらす。したがって、ネットワーク側の測位を実行するために、ＡＰが異なるチャネルに滞留する時間を正確に制御する必要があるが、実際には正確な制御を実行するのは困難である。
【発明の概要】
【０００６】
本出願の実施形態が、端末装置の測位方法、測位サーバ、アクセスポイント、及びシステムを提供し、これらは、要件に従って端末を測位するのに用いられるが、端末は能動的に測定を行う必要がないので、アクセスポイントへの影響が小さい。
【０００７】
第１の態様によると、本出願の一実施形態が端末装置の測位方法を提供し、本方法は、無線ローカルエリアネットワークに適用され、測位される必要がある端末の識別子を測位サーバにより取得する段階と、端末の測位に用いられるアクセスポイントセットを端末の識別子に従って測位サーバにより取得する段階であって、アクセスポイントセットは、端末がアクセスする関連アクセスポイント及び端末がアクセスしない非関連アクセスポイントを含み、非関連アクセスポイントは、カバレッジエリアが端末を包含する少なくとも１つのアクセスポイントを含む、段階と、アクセスポイントセットが端末と対話した後に取得される測位測定情報を測位サーバにより取得する段階と、測位測定情報に従って端末の位置情報を測位サーバにより取得する段階とを含む。
【０００８】
第１の態様に関連して第１の態様の第１の可能な実装方式では、アクセスポイントセットが端末と対話した後に取得される測位測定情報を測位サーバにより取得する段階は、関連アクセスポイント及び非関連アクセスポイントに並行して測位要求メッセージを測位サーバにより別々に送信する段階であって、測位要求メッセージは端末の識別子及び協調時間を含み、協調時間は、関連アクセスポイント及び非関連アクセスポイントが、協調時間が来た後に、端末の測位測定情報を協調的な方式で取得することを可能にするのに用いられる、段階と、関連アクセスポイント及び非関連アクセスポイントにより協調時間に従って端末から取得される測位測定情報を、測位サーバにより受信する段階とを含む。
【０００９】
第１の態様に関連して第１の態様の第２の可能な実装方式では、アクセスポイントセットが端末と対話した後に取得される測位測定情報を測位サーバにより取得する段階は、関連アクセスポイント及び非関連アクセスポイントに測位要求メッセージを測位サーバにより別々に送信する段階であって、測位要求メッセージは端末の識別子を含む、段階と、測位サーバにより、関連アクセスポイントにより端末から取得された測位測定情報を受信し、非関連アクセスポイントにより端末から取得された測位測定情報を受信する段階とを含む。
【００１０】
第１の態様又は第１の態様の第１の可能な実装方式若しくは第２の可能な実装方式に関連して、第１の態様の第３の可能な実装方式では、測位される必要がある端末の識別子を測位サーバにより取得する段階は、アプリケーションサーバにより送信された位置取得メッセージを測位サーバにより受信する段階を含み、位置取得メッセージは、位置情報がアプリケーションサーバにより取得される必要がある端末の識別子を含み、測位測定情報に従って端末の位置情報を測位サーバにより取得する段階の後に、本方法はさらに、端末の位置情報を測位サーバによりアプリケーションサーバに送信する段階を含む。
【００１１】
第１の態様又は第１の態様の第１の可能な実装方式若しくは第２の可能な実装方式に関連して、第１の態様の第３又は第４の可能な実装方式では、測位測定情報に従って端末の位置情報を測位サーバにより取得する段階は、三角測量による測位アルゴリズム又は指紋による測位アルゴリズムを用いることで、測位サーバにより測位測定情報の計算を行い、端末の位置情報を取得する段階を含む。
【００１２】
第２の態様によると、本出願の一実施形態が端末装置の測位方法を提供し、本方法は無線ローカルエリアネットワークに適用され、測位サーバにより送信された測位要求メッセージを関連アクセスポイントにより受信する段階であって、測位要求メッセージは、測位される必要がある端末の識別子を含み、関連アクセスポイントは、端末の識別子に従って測位サーバにより取得されるアクセスポイントセットに属する、段階と、関連アクセスポイントが測位要求メッセージに従って端末と対話して、端末の測位測定情報を取得する段階と、関連アクセスポイントにより測位測定情報を測位サーバに送信する段階とを含む。
【００１３】
第２の態様に関連して、第２の態様の第１の可能な実装方式では、関連アクセスポイントが測位要求メッセージに従って端末と対話して、端末の測位測定情報を取得する段階は、測位要求メッセージに従って関連アクセスポイントにより測位パケットを端末に送信する段階と、端末により送信された測位応答パケットを関連アクセスポイントにより受信する段階と、受信した測位応答パケットに従って関連アクセスポイントにより測位測定メッセージを生成する段階とを含む。
【００１４】
第２の態様又は第２の態様の第１の可能な実装方式に関連して、第２の態様の第２の可能な実装方式では、測位サーバにより取得される協調時間であって、関連アクセスポイント及びアクセスポイントセットに存在する非関連アクセスポイントが、協調時間が来た後に、端末の測位測定情報を協調的な方式で取得することを可能にするのに用いられる協調時間を、測位要求メッセージがさらに含む場合、関連アクセスポイントが測位要求メッセージに従って端末と対話して、端末の測位測定情報を取得する段階は、協調時間が来た後に、関連アクセスポイントが測位要求メッセージに従って端末と対話して、端末の測位測定情報を取得する段階を含む。
【００１５】
第３の態様によると、本出願の一実施形態が端末装置の測位方法を提供し、本方法は無線ローカルエリアネットワークに適用され、測位サーバにより送信された測位要求メッセージを非関連アクセスポイントにより受信する段階であって、測位要求メッセージは測位される必要がある端末の識別子を含み、非関連アクセスポイントは、端末の識別子に従って測位サーバにより取得されるアクセスポイントセットに属し、端末は非関連アクセスポイントにアクセスせず、非関連アクセスポイントは、カバレッジエリアが端末を包含する少なくとも１つのアクセスポイントを含む、段階と、非関連アクセスポイントにより端末の動作チャネルに切り替わり、端末の測位測定情報を取得する段階と、非関連アクセスポイントにより測位測定情報を測位サーバに送信する段階とを含む。
【００１６】
第３の態様に関連して第３の態様の第１の可能な実装方式では、測位サーバにより取得される協調時間であって、非関連アクセスポイントが、協調時間が来た後に、端末の動作チャネルに切り替わることを可能にするのに用いられる協調時間を、測位要求メッセージがさらに含む場合、非関連アクセスポイントにより端末の動作チャネルに切り替わり、端末の測位測定情報を取得する段階は、協調時間が来ると非関連アクセスポイントにより端末の動作チャネルに切り替わり、動作チャネル上で待ち受ける段階であって、端末が、関連アクセスポイントにより送信された測位パケットに従って測位応答パケットを動作チャネル上に送信する場合、測位応答パケットを受信する、段階と、受信した測位応答パケットに従って非関連アクセスポイントにより測位測定メッセージを生成する段階とを含む。
【００１７】
第３の態様に関連して第３の態様の第２の可能な実装方式では、非関連アクセスポイントにより端末の動作チャネルに切り替わり、端末の測位測定情報を取得する段階は、非関連アクセスポイントが端末の動作チャネルに切り替わった後に、測位要求メッセージに従って端末に測位パケットを送信する段階と、端末により送信された測位応答パケットを非関連アクセスポイントにより受信する段階と、受信した測位応答パケットに従って非関連アクセスポイントにより測位測定メッセージを生成する段階とを含む。
【００１８】
第３の態様の第２の可能な実装方式に関連して第３の態様の第３の可能な実装方式では、測位要求メッセージに従って測位パケットを端末に送信する段階は、端末がアクセスする関連アクセスポイントの識別情報を用いることで、非関連アクセスポイントにより測位パケットを端末に送信する段階を含む。
【００１９】
第３の態様又は第３の態様の第１の可能な実装方式、第２の可能な実装方式、若しくは第３の可能な実装方式に関連して、第３の態様の第４の可能な実装方式では、非関連アクセスポイントにより端末の動作チャネルに切り替わり、端末の測位測定情報を取得する段階の前に、本方法はさらに、非関連アクセスポイントが端末の動作チャネルに切り替わる前に、非関連アクセスポイントと関連付けられた端末にパケット送出停止命令を送信する段階であって、これにより非関連アクセスポイントと関連付けられた端末は、非関連アクセスポイントへのアップリンクパケットの送信を一時的に停止する、段階、及び／又は、非関連アクセスポイントが端末の動作チャネルに切り替わる前に、非関連アクセスポイントに存在し、且つ送信されていないダウンリンクパケットをバッファに保留する段階を含む。
【００２０】
第３の態様又は第３の態様の第１の可能な実装方式、第２の可能な実装方式、第３の可能な実装方式、若しくは第４の可能な実装方式に関連して、第３の態様の第５の可能な実装方式では、非関連アクセスポイントにより端末の動作チャネルに切り替わり、端末の測位測定情報を取得する段階の後に、本方法はさらに、非関連アクセスポイントが端末の動作チャネルに切り替わる前に非関連アクセスポイントがとどまっていた動作チャネルに、非関連アクセスポイントにより再度切り替わる段階を含む。
【００２１】
第４の態様によると、本出願の一実施形態が測位サーバを提供し、測位される必要がある端末の識別子を取得するよう構成された測位決定モジュールと、端末の識別子に従って、端末の測位に用いられるアクセスポイントセットを取得するよう構成されたアクセスポイント取得モジュールであって、アクセスポイントセットは、端末がアクセスする関連アクセスポイント及び端末がアクセスしない非関連アクセスポイントを含み、非関連アクセスポイントは、カバレッジエリアが端末を包含する少なくとも１つのアクセスポイントを含む、アクセスポイント取得モジュールと、アクセスポイントセットが端末と対話した後に取得される測位測定情報を取得するよう構成された測定情報取得モジュールと、測位測定情報に従って端末の位置情報を取得するよう構成された位置情報取得モジュールとを含む。
【００２２】
第４の態様に関連して第４の態様の第１の可能な実装方式では、測定情報取得モジュールは、関連アクセスポイント及び非関連アクセスポイントに並行して測位要求メッセージを別々に送信するよう構成され、測位要求メッセージは、端末の識別子及び協調時間を含み、協調時間は、関連アクセスポイント及び非関連アクセスポイントが、協調時間が来た後に、端末の測位測定情報を協調的な方式で取得し、協調時間に従って関連アクセスポイント及び非関連アクセスポイントにより端末から取得される測位測定情報を受信することを可能にするのに用いられる。
【００２３】
第４の態様に関連して第４の態様の第２の可能な実装方式では、測定情報取得モジュールは、関連アクセスポイント及び非関連アクセスポイントに端末の識別子を含む測位要求メッセージを別々に送信し、関連アクセスポイントにより端末から取得された測位測定情報を受信し、非関連アクセスポイントにより端末から取得された測位測定情報を受信するよう構成される。
【００２４】
第４の態様又は第４の態様の第１の可能な実装方式若しくは第２の実装方式に関連して、第４の態様の第３の可能な実装方式では、測位決定モジュールは、アプリケーションサーバにより送信された位置取得メッセージを受信するよう構成され、位置取得メッセージは、位置情報がアプリケーションサーバにより取得される必要がある端末の識別子を含み、位置情報取得モジュールはさらに、端末の位置情報をアプリケーションサーバに送信するよう構成される。
【００２５】
第４の態様又は第４の態様の第１の可能な実装方式若しくは第２の可能な実装方式に関連して、第４の態様の第３の可能な実装方式又は第４の可能な実装方式では、位置情報取得モジュールは、三角測量による測位アルゴリズム又は指紋による測位アルゴリズムを用いることで、測位測定情報の計算を行い、端末の位置情報を取得するよう構成される。
【００２６】
第５の態様によると、本出願の一実施形態がアクセスポイントを提供し、アクセスポイントは、測位される必要がある端末がアクセスする関連アクセスポイントであり、関連アクセスポイントは、測位サーバにより送信された測位要求メッセージを受信するよう構成された受信モジュールであって、測位要求メッセージは測位される必要がある端末の識別子を含み、関連アクセスポイントは、端末の識別子に従って測位サーバにより取得されるアクセスポイントセットに属する、受信モジュールと、測位要求メッセージに従って端末と対話して、端末の測位測定情報を取得するよう構成された測定情報取得モジュールと、測位測定情報を測位サーバに送信するよう構成された送信モジュールとを含む。
【００２７】
第５の態様に関連して第５の態様の第１の可能な実装方式では、測定情報取得モジュールは、測位要求メッセージに従って測位パケットを端末に送信し、端末により送信された測位応答パケットを受信し、受信した測位応答パケットに従って測位測定メッセージを生成するよう構成される。
【００２８】
第５の態様又は第５の態様の第１の可能な実装方式に関連して第５の態様の第２の可能な実装方式では、測位サーバにより取得される協調時間であって、関連アクセスポイント及びアクセスポイントセットに存在する非関連アクセスポイントが、協調時間が来た後に、端末の測位測定情報を協調的な方式で取得することを可能にするのに用いられる協調時間を、測位要求メッセージがさらに含む場合、測定情報取得モジュールは、協調時間が来た後に、測位要求メッセージに従って端末と対話して、端末の測位測定情報を取得するよう構成される。
【００２９】
第６の態様によると、本出願の一実施形態がアクセスポイントを提供し、アクセスポイントは、測位される必要がある端末がアクセスしない非関連アクセスポイントであり、非関連アクセスポイントは、カバレッジエリアが端末を包含する少なくとも１つのアクセスポイントを含み、非関連アクセスポイントは、測位サーバにより送信された測位要求メッセージを受信するよう構成された受信モジュールであって、測位要求メッセージは測位される必要がある端末の識別子を含み、非関連アクセスポイントは、端末の識別子に従って測位サーバにより取得されるアクセスポイントセットに属し、端末は非関連アクセスポイントにアクセスせず、非関連アクセスポイントは、カバレッジエリアが端末を包含する少なくとも１つのアクセスポイントを含む、受信モジュールと、端末の動作チャネルに切り替わり、端末の測位測定情報を取得するよう構成された測定情報取得モジュールと、測位測定情報を測位サーバに送信するよう構成された送信モジュールとを含む。
【００３０】
第６の態様に関連して第６の態様の第１の可能な実装方式では、測位サーバにより取得される協調時間であって、協調時間が来た後に非関連アクセスポイントが端末の動作チャネルに切り替わることを可能にするのに用いられる協調時間を、測位要求メッセージがさらに含む場合、測定情報取得モジュールは、協調時間が来ると端末の動作チャネルに切り替わり、動作チャネル上で待ち受け、関連アクセスポイントにより送信された測位パケットに従って端末が動作チャネル上に測位応答パケットを送信する場合、測位応答パケットを受信し、受信した測位応答パケットに従って測位測定メッセージを生成するよう構成される。
【００３１】
第６の態様に関連して第６の態様の第２の可能な実装方式では、測定情報取得モジュールは、端末の動作チャネルに切り替わった後に、測位要求メッセージに従って測位パケットを端末に送信し、端末により送信された測位応答パケットを受信し、受信した測位応答パケットに従って測位測定メッセージを生成するよう構成される。
【００３２】
第６の態様の第２の可能な実装方式に関連して第６の態様の第３の可能な実装方式では、測定情報取得モジュールは、端末がアクセスする関連アクセスポイントの識別情報を用いることで、測位パケットを端末に送信するよう構成される。
【００３３】
第６の態様又は第６の態様の第１の可能な実装方式、第２の可能な実装方式、若しくは第３の可能な実装方式に関連して、第６の態様の第４の可能な実装方式では、送信モジュールはさらに、測定情報取得モジュールが非関連アクセスポイントを端末の動作チャネルに切り替える前に、非関連アクセスポイントと関連付けられる端末にパケット送出停止命令を送信するよう構成され、これにより、非関連アクセスポイントと関連付けられた端末は、非関連アクセスポイントへのアップリンクパケットの送信を一時的に停止する、及び／又は、非関連アクセスポイントはさらに、測定情報取得モジュールが非関連アクセスポイントを端末の動作チャネルに切り替える前に、非関連アクセスポイントに存在し、且つ送信されていないダウンリンクパケットをバッファに保留するよう構成されたバッファモジュールを含む。
【００３４】
第６の態様又は第６の態様の第１の可能な実装方式、第２の可能な実装方式、第３の可能な実装方式、若しくは第４の可能な実装方式に関連して、第６の態様の第５の可能な実装方式では、非関連アクセスポイントはさらに、測定情報取得モジュールが非関連アクセスポイントを端末の動作チャネルに切り替え、端末の測位測定情報を取得した後に、非関連アクセスポイントが端末の動作チャネルに切り替わる前に非関連アクセスポイントがとどまっていた動作チャネルに、非関連アクセスポイントを再度切り替えるよう構成されたチャネル再切り替えモジュールを含む。
【００３５】
第７の態様によると、本出願の一実施形態が端末装置の測位システムを提供し、第４の態様のいずれかの項目による測位サーバと、第５の態様のいずれかの項目による関連アクセスポイントと、第６の態様のいずれかの項目による非関連アクセスポイントとを含む。
【００３６】
前述の技術的解決手段から、本出願の実施形態には次の利点があることが分かる。
【００３７】
本出願の実施形態において、測位サーバが、測位される必要がある端末の識別子をまず取得し、端末の識別子に従って、測位サーバは端末の測位に用いられるアクセスポイントセットを取得し、アクセスポイントセットは、端末がアクセスする関連アクセスポイント及び端末がアクセスしない非関連アクセスポイントを含み、測位サーバは、アクセスポイントセットが端末と対話した後に取得される測位測定情報を取得し、測位サーバは、測位測定情報に従って端末の位置情報を取得して、端末の位置情報をアプリケーションサーバに送信する。本出願では、測位される必要がある端末を測位サーバが取得した後に、測位サーバは、端末の測位測定を行うのに用いることができるアクセスポイントセットを端末の識別子に従って取得し、アクセスポイントセットは端末との対話を通じて端末の測位測定情報を取得する。したがって、アクセスポイントが端末のアップリンク情報をただ待ち続けることを回避でき、測位効率が改善され、各アクセスポイントへの影響が小さくなる。さらに、全ての端末と互換性がある特定のアプリケーションプログラムが、本出願の単一の端末に組み込まれる必要はない。
【図面の簡単な説明】
【００３８】
【図１】本出願の一実施形態による端末装置の測位方法の機能構成における、エンティティ間の相互関係の概略図である。
【００３９】
【図２】本出願の一実施形態による端末装置の測位方法の処理に関する概略ブロック図である。
【００４０】
【図３】本出願の一実施形態による端末装置の別の測位方法の処理に関する概略ブロック図である。
【００４１】
【図４】本出願の一実施形態による端末装置の別の測位方法の処理に関する概略ブロック図である。
【００４２】
【図５】本出願の一実施形態による端末装置の測位方法の機能構成における、エンティティ間の対話に関する概略フローチャートである。
【００４３】
【図６】本出願の一実施形態による端末装置の別の測位方法の機能構成における、エンティティ間の対話に関する概略フローチャートである。
【００４４】
【図７】本出願の一実施形態による測位サーバの構成に関する概略構造図である。
【００４５】
【図８】本出願の一実施形態による関連アクセスポイントの構成に関する概略構造図である。
【００４６】
【図９ａ】本出願の一実施形態による非関連アクセスポイントの構成に関する概略構造図である。
【００４７】
【図９ｂ】本出願の一実施形態による別の非関連アクセスポイントの構成に関する概略構造図である。
【００４８】
【図９ｃ】本出願の一実施形態による別の非関連アクセスポイントの構成に関する概略構造図である。
【００４９】
【図１０】本出願の一実施形態による端末装置の測位システムの構成に関する概略構造図である。
【００５０】
【図１１】本出願の一実施形態による別の測位サーバの構成に関する概略構造図である。
【００５１】
【図１２】本出願の一実施形態による別の関連アクセスポイントの構成に関する概略構造図である。
【００５２】
【図１３】本出願の一実施形態による別の非関連アクセスポイントの構成に関する概略構造図である。
【発明を実施するための形態】
【００５３】
本出願の実施形態が、端末装置の測位方法、測位サーバ、アクセスポイント、及びシステムを提供し、これらは、要件に従って端末を測位するのに用いられるが、端末は能動的に測定を行う必要がないので、アクセスポイントへの影響が小さい。
【００５４】
本出願の出願目的、特徴、及び利点をより明確且つより分かり易くするために、本出願の実施形態の添付図面を参照して、以下に本出願の実施形態の技術的解決手段を明確且つ十分に説明する。以下に説明される実施形態は、本出願の実施形態の全てではなく、それらの一部にすぎないことは明らかである。本出願の実施形態に基づいて当業者により取得される他の全ての実施形態は、本出願の保護範囲内に含まれることになる。
【００５５】
本出願の明細書、特許請求の範囲、及び前述の図面において、「ｉｎｃｌｕｄｅ（含む）」、「ｃｏｎｔａｉｎ（含む）」という用語及び他のあらゆる派生語は、非排他的包含に該当することを意味し、これにより、一連のユニットを含むプロセス、方法、システム、製品、又は装置は、必ずしもこれらのユニットに限定されず、明示的に記載されていない他のユニット、又はそのようなプロセス、方法、システム、製品、若しくは装置にもともと備わっていない他のユニットを含むことができる。
【００５６】
詳細な説明が、個別に以下に提供される。
【００５７】
最初に、本出願の実施形態における端末装置の測位方法の機能構成において、エンティティ間の相互関係が説明される。図１に示されるように、図１は、本出願の一実施形態による端末装置の測位方法の機能構成における、エンティティ間の相互関係の概略図である。本出願では、測位サーバが、測位サービスを提供するプラットフォームとして働き、測位サーバ上には、測位データベース及び測位処理装置を配置することができる。測位サーバは、ＷＬＡＮ内の複数のアクセスポイントに対して別々に通信接続を確立する。アクセスポイントは、外の世界と接触するための通信サービスを１つ又は複数の端末に提供することができる。図１には、端末１から端末ｎまで別々に、合計ｎ個の端末が存在することが、一例として用いられており、ここでｎは自然数である。測位サーバはさらにアプリケーションサーバに接続され、アプリケーションサーバはアプリケーションサービスを端末に提供するエンティティである。アプリケーションサーバの要求に従って、測位サーバは１つ又は複数の端末を測位する。測位サーバは、関連アクセスポイント及び非関連アクセスポイントを選択する。関連アクセスポイント及び非関連アクセスポイントは別々に、１つ又は複数の端末により報告された測位測定情報を１つ又は複数の端末から取得する。次に、関連アクセスポイント及び非関連アクセスポイントは、それぞれ取得した測位測定情報を測位サーバに送信する。測位サーバは、関連アクセスポイント及び非関連アクセスポイントにより報告された測位測定情報に従って、１つ又は複数の端末の位置情報を計算し、計算した位置情報をアプリケーションサーバにフィードバックする。前述の方式によると、アプリケーションサーバは、１つ又は複数の端末の位置情報を取得することができる。
【００５８】
本出願の端末装置の測位方法が、測位サーバ及びアクセスポイントの観点から別々に後述される。
【００５９】
最初に、本出願の端末装置の測位方法の一実施形態が説明され、本方法は無線ローカルエリアネットワークに適用することができ、具体的には、ＷＬＡＮ内の端末測位に適用することができる。図２を参照すると、本出願のこの実施形態において提供される端末装置の測位方法が、測位サーバ側の観点から最初に説明される。具体的には、本方法は以下の段階を含むことができる。
【００６０】
２０１：測位サーバが、測位される必要がある端末の識別子を取得する。
【００６１】
本出願のこの実施形態では、１つ又はいくつかの端末が、その位置情報を取得するために測位される必要がある場合、測位サーバは、測位される必要がある端末の識別子をまず取得する。複数の端末が測位される必要がある場合、測位サーバは、複数の端末のそれぞれの識別子を取得することができる。
【００６２】
本出願のいくつかの実施形態では、段階２０１で、測位される必要がある端末の識別子を測位サーバが取得することは、以下の段階を含むことができる。すなわち、アプリケーションサーバにより送信された位置取得メッセージを測位サーバにより受信する段階であり、位置取得メッセージは、位置情報がアプリケーションサーバにより取得される必要がある端末の識別子を含む。
【００６３】
本出願のこの実施形態では、測位サーバは、端末位置情報を提供するための測位サービスエンティティである。測位サーバは、アプリケーションサーバに接続されるか、又は測位サーバ及びアプリケーションサーバは、１つの物理エンティティ、すなわち１つのサーバにより実装されてよい。アプリケーションサーバにより送信された位置取得メッセージを測位サーバにより受信する段階は、機能実装の観点からは単なるメッセージ送信完了であり、測位サーバ及びアプリケーションサーバが同じ物理エンティティである場合、同じサーバ内のメッセージのやり取りであってよい。測位サーバにより実行される測位処理手順が、アプリケーションサーバによりトリガされる。例えば、端末がアプリケーションサービス要求をアプリケーションサーバに送信し、アプリケーションサーバは、アプリケーションサービスを端末に提供する。アプリケーションサーバが端末の位置情報を取得する必要がある場合、アプリケーションサーバは位置取得メッセージを測位サーバに送信する。位置情報が測位サーバにより取得される必要がある特定の端末を示すのに、端末の識別子が用いられてよい。例えば、端末のインターネットプロトコル（ＩＰ、Ｉｎｔｅｒｎｅｔ  Ｐｒｏｔｏｃｏｌ）アドレスが端末の識別子として用いられてよく、又は、端末の他の固有の情報が端末の識別子として用いられてもよく、例えば、端末の国際移動体装置識別番号（ＩＭＥＩ、Ｉｎｔｅｒｎａｔｉｏｎａｌ  Ｍｏｂｉｌｅ  Ｅｑｕｉｐｍｅｎｔ  Ｉｄｅｎｔｉｔｙ）が端末の識別子として用いられる。本出願のこの実施形態では、アプリケーションサーバが位置取得メッセージに追加する１つ又は複数の端末識別子がワイルドカード文字であってよく、測位サーバは、位置取得メッセージからワイルドカード文字を取得した後に、どの１つ又は複数の端末が測位される必要があるかを、判定することができることに留意されたい。さらに本出願では、位置取得メッセージで搬送される端末識別子は、アプリケーションサーバ及び測位サーバにより事前に合意された文字を用いることで識別することができる。例えば、アプリケーションサーバが特定のメッセージを位置取得メッセージの固定フィールドに追加しない場合、測位サーバは、アプリケーションサーバが受け持つ全ての端末が測位される必要があると決定してよい。具体的な実装が本明細書で限定されるわけではない。
【００６４】
例えば、アプリケーションサーバは、端末の位置を取得する必要があるアプリケーションを実行する任意のサーバであってよい。端末は、サーバにより提供されるウェブページ情報を閲覧するためにアプリケーションサーバにアクセスする。アプリケーションサーバは、表示内容のフィルタリングを行うために、端末の位置を取得する必要がある。この場合、アプリケーションサーバは、位置取得要求メッセージを測位サーバに送信することができる。
【００６５】
本出願のこの実施形態において提供される測位サーバは、サービスアンカー（ＳＶＡ、Ｓｅｒｖｉｃｅ  Ａｎｃｈｏｒ）又はアクセスコントローラ（ＡＣ、Ａｃｃｅｓｓ  Ｃｏｎｔｒｏｌｌｅｒ）のうち一方で利用されてよく、又は、測位サーバ及びＳＶＡ／ＡＣは、それらの形態に、１つの機能エンティティ若しくは複数の機能エンティティを統合してもよく、これにより、本出願の測位サーバの機能実装に影響を与えることはないことに留意されたい。さらに、本出願のこの実施形態では、測位サーバ側で実行される端末装置の測位方法に従って、要求に応じた測位が実装されてよく、すなわち、測位サーバはアプリケーションサーバの要求に従って端末を測位することができ、これにより、測位によりもたらされるアクセスポイント及び端末への影響を減少させる。
【００６６】
本出願のいくつかの実施形態では、アプリケーションサーバが位置取得メッセージを測位サーバに送信する前、且つアプリケーションサーバが端末により送信されたアプリケーションサービス要求を受信した後に、アプリケーションサーバはさらに、端末に提供されるサービスのタイプ、又は端末側で保持される位置インジケータに従って、端末の位置情報が取得される必要があるかを判定することができる。端末の位置情報が取得される必要はないと、アプリケーションサーバが判定した場合、アプリケーションサーバは位置取得メッセージを測位サーバに送信する必要はなく、又は、端末の位置情報が取得される必要があると、アプリケーションサーバが判定した場合、アプリケーションサーバは位置取得メッセージを測位サーバに送信することができる。例えば、アプリケーションサーバにより端末に提供されるアプリケーションサービスが位置と関係ない場合、アプリケーションサーバは位置取得メッセージを測位サーバに送信する必要はない。
【００６７】
２０２：測位サーバは、端末の識別子に従って、端末の測位に用いられるアクセスポイントセットを取得し、アクセスポイントセットは、端末がアクセスする関連アクセスポイント及び端末がアクセスしない非関連アクセスポイントを含み、非関連アクセスポイントは、カバレッジエリアが端末を包含する少なくとも１つのアクセスポイントを含む。
【００６８】
本出願のこの実施形態では、測位サーバが、アプリケーションサーバにより送信された位置取得メッセージに従って、どの１つ又は複数の端末が測位される必要があるかを認識した後に、測位サーバは、取得した端末識別子に従って、複数のアクセスポイントからなり、端末の測位に用いられる、アクセスポイントセットを選択することができる。例えば、測位サーバが複数の端末を別々に測位する必要がある場合、測位サーバは、各端末用に１つのアクセスポイントセットを取得する必要がある。さらに本出願のこの実施形態では、測位サーバにより取得されるアクセスポイントセットは、測位サーバにより決定されてよく、又は、アクセスポイントセットは、アクセスポイントを管理するアクセスコントローラ（ＡＣ、Ａｃｃｅｓｓ  Ｃｏｎｔｒｏｌｌｅｒ）により決定されてよく、ＡＣはアクセスポイントセットを決定した後に、アクセスポイントセットを測位サーバに送信する、又は、測位サーバ及びＡＣはアクセスポイントセットを決定するために互いに交信してよい。具体的な実装方式は、応用シナリオを参照して決定されてよい。
【００６９】
端末用に測位サーバにより取得されるアクセスポイントセットは、端末がアクセスする関連アクセスポイント及び端末がアクセスしない非関連アクセスポイントを含むことができる。アクセスポイントセットに含まれる関連アクセスポイント及び非関連アクセスポイントは、測位される必要がある端末の測位測定を行うのに用いられる。本出願において、関連アクセスポイントは、測位される必要がある端末がアクセスするアクセスポイントであり、非関連アクセスポイントは、関連アクセスポイントの近隣のアクセスポイントであってよく、非関連アクセスポイントは、カバレッジエリアが測位される必要がある端末を包含することができる少なくとも１つ又は複数のアクセスポイントを含む。さらに、本出願のアクセスポイントセットに含まれる非関連アクセスポイントでは、各アクセスポイントが、測位される必要がある端末を包含することができ、又は、一部のアクセスポイントだけが、測位される必要がある端末を包含することが可能である。
【００７０】
本出願において、測位サーバは複数のアクセスポイントへの通信接続を確立することができ、測位サーバは、測位される必要がある端末の識別子に従ってアクセスポイントセットを取得し、アクセスポイントセットは、測位される必要がある端末用に選別された複数のアクセスポイントを含み、選別されたアクセスポイントは、端末の位置測定に用いられてよいことに留意されたい。選択される非関連アクセスポイントの数量、及び、どのアクセスポイントが非関連アクセスポイントとして選択されるかは、測位精度及びアクセスポイントと端末との間の信号強度に従って、測位サーバ及び／又はＡＣにより決定されてよい。例えば、非関連アクセスポイントは、端末を包含する範囲内に最大信号強度を有する２つ又はそれより多くのアクセスポイントを含むことができるが、このことが本明細書で限定されるわけではない。
【００７１】
本出願のこの実施形態では、アクセスポイントが端末を能動的に測位することはなく、代わりに、端末の測位測定を行うためのアクセスポイントが、測位サーバ及び／又はＡＣにより選択され、管理されることに留意されたい。したがって、最初のアクセスポイントが、そのカバレッジエリア内でサービスを正常に提供することができ、測位サーバ及び／又はＡＣにより選択されたアクセスポイントは、端末の測位測定に用いることができ、選択されていないアクセスポイントが最初のサービス機能を依然として担うことが保証され得る。
【００７２】
２０３：測位サーバは、アクセスポイントセットが端末と対話した後に取得される測位測定情報を取得する。
【００７３】
本出願のこの実施形態では、端末の測位測定を行うためのアクセスポイントセットを取得したとき、測位サーバは、どのアクセスポイントが端末の測位測定を行うのに必要とされるかを認識することができる。測位サーバは、端末の測位測定を実行し始めるようにアクセスポイントセットをトリガし、アクセスポイントセット内の各アクセスポイントのカバレッジエリアが、測位される必要がある端末を包含する。測位サーバは、アクセスポイントセットにより取得された端末の測位測定情報をアクセスポイントセットから取得することができ、アクセスポイントセット内の（関連アクセスポイント及び非関連アクセスポイントを含む）複数のアクセスポイントは端末の測位測定情報を取得することができ、測位サーバは、前述のアクセスポイントのそれぞれにより取得された端末の測位測定情報を取得することができる。
【００７４】
本出願のいくつかの実施形態では、段階２０３で、アクセスポイントセットが端末と対話した後に取得される測位測定情報を測位サーバが取得することは、以下の段階を含むことができる。
【００７５】
Ａ１：測位サーバは、関連アクセスポイント及び非関連アクセスポイントに並行して測位要求メッセージを別々に送信し、測位要求メッセージは端末の識別子及び協調時間を含み、協調時間は、関連アクセスポイント及び非関連アクセスポイントが、協調時間が来た後に、端末の測位測定情報を協調的な方式で取得することを可能にするのに用いられる。
【００７６】
Ａ２：測位サーバは、協調時間に従って関連アクセスポイント及び非関連アクセスポイントにより端末から取得される測位測定情報を受信する。
【００７７】
段階Ａ１から段階Ａ２の実装方式では、測位サーバは協調的な測位方式を用いることができ、関連アクセスポイント及び非関連アクセスポイントは互いに協調する。測位サーバは、関連アクセスポイント及び非関連アクセスポイントに並行して測位要求メッセージを別々に送信し、測位要求メッセージは端末の識別子及び協調時間を含み、協調時間は、アクセスポイントセット内の非関連アクセスポイントが、協調時間が来た後に、端末の動作チャネルに切り替わり、アクセスポイントセット内の関連アクセスポイントに、端末の測位測定を実行し始めるように命令することを可能にするのに用いられる。協調時間の表示に従って、関連アクセスポイント及び非関連アクセスポイントは互いに協調し始め、端末の測位測定を共同で行い、これにより、関連アクセスポイント及び非関連アクセスポイントは端末の測位測定情報を別々に取得し、測位サーバは、協調時間に従って関連アクセスポイント及び非関連アクセスポイントにより端末から取得される測位測定情報を受信する。この実装方式では、アクセスポイントセット内の全てのアクセスポイントが、端末の測位測定情報を並行して取得する必要がある。したがって、測位測定情報の取得効率が高く、測位が速く実行され、測位サーバは端末の複数の測位測定情報をより早く取得することができる。
【００７８】
本出願のいくつかの実施形態では、段階２０３で、アクセスポイントセットが端末と対話した後に取得される測位測定情報を測位サーバが取得することは、以下の段階を含むことができる。
【００７９】
Ｂ１：測位サーバは、関連アクセスポイント及び非関連アクセスポイントに別々に測位要求メッセージを送信し、測位要求メッセージは端末の識別子を含む。
【００８０】
Ｂ２：測位サーバは、関連アクセスポイントにより端末から取得された測位測定情報を受信し、非関連アクセスポイントにより端末から取得された測位測定情報を受信する。
【００８１】
段階Ｂ１から段階Ｂ２の実装方式では、測位サーバは非協調的な測位方式を用いることができ、関連アクセスポイント及び非関連アクセスポイントは独立して動作する。測位サーバは、関連アクセスポイント及び非関連アクセスポイントに測位要求メッセージを別々に送信することができ、関連アクセスポイント及び非関連アクセスポイントは端末の測位情報を独立して取得し、これにより、関連アクセスポイント及び非関連アクセスポイントは、端末の測位測定情報を別々に取得する。測位サーバは、関連アクセスポイントにより端末から取得される測位測定情報と、非関連アクセスポイントにより端末から取得される測位測定情報とを受信する。この実装方式は、前述の実施形態の実装方式と異なり、アクセスポイントは端末の測位測定情報を並行して取得する必要がなく、各アクセスポイントは、アクセスポイントのアイドル状態又はビジー状態に従って、端末の測位測定情報を取得することができ、これにより、アクセスポイントに対する要件はより限定の少ないものになる。
【００８２】
２０４：測位サーバは、測位測定情報に従って端末の位置情報を取得する。
【００８３】
本出願のこの実施形態では、測位サーバが同一の端末の複数の測位測定情報をアクセスポイントセットから取得した後に、測位サーバは、複数の測位測定情報を用いることで端末の位置情報を計算する。測位サーバは、アクセスポイントセット内の複数のアクセスポイントにより取得される測位測定情報を用いることで端末の位置情報を計算することができる。具体的には、段階２０４で、測位測定情報に従って端末の位置情報を測位サーバが取得することは、測位サーバが三角測量による測位アルゴリズム又は指紋による測位アルゴリズムを用いることで測位測定情報の計算を行い、端末の位置情報を取得することを含む。例えば、各アクセスポイントにより報告された測位測定情報に従って、測位サーバは複数のアクセスポイントから同一の端末への信号強度を決定することができる。アクセスポイントは同一の端末の信号強度を測位サーバに別々に報告し、測位サーバは、複数のアクセスポイントから取得された、複数のアクセスポイントから同一の端末への信号強度を用いることで、端末の位置情報を計算する。測位サーバにより用いられる測位アルゴリズムが、三角測量による測位アルゴリズムであってよく、測位サーバは、３つ又はそれより多くのアクセスポイントにより別々に報告される、同一の端末の信号強度を取得する必要があり、測位サーバは、端末の位置情報を計算することができる。さらに、本出願のこの実施形態では、測位サーバにより用いられる測位アルゴリズムは、指紋による測位アルゴリズムであってもよい。具体的には、３つのアクセスポイントから同一の端末への信号強度が最初に提供される必要があり、次に、３つの信号強度に従ってデータベースの指紋の特徴点データテーブルで検索が実行される。検索処理の間、検索されるアクセスポイントの信号強度はある範囲内にあり、各アクセスポイントについては、検索結果が複数の指紋の特徴点を含むことができる。これらの指紋の特徴点が記録され、回数が記録される。３回の検索後、３つの信号強度に最も近い指紋の特徴点が検索され、測位点として用いられる。
【００８４】
本出願のいくつかの実施形態では、測位サーバが、段階２０４で測位測定情報に従って端末の位置情報を測位サーバにより取得した後に、アプリケーションサーバにより送信された位置取得メッセージを受信する場合、本出願において提供される端末装置の測位方法はさらに、以下の段階を含むことができる。すなわち、測位サーバにより端末の位置情報をアプリケーションサーバに送信する段階である。したがって、測位サーバは、１つ又はいくつかの端末の測位情報をアプリケーションサーバに提供することができる。
【００８５】
前述の実施形態において提供される本出願の説明から、測位サーバが、測位される必要がある端末の識別子を取得することができ、端末の識別子に従って、測位サーバは端末の測位に用いられるアクセスポイントセットを取得し、アクセスポイントセットは、端末がアクセスする関連アクセスポイント及び端末がアクセスしない非関連アクセスポイントを含み、測位サーバは、アクセスポイントセットが端末と対話した後に取得される測位測定情報を取得し、測位サーバは、測位測定情報に従って端末の位置情報を取得することが分かる。本出願の端末測位では、測位される必要がある端末を測位サーバが取得した後に、測位サーバは、端末の測位測定を行うのに用いることができるアクセスポイントセットを端末の識別子に従って取得し、アクセスポイントセットは端末との対話を通じて端末の測位測定情報を取得する。したがって、アクセスポイントが端末のアップリンク情報をただ待ち続けることを回避でき、測位効率が改善され、各アクセスポイントへの影響が小さくなる。さらに、全ての端末と互換性がある特定のアプリケーションプログラムが、本出願の単一の端末に組み込まれる必要はない。
【００８６】
前述の実施形態では、本出願による端末装置の測位方法が測位サーバ側の観点から説明されている。図３を参照して、本出願の一実施形態において提供される端末装置の測位方法が、関連アクセスポイント側の観点から後述される。具体的には、本方法は以下の段階を含むことができる。
【００８７】
３０１：関連アクセスポイントが測位サーバにより送信された測位要求メッセージを受信し、測位要求メッセージは測位される必要がある端末の識別子を含む。
【００８８】
関連アクセスポイントは、端末の識別子に従って測位サーバにより取得されるアクセスポイントセットに属する。
【００８９】
本出願のこの実施形態では、測位サーバは、端末位置情報を提供するための測位サービスエンティティである。測位サーバはアプリケーションサーバに接続され、測位サーバにより実行される測位処理手順がアプリケーションサーバによりトリガされる。
【００９０】
本出願のこの実施形態において提供されるアクセスポイントは、ＳＶＡ又はＡＣの一方で利用することができ、アクセスポイントは、ＳＶＡ／ＡＣを用いることで外部通信サービスを端末に提供することができることに留意されたい。各アクセスポイントは、測位サーバへの通信接続を確立することができる。測位サーバはアクセスポイントに測位要求命令を送出し、アクセスポイントは測位サーバによりトリガされると、アクセスポイントにアクセスする端末、又はアクセスポイントにアクセスしない端末の測位測定を行う。
本明細書のこの実施形態では、端末がアクセスするアクセスポイント側（すなわち、関連アクセスポイント側）の観点から、本出願の端末装置の測位方法が説明される。関連アクセスポイントは、測位される必要がある端末がアクセスし、関連アクセスポイントは、測位サーバにより取得されるアクセスポイントセット内のアクセスポイントである。
【００９１】
３０２：関連アクセスポイントは、測位要求メッセージに従って端末と対話し、端末の測位測定情報を取得する。
【００９２】
本出願のこの実施形態では、測位サーバにより送信された測位要求メッセージを受信した後に、関連アクセスポイントは、測位要求メッセージに従って、どの１つ又は複数の端末を測位サーバが測位する必要があるかを認識する。関連アクセスポイントは、測位される必要がある端末がアクセスポイントのカバレッジエリア内にあり、そのアクセスポイントにアクセスしていることを判定し、この場合、関連アクセスポイントは測位される必要がある端末と対話し、その結果、測定が端末に対して行われた後に取得される測位測定情報を取得することができる。
【００９３】
本出願のいくつかの実施形態では、測位要求メッセージがさらに、測位サーバにより取得される協調時間であって、関連アクセスポイント及びアクセスポイントセット内にある非関連アクセスポイントが、協調時間が来た後に、端末の測位測定情報を協調的な方式で取得することを可能にするのに用いられる協調時間を含む場合、この実装シナリオにおいて、関連アクセスポイントが段階３０２で測位要求メッセージに従って端末と対話して、端末の測位測定情報を取得することは、以下の段階を含むことができる。
【００９４】
Ｃ１：関連アクセスポイントは、協調時間が来た後に、測位要求メッセージに従って端末と対話して、端末の測位測定情報を取得する。
【００９５】
言い換えれば、測位サーバが、測位測定情報を取得する方式が複数のアクセスポイントの間で協調するという方式であると判定した場合、関連アクセスポイントは、測位サーバにより判定された取得機構に従う必要がある。協調時間の表示に従って、関連アクセスポイントは、端末の測位測定情報を取得するために、協調時間が来た後にだけ端末と対話することができる。
【００９６】
本出願のいくつかの実施形態では、関連アクセスポイントが前述の段階３０２において、測位要求メッセージに従って端末と対話し、端末の測位測定情報を取得することは、以下の段階を含むことができる。
【００９７】
Ｄ１：関連アクセスポイントは、測位要求メッセージに従って測位パケットを端末に送信する。
【００９８】
Ｄ２：関連アクセスポイントは、端末により送信された測位応答パケットを受信する。
【００９９】
Ｄ３：関連アクセスポイントは、受信した測位応答パケットに従って測位測定メッセージを生成する。
【０１００】
関連アクセスポイントは測位パケットを端末に送信し、端末は関連アクセスポイントに接続される。端末が、関連アクセスポイントにより送信された測位パケットを受信した後に、端末は、測位パケットに応答して、測位応答パケットを関連アクセスポイントに送信する。関連アクセスポイントは端末により送信された測位応答パケットを受信する。測位応答パケットを受信することで、関連アクセスポイントは、アクセスポイントから端末への信号強度を測定することができ、測位サーバに送信される必要がある測位測定メッセージを生成することができる。
【０１０１】
３０３：関連アクセスポイントは、測位測定情報を測位サーバに送信する。
【０１０２】
本出願のこの実施形態では、関連アクセスポイントが端末の測位測定情報を取得した後に、関連アクセスポイントは測位測定情報を測位サーバに送信し、これにより、測位サーバは測位測定情報を用いることで端末の位置情報を計算することができる。
【０１０３】
前述の実施形態において提供される本出願の説明から、まず関連アクセスポイントが測位サーバにより送信された測位要求メッセージを受信し、次に、関連アクセスポイントが測位要求メッセージに従って端末と対話して、端末の測位測定情報を取得し、最後に、関連アクセスポイントが測位測定情報を測位サーバに送信することが分かる。本出願では、関連アクセスポイントにより行われる端末測位が測位サーバによりトリガされ、関連アクセスポイントは測位される必要がある端末と能動的に対話して、端末の測位測定情報を取得する。したがって、関連アクセスポイントが端末のアップリンク情報をただ待ち続けることを回避でき、測位効率が改善され、関連アクセスポイントへの影響が小さくなる。さらに、全ての端末と互換性がある特定のアプリケーションプログラムが、本出願の単一の端末に組み込まれる必要はない。
【０１０４】
前述の実施形態では、関連アクセスポイント側の観点から、本出願による端末装置の測位方法の一実施形態が説明されている。図４を参照して、本出願の一実施形態において提供される端末装置の測位方法が、非関連アクセスポイント側の観点から後述される。具体的には、本方法は以下の段階を含むことができる。
【０１０５】
４０１：非関連アクセスポイントが測位サーバにより送信された測位要求メッセージを受信し、測位要求メッセージは測位される必要がある端末の識別子を含む。
【０１０６】
非関連アクセスポイントは、端末の識別子に従って測位サーバにより取得されるアクセスポイントセットに属し、端末は非関連アクセスポイントにアクセスせず、非関連アクセスポイントは、カバレッジエリアが端末を包含する少なくとも１つのアクセスポイントを含む。
【０１０７】
本出願のこの実施形態では、測位サーバは、端末位置情報を提供するための測位サービスエンティティである。測位サーバはアプリケーションサーバに接続され、測位サーバにより実行される測位処理手順がアプリケーションサーバによりトリガされる。
【０１０８】
本出願のこの実施形態において提供されるアクセスポイントは、ＳＶＡ又はＡＣの一方で利用することができ、アクセスポイントは、ＳＶＡ／ＡＣを用いることで外部通信サービスを端末に提供することができることに留意されたい。各アクセスポイントは、測位サーバへの通信接続を確立することができる。測位サーバはアクセスポイントに測位要求命令を送出し、アクセスポイントは測位サーバによりトリガされると、アクセスポイントにアクセスする端末、又はアクセスポイントにアクセスしない端末の測位測定を行う。
本明細書のこの実施形態では、カバレッジエリア内に端末を有するが、端末がアクセスしないアクセスポイント側（すなわち、非関連アクセスポイント側）の観点から、本出願の端末装置の測位方法が説明される。非関連アクセスポイントは、測位される必要がある端末はアクセスしないが、非関連アクセスポイントのカバレッジエリアは端末を包含し、非関連アクセスポイントは、測位サーバにより取得されるアクセスポイントセット内のアクセスポイントである。
【０１０９】
４０２：非関連アクセスポイントは、端末の動作チャネルに切り替わり、端末の測位測定情報を取得する。
【０１１０】
本出願のこの実施形態では、測位サーバにより送信された測位要求メッセージを受信した後に、非関連アクセスポイントは、測位要求メッセージに従って、測位サーバがどの１つ又は複数の端末を測位する必要があるかを認識する。非関連アクセスポイントは、測位される必要がある端末がアクセスポイントのカバレッジエリアに位置していることを認識するが、アクセスポイントの動作チャネルが端末の動作チャネルと異なっており、すなわち、異なるチャネルが存在する。この場合、測位される必要がある端末と対話するために、非関連アクセスポイントは端末の動作チャネルに切り替わる必要があり、次に、非関連アクセスポイントは端末と対話する（本出願において、非関連アクセスポイントと端末との間の対話は、本出願におけるこの対話が非関連アクセスポイントと端末との間で少なくとも１つの情報送信によって実行され得ることを意味してよい）。したがって、測定が端末に対して実行された後に取得される測位測定情報が、取得され得る。
【０１１１】
本出願のいくつかの実施形態では、測位要求メッセージがさらに、測位サーバにより取得される協調時間であって、非関連アクセスポイントが、協調時間が来た後に、端末の動作チャネルに切り替わることを可能にするのに用いられる協調時間を含む場合、この実装シナリオでは、非関連アクセスポイントが段階４０２で、端末の動作チャネルに切り替わり、端末の測位測定情報を取得することは、以下の段階を含むことができる。
【０１１２】
Ｅ１：非関連アクセスポイントは、協調時間が来ると端末の動作チャネルに切り替わり、動作チャネル上で待ち受けし、端末が、関連アクセスポイントにより送信された測位パケットに従って、動作チャネル上に測位応答パケットを送信する場合、測位応答パケットを受信する。
【０１１３】
Ｅ２：非関連アクセスポイントは、受信した測位応答パケットに従って測位測定メッセージを生成する。
【０１１４】
言い換えれば、測位測定情報を取得する方式が複数のアクセスポイントの間で協調するという方式であると、測位サーバが判定した場合、関連アクセスポイントは、測位サーバにより判定された取得機構に従う必要がある。協調時間の表示に従って、関連アクセスポイントは、協調時間が来た後にだけ測位パケットを端末に送信する。協調時間が来ると、非関連アクセスポイントは端末の動作チャネルに切り替わり、この場合、非関連アクセスポイント及び端末は同一のチャネル上にある。非関連アクセスポイントは動作チャネル上で待ち受し、端末が、関連アクセスポイントにより送信された測位パケットに従って、動作チャネル上に測位応答パケットを送信する場合、非関連アクセスポイントは動作チャネル上で測位応答パケットを受信し、これにより、非関連アクセスポイントはアクセスポイントから端末への信号強度を測定し、測位サーバに送信される必要がある測位測定メッセージを生成することができる。
【０１１５】
本出願のいくつかの実施形態では、非関連アクセスポイントが段階４０２で、端末の動作チャネルに切り替わり、端末の測位測定情報を取得することは、以下の段階を含むことができる。
【０１１６】
Ｆ１：端末の動作チャネルに切り替わった後に、非関連アクセスポイントは、測位要求メッセージに従って測位パケットを端末に送信する。
【０１１７】
Ｆ２：非関連アクセスポイントは、端末により送信された測位応答パケットを受信する。
【０１１８】
Ｆ３：非関連アクセスポイントは、受信した測位応答パケットに従って測位測定メッセージを生成する。
【０１１９】
非関連アクセスポイントは、端末の動作チャネルに切り替わった後に測位パケットを端末に送信し、端末が非関連アクセスポイントにより送信された測位パケットを受信した後に、測位パケットに応答して、端末は測位応答パケットを非関連アクセスポイントに送信し、非関連アクセスポイントは端末により送信された測位応答パケットを受信する。測位応答パケットを受信することで、非関連アクセスポイントは、アクセスポイントから端末への信号強度を測定することができ、測位サーバに送信される必要がある測位測定メッセージを生成することができる。
【０１２０】
本出願では、端末からの応答が、段階Ｆ１で非関連アクセスポイントにより端末に送信される測位パケットに必要とされることに留意されたい。単一のアクセスポイントが端末にサービスを提供するのに用いられるシナリオでは、端末は本出願において再設計されてよく、これにより、端末は非関連アクセスポイントにより送信された測位パケットに応答することができる。なぜならば、単一のアクセスポイントが端末にサービスを提供するのに用いられるシナリオでは、関連アクセスポイントにアクセスした後に、端末は関連アクセスポイントにだけ応答するからである。単一のアクセスポイントが端末にサービスを提供するのに用いられるシナリオでは、もちろん、端末が本出願において変更されなくてよく、代わりに、以下のシナリオにおいて説明される方式が用いられる。例えば、段階Ｆ１で測位要求メッセージに従って測位パケットを端末に送信することは、以下の段階を含むことができる。
【０１２１】
Ｆ１１：非関連アクセスポイントは、端末がアクセスする関連アクセスポイントの識別情報を用いることで、測位パケットを端末に送信する。
【０１２２】
単一のアクセスポイントが端末にサービスを提供するのに用いられるシナリオでは、関連アクセスポイントにアクセスした後に、端末は関連アクセスポイントにだけ応答し、非関連アクセスポイントは、関連アクセスポイントの識別情報を用いることで、測位パケットを端末に送信することができる。非関連アクセスポイントが関連アクセスポイントの識別情報を用いることは、測位パケットを端末に送信する場合、非関連アクセスポイントが関連アクセスポイントの識別子を測位パケットに追加することができることを意味し、これにより、端末がアクセスする関連アクセスポイントにより測位パケットが送信されることを、端末は関連アクセスポイントの識別子に従って確認する。この場合、端末は、関連アクセスポイントの識別子を搬送する測位パケットに直接応答し、例えば、端末はＡＣＫパケットを送信し、非関連アクセスポイントも端末により送信された測位応答パケットを受信することができる。
【０１２３】
本出願のいくつかの実施形態では、非関連アクセスポイントにより段階４０２で、端末の動作チャネルに切り替わり、端末の測位測定情報を取得する前に、本出願において提供される端末装置の測位方法はさらに、以下の段階を含むことができることに留意されたい。Ｇ１：非関連アクセスポイントが端末の動作チャネルに切り替わる前に、非関連アクセスポイントと関連付けられた端末にパケット送出停止命令を送信し、これにより、非関連アクセスポイントと関連付けられた端末は、非関連アクセスポイントへのアップリンクパケットの送信を一時的に停止する、及び／又は、Ｇ２：非関連アクセスポイントが端末の動作チャネルに切り替わる前に、非関連アクセスポイントに存在し、且つ送信されていないダウンリンクパケットをバッファに保留する。
【０１２４】
非関連アクセスポイントが動作チャネルの切り替えを行う前に、非関連アクセスポイントは、アップリンクパケットの損失を回避するために端末の機能を抑制することができ、又は、ダウンリンクパケットの損失を回避するためにパケットをバッファに保留することができる。具体的には、動作チャネルを切り替える前に、非関連アクセスポイントはまず、特定のパケット送出停止命令を用いることで、アップリンクパケットの送信を停止するように端末を制御することができる。例えば、非関連アクセスポイントが動作チャネルの切り替えを行った後に、ネットワーク割り当てベクトル（ＮＡＶ、Ｎｅｔｗｏｒｋ  Ａｌｌｏｃａｔｉｏｎ  Ｖｅｃｔｏｒ）、８０２．１１、又はカスタマイズされた専用パケットに従って、パケット損失が回避され得る。
【０１２５】
本出願のいくつかの実施形態では、非関連アクセスポイントにより段階４０２で、端末の動作チャネルに切り替わり、端末の測位測定情報を取得した後に、本出願において提供される端末装置の測位方法はさらに、以下の段階を含むことができることに留意されたい。
【０１２６】
Ｈ１：非関連アクセスポイントは、非関連アクセスポイントが端末の動作チャネルに切り替わる前に非関連アクセスポイントがとどまっていた動作チャネルに再度切り替わる。
【０１２７】
具体的には、端末の測位測定情報を取得した後に、非関連アクセスポイントは、動作チャネルの再切り替えを直ちに行い、アクセスポイントのサービス機能を元に戻すことができる。この段階は、段階４０３と並行して行われてよく、又は、段階４０３の前に行われてもよいが、このことは本出願において限定されるものではない。
【０１２８】
４０３：非関連アクセスポイントは、測位測定情報を測位サーバに送信する。
【０１２９】
本出願のこの実施形態では、非関連アクセスポイントが端末の測位測定情報を取得した後に、非関連アクセスポイントは測位測定情報を測位サーバに送信し、これにより、測位サーバは測位測定情報を用いることで端末の位置情報を計算することができる。
【０１３０】
前述の実施形態において提供される本出願の説明から、まず非関連アクセスポイントが測位サーバにより送信された測位要求メッセージを受信し、次に、非関連アクセスポイントが端末の動作チャネルに切り替わり、端末の測位測定情報を取得し、最後に、非関連アクセスポイントが測位測定情報を測位サーバに送信することが分かる。本出願では、非関連アクセスポイントにより行われる端末測位が測位サーバによりトリガされ、非関連アクセスポイントは測位される必要がある端末と対話して、端末の測位測定情報を取得する。したがって、非関連アクセスポイントが端末のアップリンク情報をただ待ち続けることを回避でき、測位効率が改善され、非関連アクセスポイントへの影響が小さくなる。さらに、全ての端末と互換性がある特定のアプリケーションプログラムが、本出願の単一の端末に組み込まれる必要はない。
【０１３１】
本出願の実施形態における前述の解決手段のより良い理解と実装のために、具体的な説明が、対応する応用シナリオの例を用いることで以下に提供される。
【０１３２】
図５を参照すると、図５は、本出願の一実施形態による端末装置の測位方法に関する機能構成における、エンティティ間の対話の概略フローチャートである。測位サーバ、アクセスポイントセット、端末、及びアプリケーションサーバの間の対話プロセスが示されている。
【０１３３】
Ｓ０１：１つ又は複数の端末がアプリケーションサービス要求を別々に送信する。
【０１３４】
Ｓ０２：アプリケーションサーバが、端末の位置情報を取得する必要があるかを判定する。
【０１３５】
Ｓ０３：アプリケーションサーバは、位置取得メッセージを測位サーバに送信し、位置取得メッセージは、測位される必要がある端末の識別子を搬送する。
【０１３６】
Ｓ０４：測位サーバは、端末の測位に用いられるアクセスポイントセットを取得し、アクセスポイントセットは、関連アクセスポイント及び非関連アクセスポイントを含む。
【０１３７】
Ｓ０５ａ及びＳ０５ｂ：測位サーバは、測位要求メッセージをアクセスポイントセットに送信し、測位要求メッセージは、端末の識別子及び協調時間を搬送する。
【０１３８】
Ｓ０６：非関連アクセスポイントは、合意された協調時間に従って、端末の動作チャネルに切り替わり、動作チャネル切り替えの前に、非関連アクセスポイントはまず、アップリンクパケットの損失を回避するために、非関連アクセスポイントと関連付けられた端末に、アップリンクパケットの送信を停止するように命令することができる。
【０１３９】
Ｓ０７：関連アクセスポイントは、ユニキャスト又はマルチキャストのダウンリンク測位パケットを送信し、１つの端末だけが測位される必要がある場合、ユニキャストのダウンリンク測位パケットが送信され、複数の端末が測位される必要がある場合、マルチキャストのダウンリンク測位パケットが送信される必要がある。
【０１４０】
Ｓ０８：端末は測位応答パケットを返し、測位応答パケットは、確認応答（ＡＣＫ、Ａｃｋｎｏｗｌｅｄｇｅｍｅｎｔ）パケット又は専用測位ユニキャストパケットであってよく、この場合、関連アクセスポイント及び非関連アクセスポイントの両方が、端末の動作チャネル上で測位応答パケットを受信することができる。
【０１４１】
Ｓ０９：非関連アクセスポイントは、チャネルの再切り替えを行う。
【０１４２】
Ｓ１０：関連アクセスポイントは、測位測定情報を報告する。
【０１４３】
Ｓ１１：非関連アクセスポイントは、測位測定情報を報告する。
【０１４４】
Ｓ１２：測位サーバは、アクセスポイントセットにより報告された測位測定情報に従って、端末の位置情報を計算する。
【０１４５】
Ｓ１３：測位サーバは、端末の位置情報をアプリケーションサーバに返す。
【０１４６】
前述の例の説明から、本出願において測位精度が保証される場合、システムのサービス性能が改善されることが分かる。例えば、非関連アクセスポイントのスループット率が改善され、非関連アクセスポイントのパケット損失率が減少し、非関連アクセスポイントの動作チャネル切り替えにより生じる遅延が減少する。さらに、従来技術と比較すると、本出願は、測位が要求に応じて行われ得るという改善点を有する。アプリケーションサーバの要求に従って端末が測位され、サービスに対する測位の影響を低減する。端末用の最適なアクセスポイントセットが、ネットワーク側の情報（例えば、端末からアクセスポイントＡＰへの信号強度）に従って取得され、測位に用いられるアクセスポイントセットとして働く。複数のアクセスポイントが、協調的な方式で能動的に測位を行う。協調時間が来ると、関連アクセスポイントは測位パケットを端末に送信し、測位用の別のアクセスポイントが、協調時間に従って端末の動作チャネルに切り替わり、端末の測位応答パケットを受信する。関連アクセスポイントにより端末に送信される測位パケットは、共通データパケット又は専用パケットであってよく、ユニキャストパケット又はマルチキャストパケットであってよい。
【０１４７】
図６を参照すると、図６は、本出願の一実施形態による端末装置の別の測位方法に関する機能構成における、エンティティ間の対話の概略フローチャートである。測位サーバ、アクセスポイントセット、端末、及びアプリケーションサーバの間の対話プロセスが示されている。
【０１４８】
Ｐ０１：１つ又は複数の端末がアプリケーションサービス要求を別々に送信する。
【０１４９】
Ｐ０２：アプリケーションサーバが、端末の位置情報を取得する必要があるかを判定する。
【０１５０】
Ｐ０３：アプリケーションサーバは、位置取得メッセージを測位サーバに送信し、位置取得メッセージは、測位される必要がある端末の識別子を搬送する。
【０１５１】
Ｐ０４：測位サーバは、端末の測位に用いられるアクセスポイントセットを取得し、アクセスポイントセットは、関連アクセスポイント及び非関連アクセスポイントを含む。
【０１５２】
Ｐ０５：測位サーバは、アクセスポイントセット内の関連アクセスポイントに測位要求メッセージを送信し、測位要求メッセージは端末の識別子を搬送する。
【０１５３】
Ｐ０６：関連アクセスポイントは、ユニキャスト又はマルチキャストのダウンリンク測位パケットを送信し、１つの端末だけが測位される必要がある場合、ユニキャストのダウンリンク測位パケットが送信され、複数の端末が測位される必要がある場合、マルチキャストのダウンリンク測位パケットが送信される。
【０１５４】
Ｐ０７：端末は測位応答パケットを返し、測位応答パケットは、ＡＣＫパケット又は専用測位ユニキャストパケットであってよく、この場合、関連アクセスポイントは測位応答パケットを受信することができる。
【０１５５】
Ｐ０８：関連アクセスポイントは、測位測定情報を報告する。
【０１５６】
Ｐ０９：測位サーバは、アクセスポイントセット内の非関連アクセスポイントに測位要求メッセージを送信し、測位要求メッセージは端末の識別子を搬送する。
【０１５７】
Ｐ１０：非関連アクセスポイントは端末の動作チャネルに切り替わり、動作チャネル切り替えの前に、非関連アクセスポイントはまず、アップリンクパケットの損失を回避するために、非関連アクセスポイントと関連付けられた端末に、アップリンクパケットの送信を停止するように命令することができる。
【０１５８】
Ｐ１１：非関連アクセスポイントは、端末の関連アクセスポイントの識別情報を用いることで、ユニキャストのダウンリンク測位パケットを送信する。
【０１５９】
Ｐ１２：端末は測位応答パケットを返し、測位応答パケットは、ＡＣＫパケット又は専用測位ユニキャストパケットであってよく、この場合、非関連アクセスポイントは測位応答パケットを受信することができる。
【０１６０】
Ｐ１３：非関連アクセスポイントは、チャネルの再切り替えを行う。
【０１６１】
Ｐ１４：非関連アクセスポイントは、測位測定情報を報告する。
【０１６２】
Ｐ１５：測位サーバは、アクセスポイントセットにより報告された測位測定情報に従って、端末の位置情報を計算する。
【０１６３】
Ｐ１６：測位サーバは、端末の位置情報をアプリケーションサーバに返す。
【０１６４】
前述の例の説明から、本出願において測位精度が保証される場合、システムのサービス性能が改善されることが分かる。例えば、非関連アクセスポイントのスループット率が改善され、非関連アクセスポイントのパケット損失率が減少し、非関連アクセスポイントの動作チャネル切り替えにより生じる遅延が減少する。さらに、従来技術と比較すると、本出願は、測位が要求に応じて行われ得るという改善点を有する。アプリケーションサーバの要求に従って端末が測位され、サービスに対する測位の影響を低減する。端末用の最適なアクセスポイントセットが、ネットワーク側の情報（例えば、端末からアクセスポイントＡＰへの信号強度）に従って取得され、測位に用いられるアクセスポイントセットとして働く。複数のアクセスポイントが、非協調的な方式で能動的に測位を行う。非関連アクセスポイントが端末の動作チャネルに切り替わり、関連アクセスポイント及び非関連アクセスポイントが測位パケットを別々に端末に送信し、端末の応答パケットを受信する。複数のアクセスポイントにより端末に送信される測位パケットは、共通データパケット又は専用パケットであってよく、ユニキャストパケット又はマルチキャストパケットであってよい。非関連アクセスポイントは、関連アクセスポイントの識別情報を用いることで、測位パケットを端末に送信することができる。
【０１６５】
簡潔な説明を目的に、前述の方法の実施形態は一連の動作の組み合わせとして説明されていることに留意されたい。しかし、本出願によると、段階によっては別の順序で実行されてよく、又は並行して実行されてよいので、当業者は、説明された動作の順序に本出願が限定されないことを認識すべきである。さらに当業者は、本明細書で説明される全ての実施形態が例示的な実施形態であり、関連する動作及びモジュールが必ずしも本出願に必須であるとは限らないことも認識すべきである。
【０１６６】
本出願の実施形態の前述の解決手段をより適切に実行するために、前述の解決手段を実行するのに用いられる関連装置が以下にさらに提供される。
【０１６７】
図７を参照すると、本出願のこの実施形態において提供される測位サーバ７００が、測位決定モジュール７０１と、アクセスポイント取得モジュール７０２と、測定情報取得モジュール７０３と、位置情報取得モジュール７０４とを含むことができる。
【０１６８】
測位決定モジュール７０１は、測位される必要がある端末の識別子を取得するよう構成される。
【０１６９】
アクセスポイント取得モジュール７０２は、端末の識別子に従って、端末の測位に用いられるアクセスポイントセットを取得するよう構成され、アクセスポイントセットは、端末がアクセスする関連アクセスポイント及び端末がアクセスしない非関連アクセスポイントを含み、非関連アクセスポイントは、カバレッジエリアが端末を包含する少なくとも１つのアクセスポイントを含む。
【０１７０】
測定情報取得モジュール７０３は、アクセスポイントセットが端末と対話した後に取得される測位測定情報を取得するよう構成される。
【０１７１】
位置情報取得モジュール７０４は、測位測定情報に従って端末の位置情報を取得し、端末の位置情報をアプリケーションサーバに送信するよう構成される。
【０１７２】
本出願のいくつかの実施形態では、測定情報取得モジュール７０３は、関連アクセスポイント及び非関連アクセスポイントに並行して測位要求メッセージを別々に送信し、測位要求メッセージは、端末の識別子及び協調時間を含み、協調時間は、関連アクセスポイント及び非関連アクセスポイントが、協調時間が来た後に、端末の測位測定情報を協調的な方式で取得することを可能にするのに用いられ、協調時間に従って関連アクセスポイント及び非関連アクセスポイントにより端末から取得される測位測定情報を受信するよう構成される。
【０１７３】
本出願のいくつかの実施形態では、測定情報取得モジュール７０３は、関連アクセスポイント及び非関連アクセスポイントに、端末の識別子を含む測位要求メッセージを別々に送信し、関連アクセスポイントにより端末から取得された測位測定情報を受信し、非関連アクセスポイントにより端末から取得された測位測定情報を受信するよう構成される。
【０１７４】
本出願のいくつかの実施形態では、測位決定モジュール７０１は、アプリケーションサーバにより送信された位置取得メッセージを受信するよう構成され、位置取得メッセージは、位置情報がアプリケーションサーバにより取得される必要がある端末の識別子を含む。
【０１７５】
位置情報取得モジュール７０４はさらに、端末の位置情報をアプリケーションサーバに送信するよう構成される。
【０１７６】
本出願のいくつかの実施形態では、位置情報取得モジュール７０４は、三角測量による測位アルゴリズム又は指紋による測位アルゴリズムを用いることで、測位測定情報の計算を行い、端末の位置情報を取得するよう構成される。
【０１７７】
前述の実施形態において提供される本出願の説明から、測位サーバが、測位される必要がある端末の識別子を取得し、端末の識別子に従って、測位サーバは端末の測位に用いられるアクセスポイントセットを取得し、アクセスポイントセットは、端末がアクセスする関連アクセスポイント及び端末がアクセスしない非関連アクセスポイントを含み、測位サーバは、アクセスポイントセットが端末と対話した後に取得される測位測定情報を取得し、測位サーバは、測位測定情報に従って端末の位置情報を取得して、端末の位置情報をアプリケーションサーバに送信することが分かる。本出願の端末測位では、測位される必要がある端末を測位サーバが取得した後に、測位サーバは、端末の測位測定を行うのに用いることができるアクセスポイントセットを端末の識別子に従って取得し、アクセスポイントセットは端末との対話を通じて端末の測位測定情報を取得する。したがって、アクセスポイントが端末のアップリンク情報をただ待ち続けることを回避でき、測位効率が改善され、各アクセスポイントへの影響が小さくなる。さらに、全ての端末と互換性がある特定のアプリケーションプログラムが、本出願の単一の端末に組み込まれる必要はない。
【０１７８】
図８を参照すると、図８は、本出願の一実施形態によるアクセスポイントである。アクセスポイントは、測位される必要がある端末がアクセスする関連アクセスポイント８００である。関連アクセスポイント８００は、受信モジュール８０１と、測定情報取得モジュール８０２と、送信モジュール８０３とを含むことができる。
【０１７９】
受信モジュール８０１は、測位サーバにより送信された測位要求メッセージを受信するよう構成され、測位要求メッセージは、測位される必要がある端末の識別子を含み、関連アクセスポイントは、端末の識別子に従って測位サーバにより取得されるアクセスポイントセットに属する。
【０１８０】
測定情報取得モジュール８０２は、測位要求メッセージに従って端末と対話し、端末の測位測定情報を取得するよう構成される。
【０１８１】
送信モジュール８０３は、測位測定情報を測位サーバに送信するよう構成される。
【０１８２】
本出願のいくつかの実施形態では、測位サーバにより取得される協調時間であって、関連アクセスポイント及びアクセスポイントセットに存在する非関連アクセスポイントが、協調時間が来た後に、端末の測位測定情報を協調的な方式で取得することを可能にするのに用いられる協調時間を、測位要求メッセージがさらに含む場合、測定情報取得モジュール８０２は、協調時間が来た後に、測位要求メッセージに従って端末と対話して、端末の測位測定情報を取得するよう構成される。
【０１８３】
本出願のいくつかの実施形態では、測定情報取得モジュール８０２は、測位要求メッセージに従って測位パケットを端末に送信し、端末により送信された測位応答パケットを受信し、受信した測位応答パケットに従って測位測定メッセージを生成するよう構成される。
【０１８４】
前述の実施形態において提供される本出願の説明から、まず関連アクセスポイントが測位サーバにより送信された測位要求メッセージを受信し、次に、関連アクセスポイントが測位要求メッセージに従って端末と対話して、端末の測位測定情報を取得し、最後に、関連アクセスポイントが測位測定情報を測位サーバに送信することが分かる。本出願では、関連アクセスポイントにより行われる端末測位が測位サーバによりトリガされ、関連アクセスポイントは測位される必要がある端末と能動的に対話して、端末の測位測定情報を取得する。したがって、関連アクセスポイントが端末のアップリンク情報をただ待ち続けることを回避でき、測位効率が改善され、関連アクセスポイントへの影響が小さくなる。さらに、全ての端末と互換性がある特定のアプリケーションプログラムが、本出願の単一の端末に組み込まれる必要はない。
【０１８５】
図９ａを参照すると、図９ａは、本出願の一実施形態によるアクセスポイントである。アクセスポイントは、測位される必要がある端末がアクセスしない非関連アクセスポイント９００である。非関連アクセスポイント９００は、カバレッジエリアが端末を包含する少なくとも１つのアクセスポイントを含む。非関連アクセスポイント９００は、受信モジュール９０１と、測定情報取得モジュール９０２と、送信モジュール９０３とを含むことができる。
【０１８６】
受信モジュール９０１は、測位サーバにより送信された測位要求メッセージを受信するよう構成され、測位要求メッセージは、測位される必要がある端末の識別子を含み、非関連アクセスポイントは、端末の識別子に従って測位サーバにより取得されるアクセスポイントセットに属し、端末は非関連アクセスポイントにアクセスせず、非関連アクセスポイントは、カバレッジエリアが端末を包含する少なくとも１つのアクセスポイントを含む。
【０１８７】
測定情報取得モジュール９０２は、端末の動作チャネルに切り替わり、端末の測位測定情報を取得するよう構成される。
【０１８８】
送信モジュール９０３は、測位測定情報を測位サーバに送信するよう構成される。
【０１８９】
本出願のいくつかの実施形態では、測位サーバにより取得される協調時間であって、協調時間が来た後に非関連アクセスポイントが端末の動作チャネルに切り替わることを可能にするのに用いられる協調時間を、測位要求メッセージがさらに含む場合、測定情報取得モジュール９０２は、協調時間が来ると端末の動作チャネルに切り替わり、動作チャネル上で待ち受け、関連アクセスポイントにより送信された測位パケットに従って端末が動作チャネル上に測位応答パケットを送信する場合、測位応答パケットを受信し、受信した測位応答パケットに従って測位測定メッセージを生成するよう構成される。
【０１９０】
本出願のいくつかの実施形態では、測定情報取得モジュール９０２は、端末の動作チャネルに切り替わった後に、測位要求メッセージに従って測位パケットを端末に送信し、端末により送信された測位応答パケットを受信し、受信した測位応答パケットに従って測位測定メッセージを生成するよう構成される。
【０１９１】
本出願のいくつかの実施形態では、測定情報取得モジュール９０２は、端末がアクセスする関連アクセスポイントの識別情報を用いることで、測位パケットを端末に送信するよう構成される。
【０１９２】
本出願のいくつかの実施形態では、送信モジュール９０３はさらに、測定情報取得モジュール９０２が非関連アクセスポイントを端末の動作チャネルに切り替えて、端末の測位測定情報を取得する前に、非関連アクセスポイントと関連付けられた端末にパケット送出停止命令を送信するよう構成され、これにより、非関連アクセスポイントと関連付けられた端末は、非関連アクセスポイントへのアップリンクパケットの送信を一時的に停止する、及び／又は、図９ｂを参照すると、非関連アクセスポイント９００はさらに、測定情報取得モジュール９０２が非関連アクセスポイントを端末の動作チャネルに切り替えて、端末の測位測定情報を取得する前に、非関連アクセスポイントに存在し、且つ送信されていないダウンリンクパケットをバッファに保留するよう構成されたバッファモジュール９０４を含む。
【０１９３】
本出願のいくつかの実施形態では、図９ｃを参照すると、非関連アクセスポイント９００はさらに、測定情報取得モジュール９０２が非関連アクセスポイントを端末の動作チャネルに切り替えて、端末の測位測定情報を取得した後に、非関連アクセスポイントが端末の動作チャネルに切り替わる前に非関連アクセスポイントがとどまっていた動作チャネルに、非関連アクセスポイントを再度切り替えるよう構成されたチャネル再切り替えモジュール９０５を含む。
【０１９４】
前述の実施形態において提供される本出願の説明から、まず非関連アクセスポイントが測位サーバにより送信された測位要求メッセージを受信し、次に、非関連アクセスポイントが端末の動作チャネルに切り替わり、端末の測位測定情報を取得し、最後に、非関連アクセスポイントが測位測定情報を測位サーバに送信することが分かる。本出願では、非関連アクセスポイントにより行われる端末測位が測位サーバによりトリガされ、非関連アクセスポイントは測位される必要がある端末と対話して、端末の測位測定情報を取得する。したがって、非関連アクセスポイントが端末のアップリンク情報をただ待ち続けることを回避でき、測位効率が改善され、非関連アクセスポイントへの影響が小さくなる。さらに、全ての端末と互換性がある特定のアプリケーションプログラムが、本出願の単一の端末に組み込まれる必要はない。
【０１９５】
図１０を参照すると、本出願の一実施形態において提供される端末装置の測位システム１０００が、図７による測位サーバ７００と、図８による関連アクセスポイント８００と、図９ａ、図９ｂ、及び図９ｃのいずれか１つによる非関連アクセスポイント９００とを含むことができる。
【０１９６】
前述の実施形態において提供される本出願の説明から、測位サーバが、測位される必要がある端末の識別子を取得し、端末の識別子に従って、測位サーバは端末の測位に用いられるアクセスポイントセットを取得し、アクセスポイントセットは、端末がアクセスする関連アクセスポイント及び端末がアクセスしない非関連アクセスポイントを含み、測位サーバは、アクセスポイントセットが端末と対話した後に取得される測位測定情報を取得し、測位サーバは、測位測定情報に従って端末の位置情報を取得して、端末の位置情報をアプリケーションサーバに送信することが分かる。本出願の端末測位では、測位される必要がある端末を測位サーバが取得した後に、測位サーバは、端末の測位測定を行うのに用いることができるアクセスポイントセットを端末の識別子に従って取得し、アクセスポイントセットは端末との対話を通じて端末の測位測定情報を取得する。したがって、アクセスポイントが端末のアップリンク情報をただ待ち続けることを回避でき、測位効率が改善され、各アクセスポイントへの影響が小さくなる。さらに、全ての端末と互換性がある特定のアプリケーションプログラムが、本出願の単一の端末に組み込まれる必要はない。
【０１９７】
前述の装置及び実行プロセスのモジュール／ユニット間の対話などの内容は、本出願の方法の実施形態と同じ考えに基づいており、本出願の方法の実施形態のものと同じ技術的効果を実現することに留意されたい。具体的な内容については、前述の本出願の方法の実施形態に関する説明を参照することができるので、詳細はここで再度説明されない。
【０１９８】
本出願の一実施形態がさらにコンピュータ記憶媒体を提供し、コンピュータ記憶媒体は、内部に格納されたプログラムを有することができ、プログラムの実行は、前述の方法の実施形態で説明された段階の一部又は全てを含む。
【０１９９】
次に、本出願の一実施形態において提供される別の測位サーバが説明される。図１１を参照すると、測位サーバ１１００が、入力装置１１０１と、出力装置１１０２と、プロセッサ１１０３と、メモリ１１０４とを含み（測位サーバ１１００は１つ又は複数のプロセッサ１１０３を含むことができ、１つのプロセッサが図１１に一例として用いられている）、本出願のいくつかの実施形態では、入力装置１１０１と、出力装置１１０２と、プロセッサ１１０３と、メモリ１１０４とが、バスを用いることで、又は別の方式で接続されてよく、バスを用いることによる接続が図１１に一例として用いられている。
【０２００】
プロセッサ１１０３は以下の段階を実行するよう構成される。すなわち、測位される必要がある端末の識別子を取得する段階と、端末の識別子に従って、端末の測位に用いられるアクセスポイントセットを取得する段階であって、アクセスポイントセットは端末がアクセスする関連アクセスポイント及び端末がアクセスしない非関連アクセスポイントを含み、非関連アクセスポイントは、カバレッジエリアが端末を包含する少なくとも１つのアクセスポイントを含む、段階と、アクセスポイントセットが端末と対話した後に取得される測位測定情報を取得する段階と、測位測定情報に従って端末の位置情報を取得して、端末の位置情報をアプリケーションサーバに送信する段階とである。
【０２０１】
本出願のいくつかの実施形態では、プロセッサ１１０３は以下の段階を実行するよう構成される。すなわち、関連アクセスポイント及び非関連アクセスポイントに並行して測位要求メッセージを別々に送信する段階であって、測位要求メッセージは端末の識別子及び協調時間を含み、協調時間は、関連アクセスポイント及び非関連アクセスポイントが、協調時間が来た後に端末の測位測定情報を協調的な方式で取得することを可能にするのに用いられる、段階と、協調時間に従って関連アクセスポイント及び非関連アクセスポイントにより端末から取得される測位測定情報を受信する段階とである。
【０２０２】
本出願のいくつかの実施形態では、プロセッサ１１０３は以下の段階を実行するよう構成される。すなわち、関連アクセスポイント及び非関連アクセスポイントに別々に測位要求メッセージを送信する段階であって、測位要求メッセージは端末の識別子を含む、段階と、関連アクセスポイントにより端末から取得された測位測定情報を受信し、非関連アクセスポイントにより端末から取得された測位測定情報を受信する段階とである。
【０２０３】
本出願のいくつかの実施形態では、プロセッサ１１０３は以下の段階を実行するよう構成される。すなわち、アプリケーションサーバにより送信された位置取得メッセージを受信する段階であって、位置取得メッセージは、位置情報がアプリケーションサーバにより取得される必要がある端末の識別子を含む、段階である。測位測定情報に従って端末の位置情報を取得した後に、プロセッサ１１０３はさらに、以下の段階を実行するよう構成される。すなわち、端末の位置情報をアプリケーションサーバに送信する段階である。
【０２０４】
本出願のいくつかの実施形態では、プロセッサ１１０３は以下の段階を実行するよう構成される。すなわち、三角測量による測位アルゴリズム又は指紋による測位アルゴリズムを用いることで、測位測定情報の計算を行い、端末の位置情報を取得する段階である。
【０２０５】
前述の実施形態において提供される本出願の説明から、測位サーバが、測位される必要がある端末の識別子を取得することができ、端末の識別子に従って、測位サーバは端末の測位に用いられるアクセスポイントセットを取得し、アクセスポイントセットは、端末がアクセスする関連アクセスポイント及び端末がアクセスしない非関連アクセスポイントを含み、測位サーバは、アクセスポイントセットが端末と対話した後に取得される測位測定情報を取得し、測位サーバは、測位測定情報に従って端末の位置情報を取得することが分かる。本出願の端末測位では、測位される必要がある端末を測位サーバが取得した後に、測位サーバは、端末の測位測定を行うのに用いることができるアクセスポイントセットを端末の識別子に従って取得し、アクセスポイントセットは端末との対話を通じて端末の測位測定情報を取得する。したがって、アクセスポイントが端末のアップリンク情報をただ待ち続けることを回避でき、測位効率が改善され、各アクセスポイントへの影響が小さくなる。さらに、全ての端末と互換性がある特定のアプリケーションプログラムが、本出願の単一の端末に組み込まれる必要はない。
【０２０６】
次に、本出願の一実施形態において提供される別の関連アクセスポイントが説明される。図１２を参照すると、関連アクセスポイント１２００は、入力装置１２０１と、出力装置１２０２と、プロセッサ１２０３と、メモリ１２０４とを含み（関連アクセスポイント１２００は１つ又は複数のプロセッサ１２０３を含むことができ、１つのプロセッサが図１２に一例として用いられている）、本出願のいくつかの実施形態では、入力装置１２０１と、出力装置１２０２と、プロセッサ１２０３と、メモリ１２０４とが、バスを用いることで、又は別の方式で接続されてよく、バスを用いることによる接続が図１２に一例として用いられている。
【０２０７】
プロセッサ１２０３は以下の段階を実行するよう構成される。すなわち、測位サーバにより送信された測位要求メッセージを受信する段階であって、測位要求メッセージは、測位される必要がある端末の識別子を含み、関連アクセスポイントは、端末の識別子に従って測位サーバにより取得されるアクセスポイントセットに属する、段階と、測位要求メッセージに従って端末と対話して、端末の測位測定情報を取得する段階と、測位測定情報を測位サーバに送信する段階とである。
【０２０８】
本出願のいくつかの実施形態では、プロセッサ１２０３は以下の段階を実行するよう構成される。すなわち、測位サーバにより取得される協調時間であって、関連アクセスポイント及びアクセスポイントセットに存在する非関連アクセスポイントが、協調時間が来た後に、端末の測位測定情報を協調的な方式で取得することを可能にするのに用いられる協調時間を、測位要求メッセージがさらに含む場合、協調時間が来た後に、測位要求メッセージに従って端末と対話して、端末の測位測定情報を取得する段階である。
【０２０９】
本出願のいくつかの実施形態では、プロセッサ１２０３は以下の段階を実行するよう構成される、すなわち、測位要求メッセージに従って測位パケットを端末に送信する段階と、端末により送信された測位応答パケットを受信する段階と、受信した測位応答パケットに従って測位測定メッセージを生成する段階とである。
【０２１０】
前述の実施形態において提供される本出願の説明から、まず関連アクセスポイントが測位サーバにより送信された測位要求メッセージを受信し、次に、関連アクセスポイントが測位要求メッセージに従って端末と対話して、端末の測位測定情報を取得し、最後に、関連アクセスポイントが測位測定情報を測位サーバに送信することが分かる。本出願では、関連アクセスポイントにより行われる端末測位が測位サーバによりトリガされ、関連アクセスポイントは測位される必要がある端末と能動的に対話して、端末の測位測定情報を取得する。したがって、関連アクセスポイントが端末のアップリンク情報をただ待ち続けることを回避でき、測位効率が改善され、関連アクセスポイントへの影響が小さくなる。さらに、全ての端末と互換性がある特定のアプリケーションプログラムが、本出願の単一の端末に組み込まれる必要はない。
【０２１１】
次に、本出願の一実施形態において提供される別の非関連アクセスポイントが説明される。図１３を参照すると、非関連アクセスポイント１３００が、入力装置１３０１と、出力装置１３０２と、プロセッサ１３０３と、メモリ１３０４とを含み（非関連アクセスポイント１３００は１つ又は複数のプロセッサ１３０３を含むことができ、１つのプロセッサが図１３に一例として用いられている）、本出願のいくつかの実施形態では、入力装置１３０１と、出力装置１３０２と、プロセッサ１３０３と、メモリ１３０４とが、バスを用いることで、又は別の方式で接続されてよく、バスを用いることによる接続が図１３に一例として用いられている。
【０２１２】
プロセッサ１３０３は以下の段階を実行するよう構成される。すなわち、測位サーバにより送信された測位要求メッセージを受信する段階であって、測位要求メッセージは、測位される必要がある端末の識別子を含み、非関連アクセスポイントは、端末の識別子に従って測位サーバにより取得されるアクセスポイントセットに属し、端末は非関連アクセスポイントにアクセスせず、非関連アクセスポイントは、カバレッジエリアが端末を包含する少なくとも１つのアクセスポイントを含む、段階と、端末の動作チャネルに切り替わり、端末の測位測定情報を取得する段階と、測位測定情報を測位サーバに送信する段階とである。
【０２１３】
本出願のいくつかの実施形態では、プロセッサ１３０３は以下の段階を実行するよう構成される。すなわち、測位サーバにより取得される協調時間であって、協調時間が来た後に非関連アクセスポイントが端末の動作チャネルに切り替わることを可能にするのに用いられる協調時間を、測位要求メッセージがさらに含む場合、協調時間が来ると端末の動作チャネルに切り替わり、動作チャネル上で待ち受け、関連アクセスポイントにより送信された測位パケットに従って端末が動作チャネル上に測位応答パケットを送信する場合、測位応答パケットを受信する、段階と、受信した測位応答パケットに従って測位測定メッセージを生成する段階とである。
【０２１４】
本出願のいくつかの実施形態では、プロセッサ１３０３は以下の段階を実行するよう構成される。すなわち、端末の動作チャネルに切り替わった後に、測位要求メッセージに従って測位パケットを送信する段階と、端末により送信された測位応答パケットを受信する段階と、受信した測位応答パケットに従って測位測定メッセージを生成する段階とである。
【０２１５】
本出願のいくつかの実施形態では、プロセッサ１３０３は以下の段階を実行するよう構成される。すなわち、端末がアクセスする関連アクセスポイントの識別情報を用いることで、測位パケットを端末に送信する段階である。
【０２１６】
本出願のいくつかの実施形態では、プロセッサ１３０３はさらに、以下の段階を実行するよう構成される。すなわち、端末の動作チャネルに切り替わり、端末の測位測定情報を取得する段階の前に、非関連アクセスポイントと関連付けられた端末にパケット送出停止命令を送信する段階であって、これにより、非関連アクセスポイントと関連付けられた端末は、非関連アクセスポイントへのアップリンクパケットの送信を一時的に停止する、段階、及び／又は、非関連アクセスポイントが端末の動作チャネルに切り替わる前に、非関連アクセスポイントに存在し、且つ送信されていないダウンリンクパケットをバッファに保留する段階である。
【０２１７】
本出願のいくつかの実施形態において、プロセッサ１３０３はさらに、以下の段階を実行するよう構成される。すなわち、端末の動作チャネルに切り替わり、端末の測位測定情報を取得した後に、非関連アクセスポイントが端末の動作チャネルに切り替わる前に非関連アクセスポイントがとどまっていた動作チャネルに、再度切り替わる段階である。
【０２１８】
前述の実施形態において提供される本出願の説明から、まず非関連アクセスポイントが測位サーバにより送信された測位要求メッセージを受信し、次に、非関連アクセスポイントが端末の動作チャネルに切り替わり、端末の測位測定情報を取得し、最後に、非関連アクセスポイントが測位測定情報を測位サーバに送信することが分かる。本出願では、非関連アクセスポイントにより行われる端末測位が測位サーバによりトリガされ、非関連アクセスポイントは測位される必要がある端末と対話して、端末の測位測定情報を取得する。したがって、非関連アクセスポイントが端末のアップリンク情報をただ待ち続けることを回避でき、測位効率が改善され、非関連アクセスポイントへの影響が小さくなる。さらに、全ての端末と互換性がある特定のアプリケーションプログラムが、本出願の単一の端末に組み込まれる必要はない。
【０２１９】
さらに、説明された装置の実施形態は、単なる例示にすぎないことに留意されたい。別個の部分として説明されたユニットは、物理的に離れていてもいなくてもよく、ユニットとして表示された部分は、物理的なユニットであってもなくてもよく、１か所に位置しても、複数のネットワークユニットに分散してもよい。複数のモジュールの一部又は全てが、実施形態の解決手段の目的を実現するために、実際の必要性に従って選択されてよい。さらに、本出願において提供される装置の実施形態に関する添付図面では、モジュール間の接続関係が、モジュールが互いに通信接続を有することを示し、これらの通信接続は、１つ又は複数の通信バス又は信号ケーブルとして実装されてよい。当業者は、創造的努力をすることなく、本出願の実施形態を理解して実行することができる。
【０２２０】
前述の実装方式の説明に基づいて、本出願が、必要な汎用ハードウェアに加えてソフトウェアにより、又は、専用集積回路、専用ＣＰＵ、専用メモリ、専用コンポーネントなどを含む専用ハードウェアにより実装されてよいことを、当業者は明確に理解できる。概して、コンピュータプログラムにより実行され得るあらゆる機能が、対応するハードウェアを用いることで容易に実装することができる。さらに、同じ機能を実現するのに用いられる特定のハードウェア構造が、例えば、アナログ回路、デジタル回路、専用回路の形態など、様々な形態であってよい。しかし、本出願に関しては、ソフトウェアプログラム実装が、ほとんどの場合、より好ましい実装方式である。そのような理解に基づいて、従来技術に対して本質的に又は部分的に寄与する本出願の技術的解決手段が、ソフトウェア製品の形態で実装されてよい。ソフトウェア製品は、コンピュータのフロッピー（登録商標）ディスク、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、又は光ディスクなどの可読記憶媒体に格納されており、本出願の実施形態で説明された方法を実行するようにコンピュータ装置（これは、パーソナルコンピュータ、サーバ、ネットワーク装置などであってよい）に命令するためのいくつかの命令を含む。
【０２２１】
前述の実施形態は、単に本出願の技術的解決手段を説明することを意図するものであり、本出願を限定する意図はない。本出願は前述の実施形態を参照して詳細に説明されているが、当業者は、自分らが依然として、本出願の実施形態の技術的解決手段の精神及び範囲から逸脱することなく、前述の実施形態で説明された技術的解決手段に変更を行う、又はその一部の技術的特徴に対して均等な置き換えを行うことができることを理解すべきである。
【手続補正３】
【補正対象書類名】図面
【補正対象項目名】図７
【補正方法】変更
【補正の内容】
【図７】
2018521300.tif 000018
【国際調査報告】
2018521300.tif 000019
2018521300.tif 000020
2018521300.tif 000021
2018521300.tif 000022